(57)【要約】【課題】転動手段の作用が良好な遊技機を提供すること。【解決手段】遅延床デバイス４００が、面取り部４１１ａから間隔を空けて遊技球を１球ずつ下降開始させる態様で動作するので、短期間の間に検出口３１２ｄに遊技球がまとめて入球することを抑制することができる。従って、遅延床デバイス４００に複数個の遊技球が乗った場合でも、検出口３１２ｄでオーバーフローが生じることを抑制することができる。【選択図】図２２
2019141732.tif 000002
【特許請求の範囲】
【請求項１】
遊技球が入球することにより抽選の機会が付与される第１状態と、その第１状態において遊技球が入球することにより切り替えられる状態であって遊技球が入球しても抽選の機会が付与されない第２状態と、を構成可能とされる検出入球口を備え、前記第２状態に切り替えられた後、所定の復帰期間が経過することにより前記第１状態に復帰する遊技機において、
遊技球が前記検出入球口へ入球し易い下降開始位置である最適落下部を有すると共に、遊技球が前記最適落下部を通過する態様で上面を転動可能に構成される転動手段を備え、
その転動手段は、前記最適落下部から遊技球を前記復帰期間以上の間隔を空けて下降開始させる態様で動作することを特徴とする遊技機。
【請求項２】
前記転動手段へ遊技球を導入する導入流路を備え、
前記転動手段は、前記導入流路から遊技球が導入されると共に前記最適落下部へ遊技球を案内する第１床部材を備え、
その第１床部材は、転動する遊技球の重さにより動作可能に形成され、その動作により後から到達する遊技球の前記第１床部材へ向けた速度を低減する態様で動作することを特徴とする請求項１記載の遊技機。
【請求項３】
前記最適落下部が前記第１床部材に配設されると共に、
前記第１床部材が、前記最適落下部から遊技球を落下させる際に動作する態様で構成され、
前記転動手段は、前記最適落下部から遊技球が落下する前後において前記第１床部材の近傍に載置されると共に、所定期間の内に前記最適落下部へ向かう他の遊技球の、前記最適落下部への到達を防止する防止手段を備えることを特徴とする請求項２記載の遊技機。
【発明の詳細な説明】
【技術分野】
【０００１】
本発明は、パチンコ機などの遊技機に関するものである。
【背景技術】
【０００２】
パチンコ機などの遊技機において、遊技球が入球したことに基づいて抽選の機会を獲得可能な入球口へ向けて遊技球を転動させる転動手段を備える遊技機がある（特許文献１）。
【先行技術文献】
【特許文献】
【０００３】
【特許文献１】特開２０１１−１５６０５８号公報
【発明の概要】
【発明が解決しようとする課題】
【０００４】
しかしながら、上述した従来の遊技機では、転動手段の作用に改良の余地があるという問題点があった。本発明は、上記例示した問題点などを解決するためになされたものであり、転動手段の作用が良好な遊技機を提供することを目的とする。
【課題を解決するための手段】
【０００５】
この目的を達成するために請求項１記載の遊技機は、遊技球が入球することにより抽選の機会が付与される第１状態と、その第１状態において遊技球が入球することにより切り替えられる状態であって遊技球が入球しても抽選の機会が付与されない第２状態と、を構成可能とされる検出入球口を備え、前記第２状態に切り替えられた後、所定の復帰期間が経過することにより前記第１状態に復帰する遊技機において、遊技球が前記検出入球口へ入球し易い下降開始位置である最適落下部を有すると共に、遊技球が前記最適落下部を通過する態様で上面を転動可能に構成される転動手段を備え、その転動手段は、前記最適落下部から遊技球を前記復帰期間以上の間隔を空けて下降開始させる態様で動作する。
【０００６】
請求項２記載の遊技機は、請求項１記載の遊技機において、前記転動手段へ遊技球を導入する導入流路を備え、前記転動手段は、前記導入流路から遊技球が導入されると共に前記最適落下部へ遊技球を案内する第１床部材を備え、その第１床部材は、転動する遊技球の重さにより動作可能に形成され、その動作により後から到達する遊技球の前記第１床部材へ向けた速度を低減する態様で動作する。
【０００７】
請求項３記載の遊技機は、請求項２記載の遊技機において、前記最適落下部が前記第１床部材に配設されると共に、前記第１床部材が、前記最適落下部から遊技球を落下させる際に動作する態様で構成され、前記転動手段は、前記最適落下部から遊技球が落下する前後において前記第１床部材の近傍に載置されると共に、所定期間の内に前記最適落下部へ向かう他の遊技球の、前記最適落下部への到達を防止する防止手段を備える。
【発明の効果】
【０００８】
請求項１記載の遊技機によれば、転動手段の作用を良好にすることができる。
【０００９】
請求項２記載の遊技機によれば、請求項１記載の遊技機の奏する効果に加え、第１床部材の動作により転動手段の作用をより良好にすることができる。
【００１０】
請求項３記載の遊技機によれば、請求項２記載の遊技機の奏する効果に加え、第１床部材の動作により転動手段から球が連なって入球口に入球することを防止することで、転動手段の作用を良好とすることができる。
【図面の簡単な説明】
【００１１】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】遊技盤の背面分解斜視図である。
【図６】遅延デバイスの正面図である。
【図７】図６のＶＩＩ−ＶＩＩ線における遅延デバイスの断面図である。
【図８】図６のＶＩＩＩ−ＶＩＩＩ線における遅延デバイスの部分断面図である。
【図９】スライド移動部材の正面斜視図である。
【図１０】（ａ）は、スライド移動部材の正面図であり、（ｂ）は、図１０（ａ）の矢印Ｘｂ方向視におけるスライド移動部材の側面図であり、（ｃ）は、図１０（ａ）の矢印Ｘｃ方向視におけるスライド移動部材の上面図であり、（ｄ）は、図１０（ａ）のＸｄ−Ｘｄ線におけるスライド移動部材の部分断面図である。
【図１１】振り分け装置及び第２調整装置の正面斜視図である。
【図１２】（ａ）は、振り分け装置及び第２調整装置の正面図であり、（ｂ）は、図１２（ａ）の矢印ＸＩＩｂ方向視における振り分け装置及び第２調整装置の側面図であり、（ｃ）は、図１２（ａ）の矢印ＸＩＩｃ方向視における振り分け装置及び第２調整装置の上面図であり、（ｄ）は、図１２（ａ）のＸＩＩｄ−ＸＩＩｄ線における振り分け装置及び第２調整装置の部分断面図である。
【図１３】遅延デバイスの正面図である。
【図１４】遅延デバイスの正面図である。
【図１５】（ａ）から（ｃ）は、回転軸に直交する平面における第２調整装置の断面図である。
【図１６】（ａ）から（ｄ）は、機能円盤装置を回転軸に垂直な平面で断面視した機能円盤装置の断面図である。
【図１７】（ａ）及び（ｂ）は、遅延デバイスの部分正面図である。
【図１８】（ａ）及び（ｂ）は、遅延デバイスの部分正面図である。
【図１９】（ａ）及び（ｂ）は、遅延デバイスの部分正面図である。
【図２０】遅延デバイスの部分正面図である。
【図２１】（ａ）から（ｃ）は、遅延デバイスの部分正面図である。
【図２２】遊技盤の部分正面斜視図である。
【図２３】（ａ）は、扇状部材の上面図であり、（ｂ）は、図２３（ａ）の矢印ＸＸＩＩＩｂ方向視における扇状部材の側面図であり、（ｃ）は、図２３（ａ）のＸＸＩＩＩｃ−ＸＸＩＩＩｃ線における扇状部材の断面図であり、（ｄ）は、図２３（ｂ）の矢印ＸＸＩＩＩｄ方向視における扇状部材の底面図である。
【図２４】（ａ）は、リンク部材の側面図であり、（ｂ）は、図２４（ａ）の矢印ＸＸＩＶｂ方向視におけるリンク部材の底面図である。
【図２５】（ａ）は、扇状部材及びリンク部材の上面図であり、（ｂ）は、図２５（ａ）のＸＸＶｂ−ＸＸＶｂ線における扇状部材及びリンク部材の断面図である。
【図２６】固定床の上面図である。
【図２７】（ａ）は、図２６のＸＸＶＩＩａ−ＸＸＶＩＩａ線における固定床の断面図であり、（ｂ）は、図２６のＸＸＶＩＩｂ−ＸＸＶＩＩｂ線における固定床の断面図である。
【図２８】（ａ）は、遅延床デバイスの部分上面図であり、（ｂ）は、図２８（ａ）のＸＸＶＩＩＩｂ−ＸＸＶＩＩＩｂ線における遅延床デバイスの断面図であり、（ｃ）は、遅延床デバイスの部分上面図であり、（ｄ）は、図２８（ｃ）のＸＸＶＩＩＩｄ−ＸＸＶＩＩＩｄ線における遅延床デバイスの断面図である。
【図２９】（ａ）は、遅延床デバイスの上面図であり、（ｂ）は、図２９（ａ）のＸＸＩＸｂ−ＸＸＩＸｂ線における遅延床デバイスの断面図であり、（ｃ）は、遅延床デバイスの上面図であり、（ｄ）は、図２９（ｃ）のＸＸＩＸｄ−ＸＸＩＸｄ線における遅延床デバイスの断面図である。
【図３０】（ａ）は、遅延床デバイスの上面図であり、（ｂ）は、図３０（ａ）のＸＸＸｂ−ＸＸＸｂ線における遅延床デバイスの断面図である。
【図３１】（ａ）は、遅延床デバイスの上面図であり、（ｂ）は、図３１（ａ）のＸＸＸＩｂ−ＸＸＸＩｂ線における遅延床デバイスの断面図であり、（ｃ）は、遅延床デバイスの上面図であり、（ｄ）は、図３１（ｃ）のＸＸＸＩｄ−ＸＸＸＩｄ線における遅延床デバイスの断面図である。
【図３２】（ａ）は、遅延床デバイスの上面図であり、（ｂ）は、図３２（ａ）のＸＸＸＩＩｂ−ＸＸＸＩＩｂ線における遅延床デバイスの断面図であり、（ｃ）は、遅延床デバイスの上面図であり、（ｄ）は、図３２（ｃ）の矢印ＸＸＸＩＩｄ方向視における遅延床デバイスの正面図である。
【図３３】（ａ）及び（ｂ）は、図３２（ｃ）のＸＸＸＩＩＩａ−ＸＸＸＩＩＩａ線における遅延床デバイスの断面図である。
【図３４】（ａ）から（ｃ）は、第２実施形態における遅延デバイスの部分正面図である。
【発明を実施するための形態】
【００１２】
以下、本発明の実施形態について、添付図面を参照して説明する。まず、図１から図３３を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の後面図である。
【００１３】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１４】
内枠１２には、多数の釘や入賞口６３，６４等を有する遊技盤１３（図２参照）が裏面側から着脱可能に装着される。この遊技盤１３の正面を球（遊技球）が流下することにより弾球遊技が行われる。なお、内枠１２には、球を遊技盤１３の正面領域に発射する球発射ユニット１１２ａ（図４参照）やその球発射ユニット１１２ａから発射された球を遊技盤１３の正面領域まで誘導する発射レール（図示せず）等が取り付けられている。
【００１５】
内枠１２の正面側には、その正面上側を覆う正面枠１４と、その下側を覆う下皿ユニット１５とが設けられている。正面枠１４及び下皿ユニット１５を支持するために正面視（図１参照）左側の上下２カ所に金属製のヒンジ１９が取り付けられ、そのヒンジ１９が設けられた側を開閉の軸として正面枠１４及び下皿ユニット１５が正面手前側へ開閉可能に支持されている。なお、内枠１２の施錠と正面枠１４の施錠とは、シリンダ錠２０の鍵穴２１に専用の鍵を差し込んで所定の操作を行うことでそれぞれ解除される。
【００１６】
正面枠１４は、装飾用の樹脂部品や電気部品等を組み付けたものであり、その略中央部には略楕円形状に開口形成された窓部１４ｃが設けられている。正面枠１４の裏面側には２枚の板ガラスを有するガラスユニット１６が配設され、そのガラスユニット１６を介して遊技盤１３の正面がパチンコ機１０の正面側に視認可能となっている。
【００１７】
正面枠１４には、球を貯留する上皿１７が正面側へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１８】
正面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、正面枠１４の正面視（図１参照）左上部には、ＬＥＤ等の発光手段が内蔵され賞球の払い出し中とエラー発生時とを表示可能な表示ランプ３４が設けられている。
【００１９】
また、右側の電飾部３２下側には、正面枠１４の裏面側を視認できるように裏面側より透明樹脂を取り付けて小窓３５が形成され、遊技盤１３正面の貼着スペースＫ１（図２参照）に貼付される証紙等がパチンコ機１０の正面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２０】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２１】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の正面へ打ち込むために遊技者によって操作される操作ハンドル５１が配設される。
【００２２】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の正面へ球が打ち込まれる。また、操作ハンドル５１が遊技者により操作されていない状態においては、タッチセンサ５１ａおよび発射停止スイッチ５１ｂがオフとなっている。
【００２３】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２４】
図２に示すように、遊技盤１３は、正面視略正方形状に切削加工したベース板６０に、球案内用の多数の釘や風車（図示せず）の他、レール６１，６２、一般入賞口６３、第１入賞口６４、第２入賞口６４０、第一可変入賞装置６５、第２可変入賞装置（図示せず）、スルーゲート６７、可変表示装置ユニット８０等を組み付けて構成され、その周縁部が内枠１２（図１参照）の裏面側に取り付けられる。ベース板６０は光透過性の樹脂材料からなり、その正面側からベース板６０の後面側に配設された各種構造体を遊技者に視認させることが可能に形成される。一般入賞口６３、第１入賞口６４、第２入賞口６４０、第１可変入賞装置６５、第２可変入賞装置（図示せず）、可変表示装置ユニット８０は、ルータ加工によってベース板６０に形成された貫通穴に配設され、遊技盤１３の正面側からタッピングネジ等により固定されている。
【００２５】
遊技盤１３の正面中央部分は、正面枠１４の窓部１４ｃ（図１参照）を通じて内枠１２の正面側から視認することができる。以下に、主に図２を参照して、遊技盤１３の構成について説明する。
【００２６】
遊技盤１３の正面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の正面外周が囲まれ、遊技盤１３とガラスユニット１６（図１参照）とにより前後が囲まれることにより、遊技盤１３の正面には、球の挙動により遊技が行われる遊技領域が形成される。遊技領域は、遊技盤１３の正面であって２本のレール６１，６２とレール間を繋ぐ樹脂製の外縁部材７３とにより区画して形成される領域（入賞口等が配設され、発射された球が流下する領域）である。
【００２７】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２８】
遊技領域の正面視左側下部（図２の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００２９】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３０】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３１】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３２】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３３】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３４】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００３５】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。また、可変表示装置ユニット８０には、第３図柄表示装置８１の外周を囲むようにして、センターフレーム８６が配設されている。
【００３６】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３７】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００３８】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成されている。
【００３９】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【００４０】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４１】
スルーゲート６７は、可変表示装置ユニット８０の下側の領域における右方において遊技盤に組み付けられ、遊技盤に発射された球のうち、遊技盤の右方を流下する球の一部が通過可能に構成されている。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４２】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４３】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は１つに限定されるものではなく、複数（例えば、２つ）であっても良い。また、スルーゲート６７の組み付け位置は可変表示装置ユニット８０の右方に限定されるものではなく、例えば、可変表示装置ユニット８０の左方でも良い。また、第１図柄表示装置３７Ａ，３７Ｂにより保留球数が示されるので、第２図柄保留ランプにより点灯表示を行わないものとしてもよい。
【００４４】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４５】
一方、第１入賞口６４の正面視右方には、球が入賞し得る第２入賞口６４０が配設されている。この第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４６】
球の第１入賞口６４、第２入賞口６４０の通過回数は、それぞれ、合計で最大４回まで保留され、その保留球数が上述した第１図柄表示装置３７Ａ，３７Ｂにより表示される。更に、例えば、第１入賞口６４の保留球数が多いほど、表示装置での変動表示期間として短い期間が選択されやすい制御とされる。同様に、第２入賞口６４０も制御される。
【００４７】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００４８】
第２入賞口６４０には電動役物６４０ａが付随されている。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【００４９】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【００５０】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような電動役物は有しておらず、球が常時入賞可能な状態となっている。
【００５１】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５２】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【００５３】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５４】
第１入賞口６４の上方右側には第１可変入賞装置６５が配設されており、その略中央部分に特定入賞口６５ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５５】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５６】
第１可変入賞装置６５は、具体的には、特定入賞口６５ａを覆う正面視三角形状の開閉板と、その開閉板の下辺を軸として右側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を右側に傾倒し、球が特定入賞口６５ａに入賞しやすい開状態を一時的に形成し、その開状態と通常時の閉状態との状態を交互に繰り返すように作動する。
【００５７】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）を配置しても良く、また配置位置も第１入賞口６４の下方右側や、第１入賞口６４の下方左側に限らず、例えば、可変表示装置ユニット８０の左方でも良い。
【００５８】
遊技盤１３の下側における右隅部には、証紙や識別ラベル等を貼着するための貼着スペースＫ１が設けられ、貼着スペースＫ１に貼られた証紙等は、正面枠１４の小窓３５（図１参照）を通じて視認することができる。
【００５９】
遊技盤１３には、第１アウト口７１が設けられている。遊技領域を流下する球であって、いずれの入賞口６３，６４，６５ａ，６４０にも入賞しなかった球は、第１アウト口７１を通って図示しない球排出路へと案内される。第１アウト口７１は、第１入賞口６４の下方に配設される。
【００６０】
遊技盤１３には、球の落下方向を適宜分散、調整等するために多数の釘が植設されているとともに、風車等の各種部材（役物）とが配設されている。本実施形態においては、風車の内の一つ（可動部材３１０と称す）が遊技盤１３の正面視左側上方に配設され、図２において図示されている。
【００６１】
図３に示すように、パチンコ機１０の後面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６２】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６３】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６４】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６５】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６６】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００６７】
次に、図４を参照して、本パチンコ機１０の電気的構成について説明する。図４は、パチンコ機１０の電気的構成を示すブロック図である。
【００６８】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【００６９】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７０】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７１】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７２】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として正面側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７３】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７４】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７５】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７６】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７７】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００７８】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００７９】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には駆動モータ４７２が含まれる。
【００８０】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた後面画像を第３図柄表示装置８１に表示させるべく、変更後のステージに関する情報を含めた後面画像変更コマンドを表示制御装置１１４へ送信する。ここで、後面画像とは、第３図柄表示装置８１に表示させる主要な画像である第３図柄の後面側に表示される画像のことである。表示制御装置１１４は、この音声ランプ制御装置１１３から送信されるコマンドに従って、第３図柄表示装置８１に各種の画像を表示する。
【００８１】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８２】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８３】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８４】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８５】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８６】
次いで、図５から図２１を参照して、遅延デバイス３００について説明する。図５は、遊技盤１３の背面分解斜視図である。図５では、遊技領域を流下し第１入賞口６４に流入した球が流下する遅延デバイスが、遊技盤１３から分解された状態が図示される。
【００８７】
第１入賞口６４に流入した球は遅延デバイス３００の内部を流下し、その下端に配置される検出口３１２ｄから送球され、検出センサ（図示せず）を通過することにより、抽選が行われる。即ち、第１入賞口６４に球が入球してから、検出センサを通過するまでの間は、未だ抽選が未実施の状態とされる。
【００８８】
次いで、図６及び図７を参照して、遅延デバイス３００について説明する。図６は、遅延デバイス３００の正面図であり、図７は、図６のＶＩＩ−ＶＩＩ線における遅延デバイス３００の断面図である。なお、図７では、理解を容易とするために、遊技盤１３が部分的に図示される。
【００８９】
図６及び図７に示すように、遅延デバイス３００は、内部に溝が形成され、その溝と面あたりする遊技盤１３とで第１入賞口６４に入球した球が流下する経路を形成する本体部材３１０と、その本体部材３１０に対してスライド移動するスライド移動部材３２１を有する減速装置３２０と、その減速装置３２０の復帰動作を調整する第１調整装置３３０と、本体部材３１０に対して回転動作し球を異なった流路に振り分ける振り分け装置３４０と、その振り分け装置３４０の回転軸と同軸で構成されると共に振り分け装置３４０の復帰動作を調整する第２調整装置３５０と、を主に備える。
【００９０】
本体部材３１０は、遊技盤１３と対向配置される側が開放される溝を構成する部材であって、第１入賞口６４から入球した球が最初に流下する第１溝３１１と、その第１通路３１１の下端から鉛直下方に延設される第２溝３１２と、第１溝３１１と第２溝３１２との連結部分から横方向に延設され第２溝３１２の延設長さよりも長い経路をたどって検出口３１２ｄに連結される第３溝３１３と、底板部開口３１１ｂの手前側から第１溝３１１の下方へ向けて板状に延設されると共にスライド移動部材３２１を支持する支持板部３１４と、を主に備える。
【００９１】
第１溝３１１は、第１入賞口６４から入球した球を斜め下方に一直線に下降させる本通路３１１ａと、その本通路３１１ａの底板の奥行き方向中央部（球の奥行き方向中央部）において球の半径よりも短い幅に形成される開口である底板部開口３１１ｂと、天板部分において減速装置３２０の風車部材３２２を内部に張出可能な幅であけられる天板部開口３１１ｃと、その天板部開口３１１ｃを挟んで奥行き方向に一対で配設されると共に風車部材３２２の軸受けとなる軸受け部３１１ｄと、本通路３１１ａから奥側に球を転動可能な大きさで凹設される奥側凹設部３１１ｅと、を主に備える。
【００９２】
奥側凹設部３１１ｅは、本通路３１１ａの入口付近において連結される凹設部分であって、その入口付近では底面が本通路３１１ａの底面と同じ高さとされ、下流側へ向かうにつれて本通路３１１ａよりも上昇傾斜する態様で構成される。
【００９３】
第２溝３１２は、第１溝３１１の下端に到達した球を左右方向に跳ね返す負荷を与える当接壁３１２ａと、背面側（図６奥側）の板部に形成される凹部であって振り分け装置３４０を配設可能に円弧形状に凹設される凹設部３１２ｂと、第３溝３１３から流入する球を受け止めると共に振り分け装置３４０の回り止めとして作用する受け壁部３１２ｃと、球を送球する検出口３１２ｄと、凹設部３１２ｂと対面配置される側壁部３１２ｅと、を主に備える。
【００９４】
支持板部３１４は、スライド移動部材３２１の案内棒部３２１ｃが挿通される一対の長孔３１４ａを備える。この長孔３１４ａは、第１調整装置３３０の長孔３３１ａと向きを同じくして構成される（前後方向で重なる態様で構成される）。
【００９５】
減速装置３２０は、第１溝３１１を球が通過することによりスライド移動するスライド移動部材３２１と、そのスライド移動部材３２１に歯合されると共に球に当接され回転する風車部材３２２と、を主に備える。
【００９６】
スライド移動部材３２１は、本体部材３１０の長孔３１４ａと、後述する第１調整装置３３０の長孔３３１ａとに案内されて、直線動作可能とされる。
【００９７】
風車部材３２２は、軸受け部３１１ｄに軸支されると共に奥側の端部にスライド移動部材３２１と歯合されるギア部を有する本体ギア部３２２ａと、その本体ギア部３２２ａの軸部分から放射状に一対が延設されると共に互いに９０°の角度を成す第１延設羽部３２２ｂと、第２延設羽部３２２ｃと、を主に備える。
【００９８】
図７に示すように、第１延設羽部３２２ｂと、第２延設羽部３２２ｃとは、天板部開口３１１ｃから第１溝３１１ａ内部へ向けて張出可能に構成されると共に、第１溝３１１ａを流下する球に当接され、スライド移動部材３２１が重力で下端位置に維持される初期状態において第１延設羽部３２２ｂが球に当接可能な位置に配置される。
【００９９】
第２延設羽部３２２ｃは、その延設方向先端部の、図６の状態から第１溝３１１に近接する方向に先細り形状で凸設される凸設部３２２ｃ１を備える。凸設部３２２ｃ１は、球が２球連続で第１溝を流下した場合にそれらの球を切り離す態様で作用する。
【０１００】
第１調整装置３３０は、本体部材３１０を遊技盤１３との間に挟む板状部材である本体板部材３３１と、その本体板部材３３１に軸支されると共に風車部材３２２の本体ギア部３２２ａと歯合される固定ギア部３３２ａを有する回転付勢装置３３２と、を主に備える。なお、風車部材３２２の本体ギア部３２２ａに対する固定ギア部３３２ａのギア比は約２とされる。即ち、風車部材３２２が９０°回転することに伴って、回転付勢装置３３２は４５°回転する。
【０１０１】
本体板部材３３１は、スライド移動部材３２１を案内する長孔であって一対で構成される長孔３３１ａを備え、同形状の長孔３１４ａが対向配置される支持板部３１４にも形成される。これら長孔３１４ａ，３３１ａに案内されることによりスライド移動部材３２１が直進方向にスライド移動可能に構成される。
【０１０２】
回転付勢装置３３２は、本体板部材３３１に軸支される固定ギア部３３２ａと、その固定ギア部３３２ａに軸方向端部において固着され内部に凹設溝を有する機能円盤装置３３２ｂと、を主に備える。
【０１０３】
振り分け装置３４０は、本体部材３１０の第２溝３１２の右方において本体部材３１０に中心孔３４５で軸支される装置であって、図６に示す初期状態において、第２溝３１２ｂから流入する球を受け止める第１壁部３４１と、その第１壁部３４１の上方に球１個分離間して対向配置される第２壁部３４２と、その第２壁部３４２の先端部から振り分け装置３４０の回転軸を中心とする円弧形状に沿って形成される円弧壁部３４３と、円盤形状から形成され第２溝３１２の凹設部３１２と面位置に配置されると共に第２溝３１２の奥側の板部の一部を補完する態様で形成される補完板部３４４と、本体部材３１０に軸支される貫通孔である中心孔３４５と、を主に備える。
【０１０４】
第２壁部３４２は、延設先端に径方向に凸設される先端凸部３４２ａを備える。先端凸部３４２ａにより、円弧壁部３４３に当接して流下する球によって、振り分け装置３４０に正面視反時計回り（図６において反時計回り）の負荷を与えることができ、球の作用で意図せず振り分け装置３４０が初期位置側に復帰することを抑制することができる。
【０１０５】
振り分け装置３４０の初期位置は、遊技盤１３の後方へ凸設されるストッパ部Ｓ１により規定される。即ち、初期位置において、円弧壁部３４３の先端がストッパ部Ｓ１に止められることで、振り分け装置３４０は停止する。振り分け装置３４０を正面視時計回り（図６時計回り）に回転させる駆動力は第２調整装置３５０により生じる。
【０１０６】
第２調整装置３５０は、振り分け装置３４０の補完板部３４４に固定される装置であって、内部において重心を変化させる疑似重心球ＧＢが移動可能な流路を有する装置であるが、詳細は図１５で後述する。
【０１０７】
図８は、図６のＶＩＩＩ−ＶＩＩＩ線における遅延デバイス３００の部分断面図である。図８に示すように、スライド移動部材３２１が本通路３１１ａの中心部分に配置される。これにより、スライド移動部材３２１が本通路３１１ａの内側に張出た際に、第１溝３１１を流下する球に凸設部３２１ａ１を確実に当接させることができる。
【０１０８】
本通路３１１ａを流下する球は、その形状関係から奥側凹設部３１１ｅに流入し得る。奥側凹設部３１１ｅは、下流側（図８左側）へ向かうほど本通路３１１ａ側に近接する態様で構成される戻し壁部３１１ｅ１を有する。これにより、奥側凹設部３１１ｅに流入した球を本通路３１１ａに戻すことができず、球詰まりが生じることを抑制することができる。
【０１０９】
次いで、図９及び図１０を参照してスライド移動部材３２１について説明する。図９は、スライド移動部材３２１の正面斜視図であり、図１０（ａ）は、スライド移動部材３２１の正面図であり、図１０（ｂ）は、図１０（ａ）の矢印Ｘｂ方向視におけるスライド移動部材３２１の側面図であり、図１０（ｃ）は、図１０（ａ）の矢印Ｘｃ方向視におけるスライド移動部材３２１の上面図であり、図１０（ｄ）は、図１０（ａ）のＸｄ−Ｘｄ線におけるスライド移動部材３２１の部分断面図である。
【０１１０】
図９及び図１０に示すように、スライド移動部材３２１は、遅延デバイス３００の本通路３１１ａの中央部分に本通路と平行な面で張り出す長尺板状の第１張出板部３２１ａと、その第１張出板部３２１ａの一方の端部に連設され第１張出板部３２１ａの延設方向に対して下降傾斜して延設される第２張出板部３２１ｂと、各張出板部３２１ａ，３２１ｂの長尺方向両端部において一対が平行に延設さえる丸棒形状の案内棒部３２１ｃと、各張出板部３２１ａ，３２１ｂに対して奥行き方向（図１０（ａ）紙面垂直方向）にオフセットされた位置において直線上に延設されると共にラックギア歯が形成されるラックギア部３２１ｄと、を主に備える。
【０１１１】
第１張出板部３２１ａは、組立状態（図６参照）において、本通路３１１ａの延設方向と平行な方向に延設される板部分であって、球の直径間隔で配設されると共に上面から半円形状に凸設される凸設部３２１ａ１を備える。凸設部３２１ａ１が球に当接することにより、本通路３１１ａ（図８参照）を通る球の速度が減速される。
【０１１２】
第２張出板部３２１ｂは、凸設部３２１ａ１と同様の作用を生じる凸設部３２１ｂ１と、奥側へ向けて下降傾斜する傾斜面３２１ｂ２（図１０（ｄ）参照）と、を備える。第２張出板部３２１ｂが本通路３１１ａの内側に張り出している場合、傾斜面３２１ｂ２により、流下する球が奥側凹設部３１１ｅへ向かい易い状態となる（図８参照）。従って、本通路３１１ａを、その延設方向に沿って、球が一直線に流下する場合に比較して、球の通過期間を長くすることができる。
【０１１３】
第１張出板部３２１ａと第２張出板部３２１ｂは延設方向が異なるので、第１延設板部３２１ａが本通路３１１ａの内側に張り出す一方で第２張出板部３２１ｂは本通路３１１ａの外側に配置される状態が形成可能とされる。即ち、スライド移動部材３２１の配置によって、球の減速の度合いを変更可能に構成されるが、詳細は後述する。
【０１１４】
案内棒部３２１ｃは、第１調整装置３３０の長孔３３１ａに挿通される（図６参照）。これにより、長孔３３１ａの延設方向に沿ってスライド移動部材３２１がスライド移動可能に支持される。
【０１１５】
ラックギア部３２１ｄは、長孔３３１ａの延設方向と平行に延設され、ラックギア歯が風車部材３２２の本体ギア部３２２ａに歯合される（図６参照）。これにより、風車部材３２２が回転することにより、ラックギア部３２１ｄが直線方向（長孔３３１ａの延設方向）にスライド動作される。
【０１１６】
次いで、図１１及び図１２を参照して、振り分け装置３４０及び第２調整装置３５０について説明する。図１１は、振り分け装置３４０及び第２調整装置３５０の正面斜視図であり、図１２（ａ）は、振り分け装置３４０及び第２調整装置３５０の正面図であり、図１２（ｂ）は、図１２（ａ）の矢印ＸＩＩｂ方向視における振り分け装置３４０及び第２調整装置３５０の側面図であり、図１２（ｃ）は、図１２（ａ）の矢印ＸＩＩｃ方向視における振り分け装置３４０及び第２調整装置３５０の上面図であり、図１２（ｄ）は、図１２（ａ）のＸＩＩｄ−ＸＩＩｄ線における振り分け装置３４０及び第２調整装置３５０の部分断面図である。なお、図１２（ｄ）では、疑似重心球ＧＢが減速壁部３５１ｄに乗った状態が図示される。
【０１１７】
図１１及び図１２に示すように、補完板部３４４の正面側は各壁部３４１，３４２，３４３の占める部分を除き開放され、球を流下させる通路の側壁として利用される（図６参照）。
【０１１８】
第２調整装置３５０は、補完板部３４４の背面側に固着されると共に内部に疑似重心球ＧＢを流下させる流路が凹設される重心変化装置３５１と、その重心変化装置３５１の凹設部に蓋をする態様で重心変化装置３５１に固定される蓋部材３５２と、を主に備える。
【０１１９】
重心変化装置３５１は、浅い凹設部を有する円板形状の本体部材３５１ａと、その本体部材３５１ａに疑似重心球ＧＢが流下可能な幅で凹設される凹設溝部３５１ｂと、その凹設溝部を中心で仕切ると共に先端部分のみで疑似重心球ＧＢの通過を許容する仕切り壁３５１ｃと、その仕切り壁３５１ｃによって仕切られる流路の片側に延設されると共に疑似重心球の流下を減速させる減速機構を有する減速壁部３５１ｄと、仕切り壁３５１ｃの一方の端部（図１２（ａ）下端部）に揺動可能に軸支されると共に疑似重心球ＧＢの一方向（図１２（ａ）右向き方向）の通過のみを許容する方向弁３５１ｅと、を主に備える。
【０１２０】
第２調整装置３５０の疑似重心球ＧＢを除く重心位置は回転中心と同じに設定される。即ち、疑似重心球ＧＢが回転中心に対してどの位置に配置されるかにより、振り分け装置３４０が安定する姿勢が決定される。
【０１２１】
ここで、疑似重心球ＧＢは、球の重量以下の球状物から構成される。例えば、球の重量が５グラムであれば、疑似重心球ＧＢとしては、２〜４グラム程度の球状物を選択することが望ましい。これにより、振り分け装置３４０に流入した球と疑似重心球ＧＢとで力が釣り合う事態を回避することができ、振り分け装置３４０を球の重さで回転させることが可能となる。
【０１２２】
図１２（ｄ）を参照して、減速壁部３５１ｄの減速機構について説明する。減速壁部３５１ｄは、球の両側を下側から支持し、その状態で球が転動する部分である。図１２（ｄ）に示すように、疑似重心球ＧＢは、回転軸からの長さが最大径（半径ｒ１）となる部分（図１２（ｄ）左右方向中央部分）で転動するのではなく、回転軸からの長さが最大径よりも短い半径（半径ｒ’１）となる部分で減速壁部３５１ｄと当接して転動する。そのため、疑似重心球ＧＢの回転数が同じである場合、疑似重心球ＧＢが仕切り壁３５１ｃの上を転動（半径ｒ１で転動）する時の疑似重心球ＧＢの速度に比較して、減速壁部３５１ｄの上を転動（半径ｒ’１で転動）する時の疑似重心球ＧＢの速度を遅くすることができる。
【０１２３】
即ち、疑似重心球ＧＢの一回転辺りの並進移動距離を短縮することができる。この方法により疑似重心球ＧＢを減速する場合、疑似重心球ＧＢの回転のエネルギーを保持したまま減速を行うことができるので、制動が効き過ぎて、疑似重心球ＧＢが意図しない位置で停止するという事態を回避することができる。
【０１２４】
また、減速壁部３５１ｄと疑似重心球ＧＢとの当接位置（疑似重心球ＧＢの転動半径）の設定によって疑似重心球ＧＢの減速の度合いを任意に設定できるので、特別な材料（高摩擦の材料等）は不要であると共に、減速壁部３５１ｄの形成距離が短い場合にも疑似重心球ＧＢを十分に減速させることができる。
【０１２５】
次いで、図１３及び図１４を参照して、遅延デバイス３００の動作について説明する。図１３及び図１４は、遅延デバイス３００の正面図である。図１３では、図６に示す初期状態において球が本体部材３１０を１球流れた直後の状態が図示され、図１４では、図１３の状態において球が本体部材３１０を１球流れた直後の状態が図示される。
【０１２６】
図１３及び図１４に示すように、球の通過により、振り分け装置３４０は初期状態（図６参照）と変化状態（図１３参照）とに姿勢変化し、減速装置３２０は、球の通過する個数によって、初期状態（図６参照）と、中間状態（図１３参照）と、上昇状態（図１３参照）とで状態（高さ方向の配置）が変化する。
【０１２７】
減速装置３２０の各状態について説明する。減速装置３２０が中間状態の場合、スライド移動部材３２１が移動し本通路３１１ａの底面から凸設部３２１ａが張り出す位置に配置される。従って、この状態において本通路３１１ａに流入した球は凸設部３２１ａに当接し、減速されながら流下することとなる。なお、中間状態では、第２張出板部３２１ｂが第１溝３１１の外側に配置される。
【０１２８】
減速装置３２０が上昇状態の場合、スライド移動部材３２１が本通路３１１ａの内部に更に張り出し、第２張出板部３２１ｂが奥側凹設部３１１ｅの底面よりも上方に配置される。第２張出板部３２１ｂは上面に傾斜面３２１ｂ（図１０参照）を有しているので、この状態において本通路３１１ａに流入した球は傾斜面３２１ｂの傾斜に沿って奥側凹設部３１１ｅに流入し、奥側凹設部３１１ｅの下端部まで流れた後で再度、本通路３１１ａと合流する。
【０１２９】
減速装置３２０が上昇状態の場合、第１張出板部３２１ａが本通路３１１ａの内側に張り出することにより、本通路３１ａの道幅（高さ方向の幅）が狭まる。また、本実施形態では、スライド移動部材３２１が本通路３１１ａの延設方向に対して傾斜する方向にスライド移動することにより、第２溝３１２の当接壁３１２ａと第１張出板部３２１ａの端部との幅が狭まる。従って、球の減速を、本通路３１１ａの道幅を狭めることと、第１溝３１１と第２溝３１２との連結部分の道幅を狭めることで流路抵抗を上昇させることにより行うことができる。
【０１３０】
振り分け装置３４０の各状態について説明する。振り分け装置３４０が初期状態（図６参照）の場合、振り分け装置３４０へ流入する球は第１壁部３４１に受け止められる。すると、球の重さで振り分け装置３４０が変化状態（図１３参照）まで回転し、球は検出口３１２ｄへ流入する。
【０１３１】
ここで、本実施形態では、側壁部３１２ｅが第１壁部３４１よりも上方へ張り出して（球の半径以上の高さで張り出して）構成されるので、球が第３溝３１３側へ流入することが抑制される。従って、振り分け装置３４０が初期状態の場合に振り分け装置３４０に流入した球を高確率で鉛直下方に流下させることができる（最短期間で流下させることができる）。
【０１３２】
振り分け装置３４０が変化状態（図１３参照）の場合、振り分け装置３４０へ流入する球は円弧壁部３４３に当接し、第３溝３１３へ流入する。なお、円弧壁部３４３は振り分け装置３４０の中心孔３４５を中心とした円弧形状から形成されるので、球が衝突した場合の負荷が振り分け装置３４０の回転軸へ向けた方向へかけられることから、振り分け装置３４０に回転方向の負荷を与えることが抑制される。
【０１３３】
従って、変化状態の場合に振り分け装置３４０に流入する球が振り分け装置３４０に与える衝撃により、振り分け装置３４０が意図せず初期状態へ復帰する事態を避けることができ、所定期間、振り分け装置３４０が変化状態を維持することを確実にすることができる。
【０１３４】
次いで、図１５を参照して、振り分け装置３４０の姿勢変化タイミングの調整について説明する。図１５（ａ）から図１５（ｃ）は、回転軸に直交する平面における第２調整装置３５０の断面図である。図１５（ａ）から図１５（ｃ）では、重心変化装置３５１の内部構造が視認可能とされ、図１５（ａ）では、振り分け装置３４０が初期状態（図６参照）とされた場合が図示され、図１５（ｂ）では、振り分け装置３４０が変化状態（図１３参照）とされた場合が図示され、図１５（ｃ）では、振り分け装置３４０が変化状態から初期状態へ戻りきる直前の状態が図示される。
【０１３５】
図１５に示すように、第２調整装置３５０では、その姿勢変化に伴って、疑似重心球ＧＢが凹設溝部３５１ｂの内部を移動する。それにより、第２調整装置３５０の重心位置が変動し、第２調整装置３５０が停止と回転とを繰り返す。
【０１３６】
第２調整装置３５０の動作について説明する。図１５（ａ）に示すように、振り分け装置３４０が初期状態（図６参照）の場合において、疑似重心球ＧＢは中心孔３４５の右側に配置されることから、疑似重心球ＧＢの重さによって第２調整装置３５０を正面視時計回り（図１５時計回り）に回転させる方向に負荷が与えられる。これにより、遊技機１０（図１参照）が多少振動しても、振り分け装置３４０が姿勢を初期位置に維持することができる。
【０１３７】
図１５（ｂ）に示すように、振り分け装置３４０が変化状態（図１３参照）とされると、仕切り壁３５１ｃと方向弁３５１ｅとの成す傾斜が、左方へ向かうほど下降傾斜する態様とされると共に、減速壁部３５１ｄの成す傾斜が、右方へ向かうほど下降傾斜する態様とされる。そのため、疑似重心球ＧＢが、仕切り壁３５１ｃの上側を転動し矢印Ｌ１に沿って左方へ流れ、端部で減速壁部３５１ｄに落下し、減速壁部３５１ｄの上側を転動し矢印Ｌ２に沿って右方へ流れるという動作を行う。
【０１３８】
これにより、疑似重心球ＧＢを中心孔３４５の左方へ送ることができるので、疑似重心球ＧＢの重さによって第２調整装置３５０を正面視反時計回り（図１５反時計回り）に回転させる方向に負荷が与えられる。これにより、振り分け装置３４０を一定期間（疑似重心球ＧＢが中心孔３４５の右方へ通過するまでの期間）変化状態に維持することができる。
【０１３９】
その変化状態に維持する期間は、減速壁部３５１ｄにより疑似重心球ＧＢを減速させる度合いにより任意に変化させることができる。例えば、減速壁部３５１ｄにより疑似重心球ＧＢの流下速度を半分にすれば、振り分け装置３４０を変化状態に維持する期間を２倍とすることができる。
【０１４０】
なお、減速壁部３５１ｄの態様としては、様々な態様が例示される。例えば、疑似重心球ＧＢが減速壁部３５１ｄと当接する点の回転半径を小さくすることにより疑似重心球ＧＢの並進移動速度を減速させる方法が例示される（図１２（ｄ）参照）。即ち、疑似重心球ＧＢの回転を最大径部分（中心部分）で受けるのでは無く、直径が小さくなる部分（端部付近）で受けることにより、疑似重心球ＧＢの一回転辺りの並進移動距離を短縮し、回転数を落とすことなく疑似重心球ＧＢを減速させる方法である。この方法によれば、疑似重心球ＧＢの回転数を低下させる場合に比較して、減速壁部３５１ｄを通過した後の疑似重心球ＧＢの並進速度を大きくすることができる。
【０１４１】
そのため、減速壁部３５１ｄの右端に到達した直後において、疑似重心球ＧＢを大きな速度で右方へ送球することができ、疑似重心球ＧＢが減速壁部３５１ｄの右端に到達した直後から、図１５（ｃ）に示す状態へ状態変化するまでの期間を短縮することができる。
【０１４２】
図１５（ｃ）に示すように、振り分け装置３４０が変化状態から初期状態へ状態変化する前後において、疑似重心球ＧＢが方向弁３５１ｅを通過する。方向弁３５１ｅは、図１５（ｃ）に示すように、疑似重心球ＧＢが右方へ流れることは許容する一方で、疑似重心球ＧＢが左方へ流れることは防止する態様とされる。これにより、疑似重心球ＧＢが跳ね返って中心孔３４５の左方へ戻ることを防止することができる。
【０１４３】
本実施形態では、振り分け装置３４０が変化状態に変化してから、初期状態へと戻るまでの期間が、入賞口６４（図２参照）の保留球数が４個の場合に選択されやすい変動期間（最短の変動期間）よりも長い期間に設定される。
【０１４４】
そのため、振り分け装置３４０が初期状態の時に球が振り分け装置に入球され、その球が検出口３１２ｄ（図６参照）に入球したことにより入賞口６４の保留球数が４個となった場合に、その後で開始される変動が終わる前（入賞口６４の保留球数に空きができる前）に振り分け装置３４０に入球した球はもれなく第３溝３１３（図１３参照）へ振り分けられる。そして、第３溝３１３を球が通過する間に入賞口６４の１の変動が終了し、入賞口６４の保留球数に空きができることで、入賞口６４でオーバーフロー（保留球数が最大の状態で検出口３１２ｄに球が入球することにより、球が入球したにも関わらず、抽選の機会を得られない状態）が生じることを防止することができる。
【０１４５】
なお、第３溝３１３での球の減速の度合いは、様々な方法で設定することができる。例えば、球が転動する底壁に高摩擦のシートを貼ることにより、球を減速させても良い。
【０１４６】
ここで、第１の設定例として、第３溝３１３を球が通過仕切るまでの期間を、例えば、入賞口６４の保留球数が４個の場合に選択されやすい変動期間（最短の変動期間）よりも長い期間に設定することにより、球が２個連続で振り分け装置３４０に入球した場合に、１個目の球が検出口３１２ｄに入球してから２個目の球が第３溝３１３を通過して検出口３１２ｄに入球するまでの期間を入賞口６４の保留球数が４個の場合に選択されやすい変動期間（最短の変動期間）よりも長くすることができる。これにより、入賞口６４でオーバーフローが生じることを抑制することができる。
【０１４７】
また、第２の設定例として、第３溝３１３を球が通過仕切るまでの期間を、例えば、入賞口６４の保留球数が３個の場合に選択されやすい変動期間と、保留球数が４個の場合に選択されやすい変動期間（最短の変動期間）とを合算した期間よりも長い期間に設定することにより、第３溝３１３に球が２個連続で入球された場合でも、１個目の球が検出口３１２ｄに入球してから２個目の球が第３溝３１３を通過して検出口３１２ｄに入球するまでの期間で２回の変動が消化されるので、その後、球が２個検出口３１２ｄに入球したとしても、オーバーフローが生じることを抑制することができる。
【０１４８】
次いで、図１６を参照して、機能円盤装置３３２ｂについて説明する。機能円盤装置３３２ｂは、本体板部材３３１（図７参照）との間に配置される疑似重心球ＧＢが移動する事により、第２調整装置３５０と同様に重心位置が変化して、機能円盤装置３３２ｂに与えられる負荷の方向が変化する装置である。
【０１４９】
図１６（ａ）から図１６（ｄ）は、機能円盤装置３３２ｂを回転軸に垂直な平面で断面視した機能円盤装置３３２ｂの断面図である。図１６（ａ）では、減速装置３２０が初期状態の場合（図６参照）が図示され、図１６（ｂ）では、減速装置３２０が初期状態から中間状態（図１３参照）に状態変化した直後が図示され、図１６（ｃ）では、減速装置３２０が中間状態から上昇状態（図１４参照）に状態変化した直後が図示され、図１６（ｄ）では、減速装置３２０が中間状態から初期状態に状態変化した直後の状態が図示される。
【０１５０】
図１６に示すように、機能円盤装置３３２ｂは、疑似重心球ＧＢが移動可能な深さで背面側から凹設される凹設溝部３３２ｂ１と、球の通過可能な箇所を限定する態様で仕切る仕切り壁３３２ｂ２と、その仕切り壁３３２ｂ２の下側に球を転動可能な板部分として配設され仕切り壁３３２ｂ２の端部から所定幅張り出す態様で形成されると共に疑似重心球ＧＢの流下を減速させる第１減速壁部３３２ｂ３と、その第１減速壁部３３２ｂ３を挟んで仕切り壁３３２ｂ２の反対側に配置されると共に疑似重心球ＧＢの流下を減速させる第２減速壁部３３２ｂ４と、疑似重心球ＧＢの通過を左側から右側への一方向に限る方向弁３３２ｂ５と、を主に備える。
【０１５１】
なお、疑似重心球ＧＢとして、便宜上、第２調整装置３５０に収容される疑似重心球ＧＢと同一の符号を使用するものであって、疑似重心球ＧＢの形状や重さが同一なものに限る趣旨では無い。
【０１５２】
機能円盤装置３３２ｂは、疑似重心球ＧＢを第１減速壁部３３２ｂ３で流下させて方向弁３３２ｂ５を通過させる事もできるし、第２減速壁部３３２ｂ４で流下させる方向弁３３２ｂ５を通過させる事もできる。以下、機能円盤装置３３２ｂの動作について詳細に説明する。なお、図６、図１３及び図１４を適宜参照する。
【０１５３】
図１６（ａ）に示すように、減速装置３４２０が初期状態（図６参照）の場合には、仕切り板３３２ｂが右方へ向けて下降傾斜する態様とされ、疑似重心球ＧＢは機能円盤装置３３２ｂの右側部に維持される。これにより、回転付勢装置３３２からスライド移動部材３２１に対して、スライド移動部材３２１を下方に維持する負荷がかけられる（図６参照）。従って、遊技機１０（図１参照）が振動した場合に、スライド移動部材３２１が上下動作することを抑制することができる。
【０１５４】
図１６（ｂ）に示すように、減速装置３４２０が中間状態（図１３参照）の場合には、仕切り板３３２ｂ２は左方へ下降傾斜する態様とされる一方で、第１減速壁部３３２ｂ３は右方へ下降傾斜する態様とされる。従って、疑似重心球ＧＢは、矢印Ｌ３に沿って仕切り板３３２ｂ２の上面を左方へ転動した後、矢印Ｌ４に沿って第１減速壁部３３２ｂ３の上面を右方へ転動することにより疑似重心球ＧＢが機能円盤装置３３２ｂの回転中心の右側へ送られ、機能円盤装置３３２ｂを初期状態へ戻す方向（図１６時計回りに回転させる方向）へ負荷がかけられる。
【０１５５】
この疑似重心球ＧＢの流下途中において、図１６（ｂ）に示すように、疑似重心球ＧＢが回転中心よりも左側に配置される状態では、昨日円盤装置３３２ｂを図１６（ｂ）において反時計回りに回転させる方向に負荷がかけられるので、重力によるスライド移動部材３２１の下降を留めることができる。また、球の重量によりスライド移動部材３２１が下降することを抑制することができる（下降しても、球がどいたら、すぐに上昇するという状態を形成することができる）。
【０１５６】
図１６（ｃ）に示すように、減速装置３４２０が上昇状態（図１４参照）の場合には、第１減速壁部３３２ｂ３は左方へ下降傾斜する態様とされる一方で、第２減速壁部３３２ｂ４は右方へ下降傾斜する態様とされる。従って、疑似重心球ＧＢは、矢印Ｌ５に沿って第１減速壁部３３２ｂ３の上面を左方へ転動した後、矢印Ｌ６に沿って第２減速壁部３３２ｂ４の上面を右方へ転動することにより疑似重心球ＧＢが機能円盤装置３３２ｂの回転中心の右側へ送られ、機能円盤装置３３２ｂを初期状態へ戻す方向（図１６時計回りに回転させる方向）へ負荷がかけられる。
【０１５７】
疑似重心球ＧＢが第１減速壁部３３２ｂ３の上面を転動している際に本通路３１１ａを球が通過して減速装置３２０が上昇状態まで移動すると共に機能円盤装置３３２ｂが図１６（ｃ）に示す姿勢となる場合、疑似重心球ＧＢは、その後で第１減速壁部３３２ｂ３で減速され、更に第２減速壁部３３２ｂ４で減速されることになるので、減速装置３２０が中間状態とされる場合（図１３参照）に比較して、疑似重心球ＧＢが回転中心よりも右方に配置されるまでの期間が長くされる。従って、中間状態（図１３参照）に維持される期間に比較して、減速装置３２０を上昇状態（図１４参照）に長く維持することができる。
【０１５８】
図１６（ｄ）に示すように、第１減速壁部３３２ｂ３又は第２減速壁部３３２ｂ４に配置された疑似重心球ＧＢが機能円装置３３２ｂの中心よりも右方に配置されるとスライド移動部材３２１の重みにより減速装置３２０が動作し、機能円盤装置３３２ｂが初期状態と同じ姿勢とされると共に、疑似重心球ＧＢが第１減速壁部３３２ｂ３又は第２減速壁部３３２ｂ４から排出され凹設溝部３３２ｂ１を転動する。この疑似重心球ＧＢが方向弁３３２ｂ５を通過することにより、機能円盤装置３３２ｂが初期状態（図１６（ａ）参照）に復帰する。
【０１５９】
図１７及び図１８を参照して、遅延デバイス３００の内部を流下する球の流下パターンについて説明する。図１７（ａ）、図１７（ｂ）、図１８（ａ）及び図１８（ｂ）は、遅延デバイス３００の部分正面図である。図１７（ａ）、図１７（ｂ）、図１８（ａ）及び図１８（ｂ）では、入賞口６４から球Ｐ１〜Ｐ３が３個連なって入球された場合が図示され、図１８（ａ）では、球Ｐ１〜Ｐ３が風車部材３２２の手前に配置された状態が図示され、図１８（ｂ）では、球Ｐ１と球Ｐ２とが風車部材３２２の第２延設羽部３２２ｃに切り離された状態が図示され、図１８（ｃ）では、球Ｐ２が第２延設羽部３２２ｃを押し進んで振り分け装置３４０に到達した状態が図示され、図１８（ｄ）では、球Ｐ３が第２溝３１２に侵入し始める状態が図示される。
【０１６０】
なお、図１７（ａ）、図１７（ｂ）、図１８（ａ）及び図１８（ｂ）では、構造図面の右下のスペースに、球Ｐ１〜Ｐ３が入賞口６４に入球してからの状況を示すグラフが図示される。また、球Ｐ１〜Ｐ３が入賞口６４に入球するタイミングは実際には僅かに（０．２秒程度）ずれが生じるが、グラフは、理解を容易にするために、球Ｐ１〜Ｐ３が入賞口６４に同時に入球したものとして図示されると共に、横軸を経過時間Ｔとして構成される。
【０１６１】
グラフでは、球Ｐ１〜Ｐ３が入賞口６４に入球するタイミング（「ＩＮ」）と、検出口３１２ｄに入球するタイミング（「ＯＵＴ」）とが図示されると共に、球Ｐ１〜Ｐ３が、いつどの区間を流下するのかが、符号で図示される。また、図１７（ａ）、図１７（ｂ）、図１８（ａ）及び図１８（ｂ）に示す状態がグラフのどのタイミングを表すかについて、該当する図面において、三角マークで図示される。
【０１６２】
図１７（ａ）に示すように、風車部材３２２に到達するまでは、球Ｐ１〜Ｐ３は第１溝３１１を同様の条件で流下し、その速度に差は生じない。
【０１６３】
図１７（ｂ）に示すように、１球目の球Ｐ１が風車部材３２２の第１延設羽部３２２ｂを押し進んで、第２延設羽部３２２ｃに２球目の球Ｐ２が切り離されると、先行する球Ｐ１は凸設部３２１ａ１に減速されることなく流下する一方で、球Ｐ２の下流側において凸設部３２１ａ１が本通路３１１ａの内部へ張り出される。従って、球Ｐ２及び球Ｐ３は、凸設部３２１ａ１と当接する際に、断続的に流下方向とは反対方向の負荷を与えられ、減速する。これにより、球Ｐ１と、球Ｐ２との間の間隔を空けることができるので、例えば、球が２球同時に振り分け装置３４０に入球されることにより球が詰まり、動作不良が生じることを予防することができる。
【０１６４】
なお、本実施形態では、球Ｐ１が第１溝３１１を通過するのに要する第１溝通過第１期間が２秒とされ（Ｔ１１＝２ｓ）、球Ｐ１が通過してから減速装置３２０が（中間状態から）初期状態へ復帰開始するまでの期間である減速復帰第１開始期間は５秒とされ、復帰開始後１秒で減速装置は初期状態へ復帰するように設定される。
【０１６５】
また、球Ｐ１が第２溝３１２へ入球してから検出口３１２ｄへ入球するまでの期間である第２期間Ｔ２が１．５秒とされる（Ｔ２＝１．５ｓ）。なお、第２期間Ｔ２は、振り分け装置３４０へ到達する前の１秒間である第２期間前半Ｔ２ａ（Ｔ２ａ＝１ｓ）と、振り分け装置３４０を通過した後の０．５秒間である第２期間後半Ｔ２ｂ（Ｔ２ｂ＝０．５ｓ）とに分けられ、振り分け装置３４０の状態によらず、第２溝３１２を球が通過する期間は不変とされる。
【０１６６】
図１８（ａ）に示すように、２球目の球Ｐ２が風車部材３２２の第２延設羽部３２２ｃを押し進むと、先行する球Ｐ２は第２溝へ流入する一方で、球Ｐ３は、スライド移動部材３２１の傾斜面３２１ｂ２に沿って奥側凹設部３１１ｅに流入する。これにより、凸設部３２１ａ１によって減速されるのに加え、球Ｐ３は奥側凹設部３１１ｅを通る分だけ流下経路が延長されるので、球Ｐ２と球Ｐ３との間隔を空けることができる。
【０１６７】
なお、本実施形態では、球Ｐ２が第１溝３１１を通過するのに要する第１溝通過第２期間Ｔ１２が３秒とされ（Ｔ１２＝３ｓ）、球Ｐ３が第１溝３１１を通過するのに要する第１溝通過第３期間Ｔ１３が６秒とされる（Ｔ１３＝６ｓ）。また、球Ｐ２が通過してから減速装置３２０が（上昇状態から）初期状態へ復帰開始するまでの期間である減速復帰第２開始期間は７秒とされ、復帰開始後２秒で減速装置は初期状態へ復帰するように設定される。
【０１６８】
また、球Ｐ２は振り分け装置３４０の円弧壁部３４３に当接され、第３溝３１３に流入されるので、球Ｐ１に比較して、検出口３１２ｄまでの経路が延長される。従って、球Ｐ１と球Ｐ２との間の間隔を広げることができる。
【０１６９】
なお、本実施形態では、球Ｐ２，Ｐ３が第３溝３１３を通過するのに要する第３期間Ｔ３が３秒とされる（Ｔ３＝３ｓ）。また、振り分け装置３４０が変化状態に状態変化してから初期状態へ復帰開始するまでの期間である振り分け維持期間ＢＴ１が４秒となる態様で、第２調整装置３５０の疑似重心球ＧＢの速度が設定される（ＢＴ１＝４ｓ）。
【０１７０】
図１８（ｂ）に示すように、減速装置３２０が上昇状態の場合には、第１張出板部３２１ａの端部と、当接壁３１２ａとの間の距離が球の直径と同程度とされる。従って、球Ｐ２，Ｐ３は、第１張出板部３２１ａの端部と、当接壁３１２ａとの間を通過する際に大きな抵抗をかけられ、勢いが落とされる。これにより、球Ｐ１と、球Ｐ２，Ｐ３との間隔を広げることができる。
【０１７１】
図１８（ｂ）に示すように、球Ｐ２が第３溝３１３を流下して、第１壁部３４１を受け壁部３１２ｃへ押し付けることで、振り分け装置３４０を変化状態に維持し易くすることができる。
【０１７２】
グラフに示すように、球Ｐ３が振り分け装置３４０に流入するタイミングにおいても振り分け装置３４０が変化状態に維持される（振り分け装置３４０が変化状態へ状態変化してから振り分け維持期間ＢＴ１だけ経過したタイミングで球Ｐ３が振り分け装置３４０へ到達する）。そのため、球Ｐ３が第３溝３１３へ流入される。これにより、球Ｐ２と球Ｐ３との間隔が縮まることを防止することができる。
【０１７３】
グラフに示すように、本実施形態によれば、球Ｐ１〜Ｐ３が入賞口６４に連なって入球した場合、球Ｐ１と球Ｐ２とは４秒間隔で検出口３１２ｄに入球し、球Ｐ２と球Ｐ３とは３秒間隔で入球する。本実施形態では、入賞口６４の保留球数が最大となった後に選択される１の変動期間が３秒に設定されるので、図１７及び図１８の場合、入賞口６４でオーバーフローが生じることを防止することができる。
【０１７４】
また、本実施形態では、振り分け装置３４０が変化状態に維持される期間が、検出口３１２ｄに球が流入した際に入賞口６４の保留球数が最大となった後に選択される１の変動期間よりも長い期間とされるので、図１８（ａ）に示すように、その変動期間中に球Ｐ２が振り分け装置３４０に入球した場合に、その球Ｐ２を確実に第３溝３１３へ流入させることができる。これにより、球が連続で振り分け装置３４０に入球した場合に、オーバーフローが生じることを防止することができる。
【０１７５】
従って、球Ｐ１〜Ｐ３が３個連なって入賞口６４に入球した場合でも、それらが検出口３１２ｄに入球されるタイミングをずらすことができ、入賞口６４でオーバーフローが生じることを抑制することができる。これにより、遊技者が特別注意しなくとも、入賞口６４に球が入球したのに抽選を受けられないという事態を回避することができ、遊技を快適に行うことができる。
【０１７６】
なお、本実施形態では、球Ｐ３の後方に連なって、もう一個の球が入賞口６４に入球する場合（４球連続で入球する場合）、４個目の球と、球Ｐ３とが検出口３１２ｄへ入球するタイミングをずらすことはできない。そのため、入賞口６４の保留球数が３個の状態で、入賞口６４に球を４個も入球させるような遊技をしないように、止め打ちを推奨することが望ましい。
【０１７７】
また、グラフに示すように、球Ｐ１〜Ｐ３が入賞口６４へ連続で入球する場合において、例えば、球Ｐ３が球Ｐ１の入賞口６４への入球後１秒以上の間隔を空けて入賞口６４へ入球する場合、球Ｐ３が振り分け装置３４０へ到達する頃には、振り分け装置３４０は初期状態へ復帰されているので、球Ｐ３が第２溝３１２を鉛直方向に流下し検出口３１２ｄへ入球する。この場合、球Ｐ３の遅延期間が十分ではなく、入賞口６４におけるオーバーフローを抑制することができない。
【０１７８】
そのため、３球目が入賞口６４へ入る場合にオーバーフローが抑制される効果を、限られた状況（球Ｐ１及び球Ｐ２が連続で入賞口６４へ入球した後、球Ｐ１が入球してから１秒以内に球Ｐ３が入賞口６４へ入球する状況）でのみ奏するものとすることができるので、遊技者が止め打ちを行う必要性は残しながら、たまたま止め打ち（入賞口６４の保留球数が３の状態で球の打ち出しを停止すること）を忘れてしまった場合に、幸運にも状況が揃えば入賞口６４でオーバーフローが生じないという状況をつくることができる。
【０１７９】
これにより、止め打ちを行う遊技者と、止め打ちを行わない遊技者との間で、入賞口６４への球の入球個数に対する抽選の機会の数に明確な違いを形成可能としながら、入賞口６４の保留球数が３の場合に、連続で球が３個も入賞口６４に入球するという、まれな状況では、３個目の球Ｐ３についても入賞口６４でのオーバーフローが生じない条件を厳しくし（入球間隔を限定し）、オーバーフローが生じなかった際の貴重さを演出することができる。
【０１８０】
これにより、止め打ちを行う遊技者に対しては、より慎重に止め打ちを行わせることができるので（保留球数に注目させて早い段階で打ち出しを止めさせることができるので）、抽選の機会をより多く獲得するためのハンドル５１（図１参照）の操作を熱中して行わせることができ、遊技者の興趣を向上させることができる。
【０１８１】
次いで、図１９及び図２０を参照して、遅延デバイス３００に球Ｐ４，Ｐ５が間隔を空けて入球した場合について説明する。図１９（ａ）、図１９（ｂ）及び図２０は、遅延デバイス３００の部分正面図である。図１９（ａ）では、減速装置３２０が初期状態の場合に球Ｐ４が風車部材３２２に到達した状態が図示され、図１９（ｂ）では、減速装置３２０が中間状態とされ、振り分け装置３４０が変化状態とされ、球Ｐ４が検出口３１２ｄに入球した０．５秒後（球Ｐ４が入球してから４秒後）に球Ｐ５が入賞口６４へ入球した場合が図示され、図２０では、球Ｐ５が振り分け装置３４０に入球される直前の状態が図示される。なお、図１９（ａ）、図１９（ｂ）、図２０では、構造図面の右下のスペースに、球Ｐ４，Ｐ５が入賞口６４に入球してからの状況を示すグラフが横軸を経過時間Ｔとして図示される。
【０１８２】
グラフでは、球Ｐ４，Ｐ５が入賞口６４に入球するタイミング（「ＩＮ」）と、検出口３１２ｄに入球するタイミング（「ＯＵＴ」）が図示されると共に、球Ｐ４，Ｐ５が、いつどの区間を流下するのかが、符号で図示される。また、図１９（ａ）、図１９（ｂ）、図２０に示す状態がグラフのどのタイミングを表すかが、該当する図面において三角マークで図示される。
【０１８３】
図２０に示す状態では、球Ｐ５は第３溝３１３へは入球されず、第２溝３１２を鉛直下方へ流下し、検出口３１２ｄへ入球する。ここで、球Ｐ４が検出口３１２ｄへ入球した直後の変動が終了する前に球Ｐ５が検出口３１２ｄへ入球すると、オーバーフローが生じる恐れがある。
【０１８４】
そのため、本実施形態では、球Ｐ５が中間状態の減速装置３２０を通過するのに要する第１溝通過第２期間Ｔ１２を、入賞口６４の保留球数が４個の時の変動の期間（３秒）以上に長く設定する態様としている（第１溝通過第２期間Ｔ１２を３秒としている）。この場合、球Ｐ５が第３溝３１３へ流入しない（第２溝３１２を鉛直方向に流下する）場合でも、球Ｐ５がスライド移動部材３２１の上を通過するまでの間に変動が終了するので、入賞口６４でオ−バーフローが生じることを防止することができる。この場合、球Ｐ５が第３溝３１３を流下しない分、球Ｐ５による抽選のタイミングを早めることができ、遊技者を飽きさせないようにすることができる。
【０１８５】
また、振り分け装置３４０が状態変化してから初期状態へ復帰開始するまでの振り分け維持期間ＢＴ１が４秒とされるので、球Ｐ４が入賞口６４へ入球してから３秒の間（入賞口６４の保留球数が４個の時の変動の期間）に入球した球を確実に第３溝３１３へ入球させることができる。また、その後振り分け装置３４０が初期状態へ復帰する直前までは、球を第３溝３１３へ入球させることができるので、球Ｐ４が入賞口６４へ入球してから４秒未満の間に入球した球を確実に第３溝３１３へ入球させることができる。これにより、球Ｐ４，Ｐ５が３秒以内の間隔で入賞口６４へ入球した場合であっても、入賞口６４でオーバーフローが生じることを防止することができる。
【０１８６】
次いで、図２１を参照して、振り分け装置３４０に連続して球が入球した場合について説明する。本実施形態では、例えば、減速装置３２０が上昇状態（図１４参照）の場合に、追加で球が２個連続で入賞口６４に入球する場合に発生する状態である（例えば、図１７（ａ）に示す球Ｐ１，Ｐ２が入球され、球Ｐ２が第２溝３１２へ入球した後で球が２個連続で入賞口６４に入球する場合に発生する状態である）。図２１（ａ）から図２１（ｃ）は、遅延デバイス３００の部分正面図である。図２１（ａ）では、振り分け装置３４０が初期状態とされ球Ｐ６が振り分け装置３４０に入球した状態が図示され、図２１（ｂ）では、球Ｐ６の重みで振り分け装置３４０が回転し、球Ｐ７が押し出された状態が図示され、図２１（ｃ）では、球Ｐ６が第２溝３１２を流下し、球Ｐ７が第３溝３１３を流下した状態が図示される。
【０１８７】
図２１（ａ）に示すように、振り分け装置３４０は、第１壁部３４１と第２壁部３４２との間に球が１球のみ収容可能な空間が設けられている。従って、球が２個連なって振り分け装置３４０に到達した場合には、１個目の球Ｐ６は振り分け装置３４０に収容されるが、２個目の球Ｐ７は収容されずに残留する。従って、球Ｐ６のみを単独で検出口３１２ｄへ流下させることができる。
【０１８８】
振り分け装置３４０の第２壁部３４２の先端に配設される先端凸部３４２ａは、球Ｐ７を外部に残留させる姿勢において（図２１（ｂ）参照）、球Ｐ７を第３溝３１３の入口へ向けて押し出す態様で形成される（先端凸部３４２ａと対向配置する位置に第３溝３１３の入口が形成される）。従って、球Ｐ７を第３溝３１３の奥側まで押し出すことができ、球Ｐ７が第３溝３１３の入口付近に留まることを抑制することができる。これにより、例えば、振り分け装置３４０が変化状態からすぐに初期状態に復帰する態様で設定とし場合でも、球Ｐ７が（第３溝３１３へ上手く押し込まれず）振り分け装置３４０に入球することを防止することができる。
【０１８９】
図２１（ｃ）に示すように、振り分け装置３４０を境に、球Ｐ６は検出口３１２ｄへ入球され、球Ｐ７は第３溝３１３を流下した後で検出口３１２ｄへ入球される。ここで、上述したように、第３溝３１３を球Ｐ７が流下する期間である第３期間Ｔ３が３秒とされ、その期間が入賞口６４の保留球数が最大となった後に選択される１の変動期間（３秒）以上とされるので、入賞口６４の保留球数が３個の場合に球Ｐ６が検出口３１２ｄに入球したとしても、球Ｐ７が検出口３１２ｄに入球する頃には１変動が終了する。従って、球Ｐ７が検出口３１２ｄに入球することにより、入賞口６４でオーバーフローが生じることを抑制することができる。
【０１９０】
本実施形態では、球Ｐ７が検出口３１２ｄに入球してから３秒以内に別の球が検出口３１２ｄに入球する場合、その球に関しては、入賞口６４でのオーバーフローが生じる構成とされる。これにより、短期間に入球する球が２個までであればオーバーフローを抑制できる一方で、短期間に入球する球が３個になるとオーバーフローが生じるという流路を構成することができる。従って、入賞口６４での抽選の機会をより多く獲得するための球の発射強度や、球の発射頻度を、遊技者に入念に考えさせることができ、球の発射の態様に関する遊技性を向上させることができる。
【０１９１】
なお、振り分け装置３４０は、球の重みでのみ初期状態から変化状態へ向けて回転するので、球Ｐ６や球Ｐ７が、側壁部３１２ｅと先端凸部３４２ａとの間に配設される状態で、振り分け装置３４０が動作し球詰まりが起きるといった、振り分け装置３４０が電動動作する場合にのみ生じる問題を解消することができる。
【０１９２】
本実施形態においては、図２１（ｃ）の状態において、例えば、到達後１秒以内に振り分け装置３４０が初期状態へ復帰するタイミングで球が振り分け装置３４０に到達し、更に次の球が振り分け装置３４０が初期状態へ復帰した１秒後に振り分け装置３４０に到達した場合、先に到達した球と、後で到達した球とが第１溝３１１と第３溝３１３との合流位置で衝突する恐れがあり、その場合、２個の球が、検出口３１２ｄに３秒以下の間隔で入球する。従って、先の球が第３溝３１３を通過する間に入賞口６４（図２０参照）の保留球数が３個となっている場合、入賞口６４におけるオーバーフローを回避することができない。
【０１９３】
これは、振り分け装置３４０が初期状態の際に２個の球が振り分け装置３４０へ到達する場合とは、大きく異なる。即ち、振り分け装置３４０が初期状態の際に２個の球が２秒間隔で振り分け装置３４０へ到達する場合には、後の球は第３溝３１３へ案内されるので、検出口３１２ｄに入球する間隔は３秒以上を確保することができる（図２１参照）。一方で、振り分け装置３４０が変化状態の場合に、球が２秒間隔で振り分け装置３４０へ到達すると、先の球が第３溝３１３へ案内され、後の球が第２溝３１２を鉛直下方に流下する場合が生じ、検出口３１２ｄに入球する間隔が３秒よりも短くなる恐れがある。
【０１９４】
これにより、入球口６４へ球が２個連続で入球した場合に、毎回オーバーフローを抑制できるとは限らない流路を構成することができる。従って、オーバーフローを抑制可能な機構を備えながら、基本的には、入賞口６４の保留球数が３個となったら止め打ちを行う遊技を行うことで最大数の抽選を獲得できるものとし、止め打ちの意義を向上させることができる。
【０１９５】
次いで、図２２から図３３を参照して、遅延床デバイス４００について説明する。図２２は、遊技盤１３の部分正面斜視図である。図２２に示すように、遅延床デバイス４００は、センターフレーム８６の左方を流下する球の一部の球が（所謂「ワープ流路」を通って）流入し、その球が上部を転動可能に構成されると共に、往復動作を繰り返し左右方向の速度が０に収束した球を手前側に落下させる可動デバイスであって、前後一対で形成されると共に傾倒動作可能に構成される扇状部材４１０と、それら一対の扇状部材４１０の動作を一致させるリンク部材４２０（図２４参照）と、扇状部材４１０を傾倒可能に支持すると共に扇状部材４１０へ流入する前に球が通過する固定された床である固定床４３０と、を主に備える。
【０１９６】
なお、遅延床デバイス４００は、初期状態（図２２参照）においては、その左右方向中心位置に球を収束させやすい態様で構成され（固定床４３０の左右周辺部分が中心位置へ向けて下降傾斜する態様で構成され）、扇状部材４１０の左右方向中心位置と入賞口６４の中心位置とが上下で一致する位置関係で配置される。即ち、遅延床デバイス４００から入賞口６４へ球を入球させやすい配置とされる。
【０１９７】
前後一対で配置される扇状部材４１０の内、前側の扇状部材４１０が、正面側へ向けて前傾する態様で傾倒動作することにより球が入賞口６４へ入りやすくすることができる。
【０１９８】
図２３を参照して扇状部材４１０について説明する。なお、一対の扇状部材４１０は同一部材から構成されるので、一方の扇状部材４１０の説明を行い、他方の扇状部材４１０の説明を省略する。
【０１９９】
図２３（ａ）は、扇状部材４１０の上面図であり、図２３（ｂ）は、図２３（ａ）の矢印ＸＸＩＩＩｂ方向視における扇状部材４１０の側面図であり、図２３（ｃ）は、図２３（ａ）のＸＸＩＩＩｃ−ＸＸＩＩＩｃ線における扇状部材４１０の断面図であり、図２３（ｄ）は、図２３（ｂ）の矢印ＸＸＩＩＩｄ方向視における扇状部材４１０の底面図である。
【０２００】
図２３に示すように、扇状部材４１０は、扇状板部材から構成される本体部材４１１と、その本体部材４１１かの中間位置から左右方向に同軸直線状に延設される延設腕部４１２と、本体部材４１１の底面から一対で凸設されると共に連結棒４１４が挿通固定される挿通孔を有する凸設固定部４１３と、その凸設固定部４１３に挿通固定される連結棒４１４と、を主に備える。
【０２０１】
本体部材４１１は、先細りする側（図２３（ａ）下側）が球の直径程度の幅とされる。また、その先細りする側に、下降傾斜する面取り部４１１ａを有すると共に、凸設固定部４１３の間において穿設される開口部４１１ｂを有する。
【０２０２】
連結棒４１４は、本体部材４１１と別部材として構成される。組立を行う際には、凸設固定部４１３の間にリンク部材４２０（図２４参照）を配設した上で、連結棒４１４をリンク部材４２０の調整長孔４２２に挿通した状態で、連結棒４１４を凸設固定部４１３に固定する。これにより、扇状部材４１０とリンク部材４２０とを連結することができる（図２５参照）。
【０２０３】
次いで、図２４を参照して、リンク部材４２０について説明する。リンク部材４２０は一対の扇状部材４１０を連結すると共に、その動作方向を一定に定める役割を有する部材である。
【０２０４】
図２４（ａ）は、リンク部材４２０の側面図であり、図２４（ｂ）は、図２４（ａ）の矢印ＸＸＩＶｂ方向視におけるリンク部材４２０の底面図である。図２４に示すように、リンク部材４２０は、断面Ｌ字で厚さ一定（図２４（ｂ）参照）の板状部材から形成される本体部材４２１と、その本体部材４２１の上部において前後一対で厚さ方向に穿設され前後方向に延設される調整長孔４２２と、本体部材４２１の下部において厚さ方向に穿設され上下方向に延設される支持長孔４２３と、を主に備える。
【０２０５】
調整長孔４２２は、扇状部材４１０の連結棒４１４（図２３参照）が挿通される孔である。即ち、調整長孔４２２を介して、リンク部材４２０と一対の扇状部材４１０とが連結される。支持長孔４２３は、固定床４３０の支持凸部４３４（図２６参照）が挿通される長孔であって、リンク部材４２０の移動方向を一方向（上下方向）に指定する態様で作用する。
【０２０６】
図２５を参照して、前組状態における扇状部材４１０とリンク部材４２０とについて説明する。図２５（ａ）は、扇状部材４１０及びリンク部材４２０の上面図であり、図２５（ｂ）は、図２５（ａ）のＸＸＶｂ−ＸＸＶｂ線における扇状部材４１０及びリンク部材４２０の断面図である。なお、図２５に示す前組状態とは、固定床４３０に組み付ける前のサブアセンブリ状態のことをさす。製造工程では、この前組状態を構成した後に、扇状部材４１０及びリンク部材４２０が固定床４３０に組み付けられる。
【０２０７】
前組状態において、扇状部材４１０の連結棒４１４がリンク部材４２０の調整長孔４２２に挿通された状態で凸設固定部４１３に固定されることにより、扇状部材４１０とリンク部材４２０とが互いに連結される。
【０２０８】
図２５に示すように、一対の扇状部材４１０がリンク部材４２０で連結されるので、一方の扇状部材４１０が動作することにより、その動作がリンク部材４２０を介して、他方の扇状部材４１０に伝わる態様で構成される。
【０２０９】
次いで、図２６及び図２７を参照して、固定床４３０について説明する。図２６は、固定床４３０の上面図であり、図２７（ａ）は、図２６のＸＸＶＩＩａ−ＸＸＶＩＩａ線における固定床４３０の断面図であり、図２７（ｂ）は、図２６のＸＸＶＩＩｂ−ＸＸＶＩＩｂ線における固定床４３０の断面図である。なお、図２６及び図２７では、扇状部材４１０及びリンク部材４２０が取り外された状態が図示される。また、図２６では、支持部４３２が部分的に断面視される。
【０２１０】
図２６、図２７（ａ）及び図２７（ｂ）に示すように、固定床４３０は、組立状態（図２２参照）において扇状部材４１０が配設され扇状部材４１０の上面と固定床４３０とが面位置で形成されるように扇状部材４１０の回転軸の間の部分が扇状部材４１０の厚さに対応して凹設されると共にその外側部分が扇状部材４１０の移動と干渉しない態様で凹設される凹設床４３１と、その凹設床４３１に配設する際に扇状部材４１０の延設腕部４１２が支持される支持部４３２と、凹設床４３１の中央部分において上下方向に空けられる空洞である空洞部４３３と、その空洞部４３３を形成する側壁から左右方向へ向けて凸設される支持凸部４３４と、組立状態において扇状部材４１０が最接近する位置から左右にずれた位置において球が流入可能な大きさで凹設される流入口４３５と、その流入口４３５から連通すると共に球が流下する遅延流路４３６と、を主に備える。
【０２１１】
支持部４３２は、扇状部材４１０の延設腕部４１２を支持する溝形状で構成される支持溝部４３２ａと、その支持溝部４３２ａに上方から被さり蓋をする支持蓋部４３２ｂと、を備える。
【０２１２】
空洞部４３３は、リンク部材４２０が収容される空洞であって、支持凸部４３４は、リンク部材４２０の支持長孔４２３に挿通される突起部である。なお、リンク部材４２０を組み付ける際には、空洞部４３３と支持凸部４３４の先端との間の空隙にリンク部４２０を挿入した上で、リンク部材４２０を左右方向にスライド移動することにより支持凸部４３４を支持長孔４２３に挿通させることができる。
【０２１３】
流入口４３５は、球の直径よりも若干大きな直径から構成される。そのため、流入口４３５の上方において、流入口４３５の一部を塞ぐ態様で部材が被さっている場合、球が流入口４３５へ流入することが不可能とされる。
【０２１４】
遅延流路４３６は、扇状部材４１０から入賞口６４へ直接入球した球に対して球の入賞口６４への入球を遅らせるための流路である。例えば、遅延流路４３６を球が通過するのにかかる期間を入賞口６４に球が入球することを契機として生じる１の変動期間よりも長くすることにより、入賞口６４でオーバーフローが生じることを抑制することができる。
【０２１５】
例えば、遅延流路４３６を球が通過するのにかかる期間を入賞口６４の保留球数が４個の場合に選択され易い変動期間よりも長く設定することにより、入賞口６４の保留球数が３個の状態において、扇状部材４１０から落下した１個目の球が直接入賞口６４へ入球した直後に流入口４３５に２個目の球が入球する場合であっても、その２個目の球が入賞口６４へ入球するまでに、１の変動が完了するので、２個目の球が入賞口６４へ入球することにより入賞口６４でオーバーフローが生じることを抑制することができる。
【０２１６】
扇状部材４１０とリンク部材４２０（図２５参照）とを固定床４３０に組み付ける方法について説明する。まず、上述の前組状態とした扇状部材４１０とリンク部材４２０との内、リンク部材４２０を空洞部４３３に挿通し、上述の方法で支持長孔４２３（図２５参照）を支持凸部４３４に嵌め込み、その後で、扇状部材４１０の延設腕部４１２（図２５参照）を支持溝部４３２ａに乗せ、その上から支持蓋部４３２ｂを被せ嵌め込むことにより、扇状部材４１０が固定床４３０の支持部４３２に傾倒可能に支持されると共にリンク部材４２０が（支持長孔４２３の延設方向に沿って）上下動作可能に支持される。これにより、扇状部材４１０とリンク部材４２０とが、固定床４３０に組み付けられ、遅延床デバイス４００が構成される。
【０２１７】
図２８を参照して、遅延床デバイス４００の状態変化について説明する。図２８（ａ）は、遅延床デバイス４００の部分上面図であり、図２８（ｂ）は、図２８（ａ）のＸＸＶＩＩＩｂ−ＸＸＶＩＩＩｂ線における遅延床デバイス４００の断面図であり、図２８（ｃ）は、遅延床デバイス４００の部分上面図であり、図２８（ｄ）は、図２８（ｃ）のＸＸＶＩＩＩｄ−ＸＸＶＩＩＩｄ線における遅延床デバイス４００の断面図である。
【０２１８】
なお、図２８（ａ）及び図２８（ｂ）に示す初期状態では、一対の扇状部材４１０が平行な姿勢とされ、図２８（ｃ）及び図２８（ｄ）に示す傾倒状態では、扇状部材４１０が初期状態から約４５°傾倒した姿勢とされる。
【０２１９】
初期状態と傾倒状態との大きな違いとしては、流入口４３５に球が入球可能であるか否かと、一対の扇状部材４１０の中間位置を球が通過可能か否かと、が挙げられる。前者について、初期状態では、流入口４３５の上部に扇状部材４１０の一部が被さった態様とされるので、球が流入口４３５へ入球不能な態様とされる一方、傾倒状態では、上面視において扇状部材４１０が流入口４３５の上部から退くので（退く位置まで傾倒されるので）球が流入口４３５へ入球可能となる。
【０２２０】
また、後者について、初期状態では、扇状部材４１０が平行な姿勢とされ、扇状部材４１０の間の上部を球が通過可能に構成されるが、傾倒状態では、球が通過する位置に扇状部材４１０が張り出すので、扇状部材４１０の間の部分へ流入した球は扇状部材４１０に衝突し、通過を防止される。なお、傾倒状態において、扇状部材４１０の間に流入口４３５が配設されるので、扇状部材４１０に衝突した球が跳ね返らず（上下方向に振動する場合等）流入口４３５の上部に滞在する場合、そのまま流入口４３５に球を落下させることが可能である。
【０２２１】
図２９を参照して、球が固定床４３０から正面側へ落下する際の位置の違いによる、遅延床デバイス４００の動作態様について説明する。図２９（ａ）は、遅延床デバイス４００の上面図であり、図２９（ｂ）は、図２９（ａ）のＸＸＩＸｂ−ＸＸＩＸｂ線における遅延床デバイス４００の断面図であり、図２９（ｃ）は、遅延床デバイス４００の上面図であり、図２９（ｄ）は、図２９（ｃ）のＸＸＩＸｄ−ＸＸＩＸｄ線における遅延床デバイス４００の断面図である。
【０２２２】
図２９（ｃ）及び図２９（ｄ）に示すように、遅延床デバイス４００は、遅延床デバイス４００に先に乗っている球Ｐ１１が固定床４３０の正面側に落下する際の球の移動に沿って（球の重さを利用して）、扇状部材４１０が動作する。従って、遅延床デバイス４００を動作させるためのモータ等の駆動源を不要とすることができる。
【０２２３】
図２９（ａ）及び図２９（ｂ）では、球Ｐ１１が扇状部材４１０から離れた位置から落下しかけている状態が図示され、図２９（ｃ）及び図２９（ｄ）では、球Ｐ１１が扇状部材４１０の中心位置から固定床４３０の正面側に落下しかけている状態が図示される。
【０２２４】
ここで、遅延床デバイス４００の上を球が通過する度に、遅延床デバイス４００が可動する態様で構成することも可能であるが、その場合、球の通過の仕方に寄らず遅延床デバイス４００の影響を受けてしまい、入賞口６４への入球が不必要に遅れる恐れがある。その場合、入賞口６４への入球を契機とした変動の開始が遅れ、遊技者の不満の元となる。
【０２２５】
これに対し、本実施形態では、図２９に示すように、球Ｐ１１が入賞口６４にそのまま入球し易い位置である扇状部材４１０に乗った状態から固定床４３０の正面側に球Ｐ１１が落下しかける状態において遅延床デバイス４００が傾倒状態とされる一方、球Ｐ１１が落下したとしても入賞口６４に入る可能性が低い位置である扇状部材４１０から離れた位置から球Ｐ１１が落下した場合には遅延床デバイス４００が初期状態を保つ態様で構成される。そのため、落下しかける球Ｐ１１が入賞口６４に入りやすい場合にのみ遅延床デバイス４００を動作させることができる。
【０２２６】
これにより、必要のない場合にまで遅延床デバイス４００が作用し、入賞口６４への球の入球が不必要に遅れることを回避することができるので、入賞口６４への入球を契機とした変動の開始が遅れることを回避でき、遊技者の興趣を向上させることができる。
【０２２７】
なお、図２９（ｄ）に示すように、扇状部材４１０の先端に面取り部４１１ａが形成されることにより、扇状部材４１０の先端を、初期状態では遊技盤１３の前面から張り出す一方で、傾倒状態では遊技盤１３の前面よりも後方へ引き込む態様で構成することができる。これにより、球を入賞口６４に落下し易い位置（遊技盤１３の前面よりも前側）まで転動させた上で、落下させることができるので、図２９（ｄ）の状態から落下する球が入賞口６４に入球する確率を向上させることができる。
【０２２８】
図３０を参照して、遅延床デバイス４００に先に乗っている球Ｐ１１と、遅延床デバイス４００へ新たに入球された球Ｐ１２との関係について説明する。図３０（ａ）は、遅延床デバイス４００の上面図であり、図３０（ｂ）は、図３０（ａ）のＸＸＸｂ−ＸＸＸｂ線における遅延床デバイス４００の断面図である。
【０２２９】
図３０（ａ）及び図３０（ｂ）では、球Ｐ１１が扇状部材４１０の正面側へ流下し扇状部材４１０が傾倒状態とされた後で左右方向から球Ｐ１２が入球された状態が図示される。
【０２３０】
入賞口６４の上方に配置される床部分の中央まで所定の球が到達し、今にも入賞口６４へ落ちそうというタイミングで他の球が左右方向から床部分を転動し、所定の球に衝突し、所定の球が入賞口６４から外れることがあり、遊技者の興趣を低下させる元となっていた。
【０２３１】
これに対し、本実施形態では、図３０に示すように、球Ｐ１１が扇状部材４１０の正面側から落下するタイミングに球Ｐ２１が転動してきた場合、遅延床デバイス４００が傾倒状態とすると共に、球Ｐ１２と扇状部材４１０とを衝突させることにより、球Ｐ１１が球Ｐ１２に衝突されることを防止することができる。
【０２３２】
このとき、図３０（ａ）に示すように、一対の扇状部材４１０の先端部分が構成する間隙が、球Ｐ１２の進行方向（図３０（ａ）右方）に向けて先細りする態様とされるので、球Ｐ１２が一対の扇状部材４１０の中間部分から前後方向に多少ずれた位置を転動して扇状部材４１０に衝突したとしても、間隙の先細り形状に沿って、球Ｐ１２の速度方向を一対の扇状部材４１０の中間位置へ向けた方向へ修正することができる。従って、球Ｐ１２の転動する経路を限定することができ、球Ｐ１２と球Ｐ１１とが衝突することを回避し易くすることができる。
【０２３３】
次いで、図３１を参照して、遅延床デバイス４００に間隔を空けて２個の球Ｐ１１，Ｐ１２が入球し、それぞれ往復動作を繰り返し左右方向の速度が０に収束した状態における遅延床デバイス４００の作用について説明する。
【０２３４】
図３１（ａ）は、遅延床デバイス４００の上面図であり、図３１（ｂ）は、図３１（ａ）のＸＸＸＩｂ−ＸＸＸＩｂ線における遅延床デバイス４００の断面図であり、図３１（ｃ）は、遅延床デバイス４００の上面図であり、図３１（ｄ）は、図３１（ｃ）のＸＸＸＩｄ−ＸＸＸＩｄ線における遅延床デバイス４００の断面図である。
【０２３５】
なお、図３１（ａ）及び図３１（ｂ）では、遅延床デバイス４００が初期状態とされ、球Ｐ１１が手前側の扇状部材４１０に乗ると共に球Ｐ１２が奥側の扇状部材４１０に乗る状態が図示され、図３１（ｃ）及び図３１（ｄ）では、図３１（ａ）及び図３１（ｂ）に示す状態から球Ｐ１１が正面側に流下し、遅延床デバイス４００が傾倒状態とされる。
【０２３６】
図３１（ａ）から図３１（ｄ）に示すように、奥側の扇状部材４１０に乗った球Ｐ１２は、球Ｐ１１が手前側の扇状部材４１０から流下し遅延床デバイス４００が傾倒状態になることにより、奥側の扇状部材４１０の傾斜に沿って奥方向（図３１（ｂ）右方向）へ押し戻される。
【０２３７】
その後、球Ｐ１１が落下し、遅延床デバイス４００が初期状態へ戻ることにより、球Ｐ１２は再度、遅延床デバイス４００の上を通り前側の扇状部材４１０の上方まで転動することが可能とされる。即ち、図３１（ａ）に示す状態から、球Ｐ１１と球Ｐ１２とが連続で入賞口６４へ入球する場合に比較して、球Ｐ１２が押し戻される分、球Ｐ１１と球Ｐ１２の入球の間隔を離すことができる。これにより、球Ｐ１１と球Ｐ１２とが入賞口６４に入球することにより入賞口６４でオーバーフローが生じることを抑制することができる。
【０２３８】
次いで、図３２を参照して、遅延床デバイス４００に２個の球Ｐ１１，Ｐ１２が入球し、それぞれ往復動作を繰り返し左右方向の速度が０に収束した状態において球Ｐ１１，Ｐ１２が前後方向に連なって配置される場合の遅延床デバイス４００の作用について説明する。
【０２３９】
図３２（ａ）は、遅延床デバイス４００の上面図であり、図３２（ｂ）は、図３２（ａ）のＸＸＸＩＩｂ−ＸＸＸＩＩｂ線における遅延床デバイス４００の断面図であり、図３２（ｃ）は、遅延床デバイス４００の上面図であり、図３２（ｄ）は、図３２（ｃ）の矢印ＸＸＸＩＩｄ方向視における遅延床デバイス４００の正面図である。
【０２４０】
図３２（ａ）及び図３２（ｂ）に示すように、２個の球Ｐ１１，Ｐ１２が連なって配置される場合、球Ｐ１１が前側の扇状部材４１０の延設腕部４１２よりも正面側（図３２（ｂ）左側）に配置される状態において、球Ｐ１２は前後一対の扇状部材４１０の中間位置付近に配置される（図３２（ｂ）参照）。
【０２４１】
この状態から球Ｐ１１が遅延床デバイス４００の正面側から落下し遅延床デバイス４００が傾倒状態となると、球Ｐ１２は、扇状部材４１０の先端部分（円弧部分）が上昇する際に、その先端部分に持ち上げられる。本実施形態では、扇状部材４１０の先端部分が円弧形状とされるので、傾倒状態において、球Ｐ１２を支持する扇状部材４１０の先端部分が左右方向外側へ向かうにつれて下方傾斜する（図３２（ｄ）参照）。そのため、球Ｐ１２は、扇状部材４１０の左右中央に維持され続けるのでは無く、扇状部材４１０の先端部分の形状に沿って左右外側へ流下する。これにより、球Ｐ１２は、扇状部材４１０から流入口４３５へ流入する。従って、球Ｐ１２が球Ｐ１１に連なって入賞口６４に入球することを防止することができる。
【０２４２】
図３３（ａ）及び図３３（ｂ）は、図３２（ｃ）のＸＸＸＩＩＩａ−ＸＸＸＩＩＩａ線における遅延床デバイス４００の断面図である。なお、図３３（ａ）では、図３２（ｃ）に示す状態から球Ｐ１１，Ｐ１２が流下する途中の状態が、図３３（ｂ）では、図３３（ａ）に示す状態から更に球Ｐ１１，Ｐ１２が流下し球Ｐ１１が入賞口６４に入球した状態が、それぞれ図示される。
【０２４３】
図３３（ａ）及び図３３（ｂ）に示すように、球Ｐ１１，Ｐ１２が遅延床デバイス４００の上を連なって流下すると、球Ｐ１１は遊技盤１３の正面側を落下し、球Ｐ１２は遅延流路４３６を流下する。即ち、２個の球Ｐ１１，Ｐ１２の流下経路が分離されると共に、遅延床デバイス４００が長い流路で構成されるので、２個の球Ｐ１１，Ｐ１２が入賞口６４に入賞するタイミングをずらすことができる。
【０２４４】
そのため、例えば、入賞口６４に入球した直後に情報を取得し、第３図柄表示装置８１（図２参照）で変動を開始する態様で構成されたとしても、入賞口６４でオーバーフローが生じることを抑制することができる。
【０２４５】
即ち、図３３（ｂ）に示す球Ｐ１２の位置から、遅延流路４３６の残りの部分を流下して球Ｐ１２が入賞口６４へ流下するまでの期間を、入賞口６４の保留球数が４個の場合に選択されやすい変動期間（最短の変動期間）よりも長い期間に設定することにより、入賞口６４でオーバーフローが生じることを抑制することができる。
【０２４６】
次いで、図３４を参照して、第２実施形態について説明する。第１実施形態では、振り分け装置３４０が重心の移動のみによって姿勢を変化させる場合を説明したが、第２実施形態における遅延デバイス２３００は、本体部材２３１０に配設される係止装置２３１５が長孔２３１６に支持されると共に振り分け装置２３４０の姿勢を維持する態様で構成される。なお、上述した各実施形態と同一の部分には同一の符号を付して、その説明は省略する。
【０２４７】
図３４（ａ）から図３４（ｃ）は、第２実施形態における遅延デバイス２３００の部分正面図である。なお、図３４（ａ）では、初期状態の振り分け装置２３４０に球Ｐ２１及び球Ｐ２２が連なって到達した状態が図示され、図３４（ｂ）では、球Ｐ２１の重さで振り分け装置２３４０が変化状態に状態変化すると共に球Ｐ２２が第３溝３１３を流下する状態が図示されると共に、図３４（ｃ）では、球Ｐ２２が係止装置２３１５による係止を解除し、振り分け装置２３４０が初期状態へ向けて移動開始した状態が図示される。なお、本実施形態では、振り分け装置２３４０に第２調整装置３５０が配設されず、振り分け装置２３４０がバネ機構（図示せず）により初期状態へ向けて付勢される。
【０２４８】
振り分け装置２３４０は、第１壁部２３４１が第２壁部３４２の約半分の長さで構成される。これにより、第３溝３１３から流下してきた球Ｐ２２と第１壁部２３４１とが衝突することを抑制でき、振り分け装置２３４０の復帰動作を球Ｐ２２に妨害させないようにすることができる。
【０２４９】
図３４（ａ）に示すように、係止装置２３１５は、側壁部３１２ｅの下端部分において本体部材２３１０の奥側（図３４紙面垂直方向奥側）の壁部において左右方向に延設される長孔である長孔２３１６に左右方向スライド及び回転可能に支持される鉤部材２３１５ａと、その鉤部材２３１５ａを右方向および正面視時計回り方向へ向けて付勢する弾性力を発生するねじりバネ２３１５ｂと、を備える。なお、本実施形態では、側壁部３１２ｅには、下端部分に空いた空間が形成され、その空間を通して鉤部材２３１５ａが通過可能に構成される。
【０２５０】
鉤部材２３１５ａは、上下一対で延設される第３溝３１３の間に形成される壁部に左右方向に沿って延設される長孔２３１６に支持される軸部２３１５ａ１と、その軸部２３１５ａ１と一体で構成されると共に側壁部３１２ｅを貫通して軸部２３１５ａ１よりも右上方（図３４右上方）に張り出して形成される当接部２３１５ａ２と、軸部２３１５ａ１と一体で構成されると共に下側の第３溝３１３の内方へ張り出して構成される解除部２３１５ａ３と、を主に備える。
【０２５１】
当接部２３１５ａ２は、振り分け装置２３４０の先端凸部３４２ａの移動軌跡と干渉する位置に配置される。当接部２３１５ａ２の形状が、上面部は右方へ向かうほど急激に下降傾斜し、下面部は左右方向に沿った形状（先端凸部３４２ａと面接触する形状）とされるので、振り分け装置２３４０が初期状態から変化状態へ状態変化する場合には振り分け装置２３４０にかけられる抵抗を抑制しその移動速度を向上させることができる一方で、振り分け装置２３４０が変化状態から初期状態へ状態変化する場合には、振り分け装置２３４０にかけられる抵抗を大きくし振り分け装置２３４０を変化状態で係止し易くすることができる。
【０２５２】
また、軸部２３１５ａ１が長孔２３１６に沿って左右方向にスライド移動可能に構成されるので、振り分け装置２３４０が変化状態となる直前（図３４（ｂ）の直前）の状態において、鉤部材２３１５ａを左方へ逃がすことができる。これにより、鉤部材２３１５ａが軸支される場合と比較して、振り分け装置２３４０が係止装置２３１５と衝突して、かみ合ってしまい、動作不良を起こすことを防止することができる。
【０２５３】
ねじりバネ２３１５ｂは、ねじり部分が軸部２３１５ａ１に巻き付けられ、一方の端部（図３４（ａ）左側の端部）が本体部材２３１０に係止されると共に、他方の端部（図３４（ａ）右側の端部）が鉤部材２３１５ａに係止される態様で構成される。
【０２５４】
図３４（ｂ）に示すように、球Ｐ２１の重さで振り分け装置２３４０が変化状態とされると、先端凸部３４２ａが当接部２３１５ａ２に係止される。これにより、振り分け装置２３４０が変化状態で維持される。本実施形態では、係止装置２３１５が姿勢変化しない限り、振り分け装置２３４０が変化状態を維持する態様とされる。
【０２５５】
図３４（ｃ）に示すように、第３溝３１３を流下する球Ｐ２２が解除部２３１５ａに当接することにより、鉤部材２３１５ａが正面視反時計回りに姿勢変化すると、鉤部材２３１５ａによる振り分け装置２３４０の係止が解除され（当接部２３１５ａ２が振り分け装置２３４０の移動軌跡の外に配置され）、振り分け装置２３４０を初期状態へ復帰させることができる。
【０２５６】
これによれば、振り分け装置２３４０に正面視時計回り方向の付勢力が常にかけられる状態において、振り分け装置２３４０が変化状態に状態変化されてから初期状態へ向けて移動開始するまでの時間遅れを形成することができる。従って、簡素な構成で、球Ｐ２１，Ｐ２２を別々の流路に確実に振り分けることができる。
【０２５７】
なお、図３４では、球Ｐ２１，Ｐ２２が連なって流下する場合を説明したが、係止装置２３１５ａの解除が球Ｐ２２の流下により生じることと照らせば、本実施形態の効果は、球Ｐ２１，Ｐ２２の振り分け装置２３４０への到達間隔に寄らず、発揮される。
【０２５８】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０２５９】
上記各実施形態において、一の実施形態における構成の一部または全部を、他の実施形態における構成の一部または全部の構成と組み合わせて或いは置き換えて、別の実施形態としても良い。
【０２６０】
上記第１実施形態では、スライド移動部材３２１に凸設部３２１ａ１が凸設され、それが第１溝３１１の内側へ張り出す場合を説明したが、必ずしもこれに限られるものではない。例えば、スライド移動部材３２１にＳ字の経路を構成する一対の壁部が配設され、スライド移動部材３２１が移動することにより、第１溝３１１の内部に球が流下するＳ字経路ができあがる態様で構成しても良い。この場合、一対の壁部により、球が流れる経路自体を長くすることができるので、凸設部３２１ａ１が摩耗により減速効果を低下させるのに比較して、長期にわたって減速効果をもち続けることができる。また、スライド移動部材３２１が、凸設部３２１ａ１が形成される領域と、Ｓ字の経路が構成される領域とが連設する態様で構成されても良い。
【０２６１】
上記第１実施形態では、初期状態の振り分け装置３４０に球Ｐ１，Ｐ２が連なって入球した場合においても、球Ｐ１，Ｐ２を振り分け可能に構成される場合を説明したが、必ずしもこれに限られるものではない。例えば、球が振り分け装置３４０に到達する前に、連なった球の間隔を確実に空ける間隔負荷手段を配置したうえで、球が振り分け装置３４０に入球してしばらくしてから振り分け装置３４０の状態が変化する態様で構成しても良い。この場合、振り分け装置３４０の状態変化のタイミングを厳しく管理する必要がないので、振り分け装置３４０を緩めに支持することができ、状態変化に必要な負荷を低減することができる。
【０２６２】
上記第１実施形態では、振り分け装置３４０の部分であって球が衝突する部分が円弧形状（円弧壁部３４３）から構成される場合を説明したが、必ずしもこれに限られるものではない。例えば、円弧壁部３４３に対応する部分の平面板状の部分から構成しても良い。この場合、振り分け装置３４０が初期状態へ復帰する途中で球が振り分け装置３４０に入球すると、その球から与えられる負荷により振り分け装置３４０が回転され、変化状態に戻される。これにより、振り分け装置３４０が変化状態に維持される期間を延長させることができる。
【０２６３】
上記第１実施形態では、振り分け装置３４０を重心の変化によって復帰動作させる場合を説明したが、必ずしもこれに限られるものではない。例えば、移動方向によって付勢力が変化する（１の方向にのみ移動抵抗がかけられる）製品や、オリフィスを利用して方向毎に移動抵抗を変化させるシリンダ製品などを利用して振り分け装置３４０を復帰動作させても良い。この場合、市販の製品を利用することにより、メンテナンス性を向上させることができる。また、振り分け装置３４０の回転軸の回転抵抗を、正回転では小さく、逆回転では大きい態様で構成することにより、振り分け装置３４０に一定の付勢力を与えることで、振り分け装置３４０の復帰動作に時間遅れを生じさせることができる。
【０２６４】
上記第１実施形態では、扇状部材４１０から流入口４３５へ流入した球は遅延流路４３６を案内される場合を説明したが、必ずしもこれに限られるものではない。例えば、流入口４３５の下方に別の床面が構成することにより（球が転動可能な床を２段で構成することにより）、扇状部材４１０から流入口４３５へ流入した球が再度その床面を転動して入賞口６４に入球する態様で構成しても良い。この場合、球が床面を転動する期間を延長することができるので、球の動きに遊技者が注目して、球の打ち出しを停止する期間を延長することができる。そのため、その間に保留していた入賞分の変動を消化することができ、オーバーフローの発生を抑制することができる。
【０２６５】
上記第１実施形態では、扇状部材４１０が回転軸を左右方向に沿わせた状態で傾倒する場合を説明したが、必ずしもこれに限られるものではない。例えば、回転軸を前後方向に沿わせた状態で傾倒するようにしても良い。この場合、扇状部材４１０の円弧部分の傾斜に沿って入賞口６４へ向けて球を落下させることができる（左右方向の位置を補正することができる）。
【０２６６】
上記第１実施形態では、扇状部材４１０が球の重さで動作する場合を説明したが、必ずしもこれに限られるものではない。例えば、扇状部材４１０が一定の繰り返しの動作態様で電動動作する構成としても良い。この場合、一対の扇状部材４１０の動作の組み合わせを複数種類構成することができる。例えば、正面側の扇状部材４１０が起き上がった姿勢とされると共に奥側の扇状部材４１０が寝そべった姿勢とされる状態と、正面側の扇状部材４１０が起き上がった姿勢とされると共に奥側の扇状部材４１０が起き上がった姿勢とされる状態と、正面側の扇状部材４１０が寝そべった姿勢とされると共に奥側の扇状部材４１０が寝そべった姿勢とされる状態と、正面側の扇状部材４１０が寝そべった姿勢とされると共に奥側の扇状部材４１０が起き上がった姿勢とされる状態と、を構成可能となり、一対の扇状部材４１０の状態の組み合わせを増加させることができる。
【０２６７】
上記第１実施形態では、一対の扇状部材４１０が同一形状から構成される場合を説明したが、必ずしもこれに限られるものではない。例えば、手前側の扇状部材４１０に比較して、奥側の扇状部材が左右方向の幅が長くされる形状から構成されても良い。この場合、扇状部材４１０の左右方向中心位置から離間した位置であって奥側の扇状部材の上の位置に配置された球に対しても、扇状部材の傾斜に伴う作用（押し戻しの作用）を生じさせることができる。
【０２６８】
上記第１実施形態では、遅延流路４３６の出口が、入賞口６４に対して左右方向に位置ずれする場合を説明したが、必ずしもこれに限られるものではない。例えば、左右一対の流入口４３５の下方の遅延流路４３６が左右中央で合流し、その出口が入賞口６４の真上に配設されても良い。この場合、遅延流路４３６の出口から遊技領域に排出された球が入賞口６４に入球する割合を向上させることができる。
【０２６９】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０２７０】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０２７１】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０２７２】
以下に、本発明の遊技機に加えて上述した実施形態に含まれる各種発明の概念を示す。
【０２７３】
＜２球目以降を、別ルートへ回して遅延させてオーバーフローを抑制する＞
遊技球が入球することにより抽選の機会が付与される第１状態と、その第１状態において遊技球が入球することにより切り替えられる状態であって遊技球が入球しても抽選の機会が付与されない第２状態と、を構成可能とされる検出入球口を備え、前記第２状態に切り替えられた後、所定の復帰期間が経過することにより前記第１状態に復帰する遊技機において、複数の遊技球を入球させた場合に、その複数の遊技球の内の１の遊技球である第１遊技球が入球してから前記検出入球口に送球するまでの期間に比較して、他の遊技球である第２遊技球が入球してから前記検出入球口に送球するまでの期間を遅延させる遅延手段を備え、その遅延手段により遅れる期間が、前記復帰期間以上とされることを特徴とする遊技機Ａ１。
【０２７４】
ここで、パチンコ機等の遊技機において、遊技球が入球する入球口と、その入球口に遊技球が入球したことに基づいて情報を取得して、その情報に基づいて表示手段に動的表示する遊技機がある（例えば、特開２０１１−１５６０５８号公報を参照）。しかし、上述した従来の遊技機では、入球口に遊技球が入球したことに基づいて取得される情報を所定数（例えば４個）まで記憶可能とされ、それ以上は記憶が不可能な構成とされるが、入球口に短い間隔で複数の遊技球が連続して入球すると、記憶可能な数の上限に達してしまい（第２状態となり）、所謂オーバーフローが生じる恐れがあるという問題点があった。そのため、遊技者が自己判断で、連続して打ち出す球の球数を減らしたり、常に情報を記憶している数を確認しながら遊技したりする必要があり、遊技者に負担がかかっていた。
【０２７５】
これに対し、遊技機Ａ１によれば、遅延手段により、第１遊技球が検出入球口に入球してから第２遊技球が検出入球口に入球するまでの期間が復帰期間より長くされ、第２遊技球が第２状態の検出入球口に入球することが防止されるので、第１遊技球が検出入球口に入球することで検出入球口が第２状態となった場合でも、第２遊技球が検出入球口に入球するまでに記憶可能な数に空きを形成することが可能となり、オーバーフローが生じることを抑制することができる。
【０２７６】
なお、遅延手段により遅延される期間は、少なくとも、液晶装置などの動的表示手段により行われる１の動的表示態様の期間よりも長くされ、情報記憶手段の記憶数が上限値の場合における最長の動的表示態様の期間よりも長くされることが望ましい。
【０２７７】
遅延手段の構成は、特に限定されるものでは無く、様々な態様が考えられる。例えば、可動部材により遊技球の流下する経路を振り分ける態様でも良いし、流路の形状と球の衝突との関係により遊技球の流下する経路を振り分ける態様でも良い。
【０２７８】
遊技機Ａ１において、前記遅延手段は、前記遊技球を複数の経路に振り分けると共に前記遊技球が通過することにより第１姿勢から第２姿勢へ向けて姿勢変化する振り分け手段と、その振り分け手段を前記第２姿勢から前記第１姿勢へ向けて姿勢変化させる付勢力を発生させる付勢手段と、前記振り分け手段が第１姿勢の時に前記振り分け手段を通過した前記第１遊技球を案内し前記検出入球口へ送球する第１案内流路と、前記振り分け手段が前記第２姿勢から第１姿勢に戻る直前までの間に前記振り分け手段を通過した前記第２遊技球を案内し前記検出入球口へ送球する第２案内流路と、を備え、その第２案内流路を前記第２遊技球が通過する期間が、前記第１案内流路を前記第１遊技球が通過する期間に比較して長くされ、前記遅延期間が、それら期間の差として構成されることを特徴とする遊技機Ａ２。
【０２７９】
遊技機Ａ２によれば、遊技機Ａ１の奏する効果に加え、遅延手段が、振り分け手段と、その振り分け手段により遊技球が振り分けられる第１案内流路と、第２案内流路と、振り分け手段の姿勢を復帰させる付勢手段と、を備え、先に振り分け手段を通過し第１案内流路を案内される第１遊技球が検出入球口に到達するまでの期間に比較して、その後で振り分け手段が付勢手段により第１姿勢に戻る直前までに振り分け手段を通過し第２案内流路を案内される第２遊技球が検出入球口に到達するまでの期間を長くすることができ、遅延期間がそれら期間の差として構成されるので、遊技球が釘に衝突する場合のようにランダムに遊技球の流下経路が決定される場合に比較して、遊技球が流下する期間を確実に長くすることができ、遊技球が検出入球口に到達するタイミングを確実にずらすことができる。
【０２８０】
また、振り分け手段は付勢手段により姿勢が復帰するので、振り分け手段に遊技球が間隔を空けて到達する場合（後から来た遊技球を遅延させる必要が無い場合）にまで、遊技球が振り分け手段により第２案内流路振り分けられることを防止することができる。
【０２８１】
遊技機Ａ２において、前記振り分け手段は、前記第１姿勢とされる場合において前記遊技球に対して流下方向で対面する第１壁部と、その前記第１壁部と当接される遊技球を挟んだ位置に配設される第２壁部とを備え、その第２壁部が、前記遊技球から流下方向に沿った負荷を受けることにより、前記振り分け手段の前記第２姿勢から前記第１姿勢へ向けた方向への姿勢変化が抑制されることを特徴とする遊技機Ａ３。
【０２８２】
遊技機Ａ３によれば、遊技機Ａ２の奏する効果に加え、振り分け手段と衝突する遊技球を第１壁部と挟む位置に配設される第２壁部が、遊技球から流下方向に沿った負荷を受けることにより、振り分け手段が第２姿勢から第１姿勢へ向けた方向へ姿勢変化することが抑制されるので、先に振り分け手段を通過した遊技球が、後から振り分け手段を通過する遊技球の作用により、流下が妨げられて、流下が遅れることを抑制することができる。
【０２８３】
遊技機Ａ２又はＡ３において、前記振り分け手段は、連なって流下する遊技球を分割すると共に１球のみを前記第１案内流路へ案内する分割手段を備えると共に、前記遊技球の重みにより姿勢変化する構成とされ、前記振り分け手段が姿勢変化することにより前記分割手段が機能することを特徴とする遊技機Ａ４。
【０２８４】
遊技機Ａ４によれば、遊技機Ａ２又はＡ３の奏する効果に加え、振り分け手段の分割手段により、連なって流下する球を分割し、第１案内流路に複数の球が案内されることを、駆動源の追加無しで防止することができる。
【０２８５】
なお、分割手段としては、流路内方へ向けて張り出すことにより遊技球を第２案内流路へ向けて押し出す手段や、流路内方へ向けて張り出すことにより連なった遊技球同士の間に差し込まれ遊技球同士を切り離す手段等が例示される。
【０２８６】
遊技機Ａ４において、前記振り分け手段は、前記第１姿勢とされる場合に前記遊技球に対して流下方向で対面する第１壁部と、その前記第１壁部と当接される遊技球を挟んだ位置に配設される第２壁部とを備え、前記振り分け手段が前記第１姿勢から前記第２姿勢へ姿勢変化する際に前記第２壁部が移動方向で前記第２遊技球に衝突することによりその遊技球を前記第２案内流路へ導入する態様で構成されることを特徴とする遊技機Ａ５。
【０２８７】
遊技機Ａ５によれば、遊技機Ａ４の奏する効果に加え、振り分け手段が姿勢変化中にその移動方向で第２遊技球と衝突する場合に、振り分け手段と第１案内流路との間で遊技球が挟まって振り分け手段が動作不良を起こすことを防止することができる。
【０２８８】
ここで、例えば、振り分け手段が電動で動作する場合、振り分け手段が遊技球の位置によらず動作を行うので、遊技球が第２案内流路の入り口とは外れた位置であると共に振り分け手段と第１案内流路の側壁との間である位置に配置された状態で、振り分け手段と第１案内流路の側壁との間の距離が狭まる方向に振り分け手段が動作すると、振り分け手段と第１案内流路との間に遊技球が挟まり振り分け手段が動作不良を起こす恐れがある。
【０２８９】
これに対し、遊技機Ａ５によれば、振り分け装置の動作が電動ではなく、遊技球の重みで生じるので、遊技球の配置に起因して振り分け手段が動作不良を起こす状態において振り分け手段が動作しないように位置関係や形状関係を予め設計することができる。これにより、振り分け手段の動作不良を防止することができる。
【０２９０】
遊技機Ａ５において、複数の遊技球が前記振り分け手段に到達し、一方の遊技球が前記第１壁部に当接することにより、他方の遊技球が前記第２壁部の移動方向で当接する位置まで前記振り分け手段が姿勢変化された連結球導入状態において、前記一方の遊技球と、前記第２案内流路の前記第１案内流路からの入口を形成する側面であって前記第１案内流路の下流側の側面との端面同士間の距離であって、前記第１案内流路の延設方向に沿った距離が遊技球の半径以下とされることを特徴とする遊技機Ａ６。
【０２９１】
遊技機Ａ６によれば、遊技機Ａ５の奏する効果に加え、連結球導入状態において、他方の遊技球が一方の遊技球に連なって振り分け手段まで到達した場合、他方の遊技球の中心が第２案内流路を延長した場合の第２案内流路の内側の領域に配置されるので、遊技球を第２案内流路の側面に沿って押し込むことができ、遊技球を第２案内流路に導入することができる。
【０２９２】
遊技機Ａ４からＡ６において、前記振り分け手段は、前記復帰期間よりも長い期間をかけて前記第２姿勢から前記第１姿勢まで復帰動作することを特徴とする遊技機Ａ７。
【０２９３】
遊技機Ａ７によれば、遊技機Ａ４からＡ６の奏する効果に加え、入球検出口が第２状態の期間中に第２遊技球が検出入球口に入球されることを確実に防止することができる。
【０２９４】
なお、表示装置の動的表示態様が、検出入球口の記憶数が多いほど短期間のものが選択され易い態様とされる場合において、所定の動的表示態様の長さは、少なくとも検出入球口の記憶数が上限値である場合の最短の動的表示態様の長さ以上とされることが望ましい。
【０２９５】
＜ステージを球の重さで動作可能とすることによりオーバーフロー抑制＞
遊技球が入球することにより抽選の機会が付与される第１状態と、その第１状態において遊技球が入球することにより切り替えられる状態であって遊技球が入球しても抽選の機会が付与されない第２状態と、を構成可能とされる検出入球口を備え、前記第２状態に切り替えられた後、所定の復帰期間が経過することにより前記第１状態に復帰する遊技機において、遊技球が前記検出入球口へ入球し易い下降開始位置である最適落下部を有すると共に、遊技球が前記最適落下部を通過する態様で上面を転動可能に構成される転動手段を備え、その転動手段は、前記最適落下部から遊技球を前記復帰期間以上の間隔を空けて下降開始させる態様で動作することを特徴とする遊技機Ｂ１。
【０２９６】
ここで、パチンコ機等の遊技機において、遊技球が検出入球口へ入球し易い下降開始部分として配設される最適落下部を有し、上面に配置された遊技球が最適落下部を通過する態様で転動可能に構成される転動手段（所謂「ステージ」）を備える遊技機がある（例えば、特開２０１１−１５６０５８号公報を参照）。しかし、上述した従来の遊技機では、先に転動手段に乗った第１遊技球が転動手段から下降する前に、転動手段に第２遊技球が乗り、それら第１遊技球と第２遊技球とが最適落下部から短期間の間に下降する場合があり、その場合、検出入球口でオーバーフローが生じる恐れがあるという問題点があった。
【０２９７】
これは、遊技球が釘に衝突しながら流下する状態と異なり、遊技球が最適落下部を通り過ぎる態様で左右方向に往復動作する（遊技球が特定の経路を往復動作する）場合において遊技球同士が頻繁に衝突し易くなる転動手段上に特有の課題である。
【０２９８】
これに対し、遊技機Ｂ１によれば、転動手段が、最適落下部から間隔を空けて遊技球を１球ずつ下降開始させる態様で動作するので、短期間の間に検出入球口に遊技球がまとめて入球することを抑制することができる。従って、転動手段に複数個の遊技球が乗った場合でも、検出入球口でオーバーフローが生じることを抑制することができる。
【０２９９】
遊技機Ｂ１において、前記転動手段へ遊技球を導入する導入流路を備え、前記転動手段は、前記導入流路から遊技球が導入されると共に前記最適落下部へ遊技球を案内する第１床部材を備え、その第１床部材は、転動する遊技球の重さにより動作可能に形成され、その動作により後から到達する遊技球の前記第１床部材へ向けた速度を低減する態様で動作することを特徴とする遊技機Ｂ２。
【０３００】
遊技機Ｂ２によれば、遊技機Ｂ１の奏する効果に加え、転動手段の第１床部材に遊技球が乗った場合に、遊技球の重さで第１床部材が動作することで、遊技球の第１床部材へ向けた速度を低減することができるので、第１床部材に乗った遊技球と第１床部材へ向けた遊技球との間隔を広げることができる。これにより、検出入球口でオーバーフローが生じることを抑制することができる。
【０３０１】
なお、遊技球の第１床部材へ向けた速度を低減する場合としては、例えば、遊技球の第１床部材へ向けた速さを落とす（制動する）場合や、遊技球を停止させる場合や、遊技球を第１床部材へ向けた方向とは逆方向へ移動させる（逆走させる）場合などが例示される。
【０３０２】
また、遊技球の第１床部材へ向けた速度を低減する方法としては、例えば、第１床部材を第１床部材から遠ざかる方向に下降傾斜する姿勢とする方法や、第１床部材の上面に減速突起を張り出させる方法や、第１床部材上の遊技球に磁力が作用可能な位置に磁石を張り出させる方法等が例示される。
【０３０３】
遊技機Ｂ２において、前記最適落下部が前記第１床部材に配設されると共に、前記第１床部材が、前記最適落下部から遊技球を落下させる際に動作する態様で構成され、前記転動手段は、前記最適落下部から遊技球が落下する前後において前記第１床部材の近傍に載置されると共に、所定期間の内に前記最適落下部へ向かう他の遊技球の、前記最適落下部への到達を防止する防止手段を備えることを特徴とする遊技機Ｂ３。
【０３０４】
遊技機Ｂ３によれば、遊技機Ｂ２の奏する効果に加え、最適落下部から遊技球が落下する際に第１床部材が動作する態様で構成され、転動手段が、最適落下部から遊技球が落下する前後において第１床部材に載置され、所定期間の内に最適落下部へ向かう他の遊技球を防止手段により防止するので、複数の遊技球が連なって最適落下部へ導入された場合でも、最適落下部から最先の遊技球が落下した後、他の遊技球が最適落下部から連続して落下することを抑制することができる。これにより、検出入球口でオーバーフローが生じることを抑制することができる。
【０３０５】
遊技機Ｂ３において、前記防止手段が、遊技球を防止可能な防止状態と、遊技球を防止不能な通過状態と、を構成可能とされ、前記最適落下部から遊技球が落下した直後の前記最適落下部の状態として、前記検出入球口に遊技球を入球させ易い態様で遊技球が落下した好適落下状態と、その好適落下状態に比較して前記検出入球口に遊技球を入球させ難い態様で遊技球が落下した普通落下状態と、が構成され、前記好適落下状態とされた場合に前記防止手段が防止状態とされると共に、前記普通落下状態とされた場合に前記防止手段が通過状態とされることを特徴とする遊技機Ｂ４。
【０３０６】
遊技機Ｂ４によれば、遊技機Ｂ３の奏する効果に加え、最適落下部が好適落下状態とされる場合には防止手段が防止状態とされると共に、最適落下部が普通落下状態とされる場合には防止手段が通過状態とされるので、最適落下部から落下する遊技球が検出入球口に入球しない場合にまで遊技球を防止することを抑制し、検出入球口に遊技球が入球するタイミングが無意味に遅れることを抑制することができる。
【０３０７】
遊技機Ｂ３又はＢ４において、前記防止手段に防止された遊技球を前記最適落下部から遠ざかる方向へ送球する送球手段を備えることを特徴とする遊技機Ｂ５。
【０３０８】
遊技機Ｂ５によれば、遊技機Ｂ３又はＢ４の奏する効果に加え、送球手段により防止手段に防止された遊技球を最適落下部から遠ざかる方向へ送球することにより、遊技球の動きを激しくすると共に、その遊技球が最適落下部に再度到達するまでの期間を稼ぐことができるので、遊技者の興趣の向上を図りながら、検出入球口でオーバーフローが生じることを抑制することができる。
【０３０９】
遊技機Ｂ２からＢ５のいずれかにおいて、前記第１床部材に遊技球を導入する中間床部材を備え、その中間床部材が動作可能とされ、その動作により前記第１床部材から遠ざかる方向に下降傾斜する状態に前記中間床部材が状態変化することを特徴とする遊技機Ｂ６。
【０３１０】
遊技機Ｂ６によれば、遊技機Ｂ２からＢ５のいずれかの奏する効果に加え、中間床部材が、第１床部材から遠ざかる方向に下降傾斜するので、中間床部材に到達する遊技球に対して、第１床部材から離反する方向に重力加速度を生じさせることができる。従って、第１床部材上に配置される遊技球と、中間床部材にこれから到達する遊技球との離間幅が縮まることを抑制することができる。
【０３１１】
遊技機Ｂ６において、前記中間床部材が前記第１床部材の両側に一対で配置され、前記中間床部材の姿勢変化が前記一対の中間床部材で交互に生じることを特徴とする遊技機Ｂ７。
【０３１２】
遊技機Ｂ７によれば、遊技機Ｂ６の奏する効果に加え、中間床部材が第１床部材の両側に一対で配置され、中間床部材の姿勢変化が一対の中間床部材で交互に生じるので、一対の中間床部材の両方に遊技球が向かう場合に、それらの遊技球が減速されるタイミングをずらすことができ、それらの遊技球が第１床部材に到達するタイミングをずらすことができる。従って、遊技球が最適落下部付近で渋滞することを抑制することができる。
【０３１３】
遊技機Ｂ２からＢ７のいずれかにおいて、前記転動手段において、左右方向の往復動作が収束し終え前記最適落下部に到達した遊技球と、前記導入流路を通過して前記第１床部材へ向けて流下する遊技球との衝突を防止する態様で構成されることを特徴とする遊技機Ｂ８。
【０３１４】
遊技機Ｂ８によれば、遊技機Ｂ２からＢ７のいずれかの奏する効果に加え、転動手段において、左右方向の往復動作が収束し終え最適落下部に到達した遊技球と、導入流路を通過して前記第１床部材へ向けて流下する遊技球との衝突を防止する態様で構成されるので、最適落下部から落下する直前の遊技球が他の遊技球に衝突されて検出入球口から離反する方向に落下することや、衝突した遊技球同士が連なって検出入球口を通過することを防止することができる。
【０３１５】
遊技機Ａ１からＡ９，Ｂ１からＢ８のいずれかにおいて、前記遊技機はスロットマシンであることを特徴とする遊技機Ｆ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０３１６】
遊技機Ａ１からＡ９，Ｂ１からＢ８のいずれかにおいて、前記遊技機はパチンコ遊技機であることを特徴とする遊技機Ｆ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０３１７】
遊技機Ａ１からＡ９，Ｂ１からＢ８のいずれかにおいて、前記遊技機はパチンコ遊技機とスロットマシンとを融合させたものであることを特徴とする遊技機Ｆ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０３１８】
１０                                              パチンコ機（遊技機）
６４                                              入賞口（検出入球口の一部）
３００                                            遅延デバイス（遅延手段）
３１２                                            第２溝（第１案内流路の一部）
３１２ｄ                                          検出口（検出入球口の一部）
３１３                                            第３溝（第２案内流路の一部）
３４０                                            振り分け装置（振り分け手段）
３４１                                            第１壁部（第１壁部）
３４２                                            第２壁部（第２壁部）
３４２ａ                                          先端凸部（分割手段の一部）
３５０                                            第２調整装置（付勢手段）
４００                                            遅延床デバイス（転動手段）
４１０                                            扇状部材（第１床部材、防止手段の一部、送球手段の一部、中間床部材）
４１１ａ                                          面取り部（最適落下部）
４３６                                            遅延流路（送球手段の一部）
Ｐ１、Ｐ４、Ｐ６、Ｐ２１                          球（第１遊技球）
Ｐ２、Ｐ５、Ｐ７、Ｐ２２                          球（第２遊技球）
Ｐ１１、Ｐ１２                                    球（遊技球、他の遊技球）
【図１】
2019141732.tif 000003
【図２】
2019141732.tif 000004
【図３】
2019141732.tif 000005
【図４】
2019141732.tif 000006
【図５】
2019141732.tif 000007
【図６】
2019141732.tif 000008
【図７】
2019141732.tif 000009
【図８】
2019141732.tif 000010
【図９】
2019141732.tif 000011
【図１０】
2019141732.tif 000012
【図１１】
2019141732.tif 000013
【図１２】
2019141732.tif 000014
【図１３】
2019141732.tif 000015
【図１４】
2019141732.tif 000016
【図１５】
2019141732.tif 000017
【図１６】
2019141732.tif 000018
【図１７】
2019141732.tif 000019
【図１８】
2019141732.tif 000020
【図１９】
2019141732.tif 000021
【図２０】
2019141732.tif 000022
【図２１】
2019141732.tif 000023
【図２２】
2019141732.tif 000024
【図２３】
2019141732.tif 000025
【図２４】
2019141732.tif 000026
【図２５】
2019141732.tif 000027
【図２６】
2019141732.tif 000028
【図２７】
2019141732.tif 000029
【図２８】
2019141732.tif 000030
【図２９】
2019141732.tif 000031
【図３０】
2019141732.tif 000032
【図３１】
2019141732.tif 000033
【図３２】
2019141732.tif 000034
【図３３】
2019141732.tif 000035
【図３４】
2019141732.tif 000036
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
遊技球が入球することによる所定情報を所定数まで記憶可能とされる第１状態と、その第１状態における前記所定情報の記憶個数が所定数に到達することにより切り替えられる状態であって遊技球が入球しても前記第１状態における前記所定情報の記憶個数に加算されないよう構成される第２状態と、を構成可能とされる検出入球口を備える遊技機において、
遊技球が前記検出入球口へ入球し易い下降開始位置である所定落下部を通過する態様で上面を転動可能に構成される転動手段を備え、
その転動手段は、所定落下部側の反対側に形成される形成部を備え、前記転動手段上に複数の遊技球が乗った状態から、一の遊技球を前記所定落下部から下降開始させる態様で前記形成部が前記所定落下部側よりも上側へ変位する方向に動作した場合に、前記形成部上の他の遊技球が前記所定落下部よりも上流側に位置する所定位置から前記検出入球口側へ向けて流下可能となるように構成されることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機などの遊技機において、遊技球が入球可能な入球口へ向けて遊技球を転動させる転動手段を備える遊技機がある（特許文献１）。
【先行技術文献】
【特許文献】
【０００３】
【特許文献１】特開２０１１−１５６０５８号公報
【発明の概要】
【発明が解決しようとする課題】
【０００４】
しかしながら、上述した従来の遊技機では、転動手段の作用に改良の余地があるという問題点があった。本発明は、上記例示した問題点などを解決するためになされたものであり、転動手段の作用が良好な遊技機を提供することを目的とする。
【課題を解決するための手段】
【０００５】
この目的を達成するために請求項１記載の遊技機は、遊技球が入球することによる所定情報を所定数まで記憶可能とされる第１状態と、その第１状態における前記所定情報の記憶個数が所定数に到達することにより切り替えられる状態であって遊技球が入球しても前記第１状態における前記所定情報の記憶個数に加算されないよう構成される第２状態と、を構成可能とされる検出入球口を備える遊技機であって、遊技球が前記検出入球口へ入球し易い下降開始位置である所定落下部を通過する態様で上面を転動可能に構成される転動手段を備え、その転動手段は、所定落下部側の反対側に形成される形成部を備え、前記転動手段上に複数の遊技球が乗った状態から、一の遊技球を前記所定落下部から下降開始させる態様で前記形成部が前記所定落下部側よりも上側へ変位する方向に動作した場合に、前記形成部上の他の遊技球が前記所定落下部よりも上流側に位置する所定位置から前記検出入球口側へ向けて流下可能となるように構成される。
【０００６】
【０００７】
【発明の効果】
【０００８】
請求項１記載の遊技機によれば、転動手段の作用を良好にすることができる。
【０００９】
【００１０】
【図面の簡単な説明】
【００１１】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】遊技盤の背面分解斜視図である。
【図６】遅延デバイスの正面図である。
【図７】図６のＶＩＩ−ＶＩＩ線における遅延デバイスの断面図である。
【図８】図６のＶＩＩＩ−ＶＩＩＩ線における遅延デバイスの部分断面図である。
【図９】スライド移動部材の正面斜視図である。
【図１０】（ａ）は、スライド移動部材の正面図であり、（ｂ）は、図１０（ａ）の矢印Ｘｂ方向視におけるスライド移動部材の側面図であり、（ｃ）は、図１０（ａ）の矢印Ｘｃ方向視におけるスライド移動部材の上面図であり、（ｄ）は、図１０（ａ）のＸｄ−Ｘｄ線におけるスライド移動部材の部分断面図である。
【図１１】振り分け装置及び第２調整装置の正面斜視図である。
【図１２】（ａ）は、振り分け装置及び第２調整装置の正面図であり、（ｂ）は、図１２（ａ）の矢印ＸＩＩｂ方向視における振り分け装置及び第２調整装置の側面図であり、（ｃ）は、図１２（ａ）の矢印ＸＩＩｃ方向視における振り分け装置及び第２調整装置の上面図であり、（ｄ）は、図１２（ａ）のＸＩＩｄ−ＸＩＩｄ線における振り分け装置及び第２調整装置の部分断面図である。
【図１３】遅延デバイスの正面図である。
【図１４】遅延デバイスの正面図である。
【図１５】（ａ）から（ｃ）は、回転軸に直交する平面における第２調整装置の断面図である。
【図１６】（ａ）から（ｄ）は、機能円盤装置を回転軸に垂直な平面で断面視した機能円盤装置の断面図である。
【図１７】（ａ）及び（ｂ）は、遅延デバイスの部分正面図である。
【図１８】（ａ）及び（ｂ）は、遅延デバイスの部分正面図である。
【図１９】（ａ）及び（ｂ）は、遅延デバイスの部分正面図である。
【図２０】遅延デバイスの部分正面図である。
【図２１】（ａ）から（ｃ）は、遅延デバイスの部分正面図である。
【図２２】遊技盤の部分正面斜視図である。
【図２３】（ａ）は、扇状部材の上面図であり、（ｂ）は、図２３（ａ）の矢印ＸＸＩＩＩｂ方向視における扇状部材の側面図であり、（ｃ）は、図２３（ａ）のＸＸＩＩＩｃ−ＸＸＩＩＩｃ線における扇状部材の断面図であり、（ｄ）は、図２３（ｂ）の矢印ＸＸＩＩＩｄ方向視における扇状部材の底面図である。
【図２４】（ａ）は、リンク部材の側面図であり、（ｂ）は、図２４（ａ）の矢印ＸＸＩＶｂ方向視におけるリンク部材の底面図である。
【図２５】（ａ）は、扇状部材及びリンク部材の上面図であり、（ｂ）は、図２５（ａ）のＸＸＶｂ−ＸＸＶｂ線における扇状部材及びリンク部材の断面図である。
【図２６】固定床の上面図である。
【図２７】（ａ）は、図２６のＸＸＶＩＩａ−ＸＸＶＩＩａ線における固定床の断面図であり、（ｂ）は、図２６のＸＸＶＩＩｂ−ＸＸＶＩＩｂ線における固定床の断面図である。
【図２８】（ａ）は、遅延床デバイスの部分上面図であり、（ｂ）は、図２８（ａ）のＸＸＶＩＩＩｂ−ＸＸＶＩＩＩｂ線における遅延床デバイスの断面図であり、（ｃ）は、遅延床デバイスの部分上面図であり、（ｄ）は、図２８（ｃ）のＸＸＶＩＩＩｄ−ＸＸＶＩＩＩｄ線における遅延床デバイスの断面図である。
【図２９】（ａ）は、遅延床デバイスの上面図であり、（ｂ）は、図２９（ａ）のＸＸＩＸｂ−ＸＸＩＸｂ線における遅延床デバイスの断面図であり、（ｃ）は、遅延床デバイスの上面図であり、（ｄ）は、図２９（ｃ）のＸＸＩＸｄ−ＸＸＩＸｄ線における遅延床デバイスの断面図である。
【図３０】（ａ）は、遅延床デバイスの上面図であり、（ｂ）は、図３０（ａ）のＸＸＸｂ−ＸＸＸｂ線における遅延床デバイスの断面図である。
【図３１】（ａ）は、遅延床デバイスの上面図であり、（ｂ）は、図３１（ａ）のＸＸＸＩｂ−ＸＸＸＩｂ線における遅延床デバイスの断面図であり、（ｃ）は、遅延床デバイスの上面図であり、（ｄ）は、図３１（ｃ）のＸＸＸＩｄ−ＸＸＸＩｄ線における遅延床デバイスの断面図である。
【図３２】（ａ）は、遅延床デバイスの上面図であり、（ｂ）は、図３２（ａ）のＸＸＸＩＩｂ−ＸＸＸＩＩｂ線における遅延床デバイスの断面図であり、（ｃ）は、遅延床デバイスの上面図であり、（ｄ）は、図３２（ｃ）の矢印ＸＸＸＩＩｄ方向視における遅延床デバイスの正面図である。
【図３３】（ａ）及び（ｂ）は、図３２（ｃ）のＸＸＸＩＩＩａ−ＸＸＸＩＩＩａ線における遅延床デバイスの断面図である。
【図３４】（ａ）から（ｃ）は、第２実施形態における遅延デバイスの部分正面図である。
【発明を実施するための形態】
【００１２】
以下、本発明の実施形態について、添付図面を参照して説明する。まず、図１から図３３を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の後面図である。
【００１３】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１４】
内枠１２には、多数の釘や入賞口６３，６４等を有する遊技盤１３（図２参照）が裏面側から着脱可能に装着される。この遊技盤１３の正面を球（遊技球）が流下することにより弾球遊技が行われる。なお、内枠１２には、球を遊技盤１３の正面領域に発射する球発射ユニット１１２ａ（図４参照）やその球発射ユニット１１２ａから発射された球を遊技盤１３の正面領域まで誘導する発射レール（図示せず）等が取り付けられている。
【００１５】
内枠１２の正面側には、その正面上側を覆う正面枠１４と、その下側を覆う下皿ユニット１５とが設けられている。正面枠１４及び下皿ユニット１５を支持するために正面視（図１参照）左側の上下２カ所に金属製のヒンジ１９が取り付けられ、そのヒンジ１９が設けられた側を開閉の軸として正面枠１４及び下皿ユニット１５が正面手前側へ開閉可能に支持されている。なお、内枠１２の施錠と正面枠１４の施錠とは、シリンダ錠２０の鍵穴２１に専用の鍵を差し込んで所定の操作を行うことでそれぞれ解除される。
【００１６】
正面枠１４は、装飾用の樹脂部品や電気部品等を組み付けたものであり、その略中央部には略楕円形状に開口形成された窓部１４ｃが設けられている。正面枠１４の裏面側には２枚の板ガラスを有するガラスユニット１６が配設され、そのガラスユニット１６を介して遊技盤１３の正面がパチンコ機１０の正面側に視認可能となっている。
【００１７】
正面枠１４には、球を貯留する上皿１７が正面側へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１８】
正面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、正面枠１４の正面視（図１参照）左上部には、ＬＥＤ等の発光手段が内蔵され賞球の払い出し中とエラー発生時とを表示可能な表示ランプ３４が設けられている。
【００１９】
また、右側の電飾部３２下側には、正面枠１４の裏面側を視認できるように裏面側より透明樹脂を取り付けて小窓３５が形成され、遊技盤１３正面の貼着スペースＫ１（図２参照）に貼付される証紙等がパチンコ機１０の正面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２０】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２１】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の正面へ打ち込むために遊技者によって操作される操作ハンドル５１が配設される。
【００２２】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の正面へ球が打ち込まれる。また、操作ハンドル５１が遊技者により操作されていない状態においては、タッチセンサ５１ａおよび発射停止スイッチ５１ｂがオフとなっている。
【００２３】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２４】
図２に示すように、遊技盤１３は、正面視略正方形状に切削加工したベース板６０に、球案内用の多数の釘や風車（図示せず）の他、レール６１，６２、一般入賞口６３、第１入賞口６４、第２入賞口６４０、第一可変入賞装置６５、第２可変入賞装置（図示せず）、スルーゲート６７、可変表示装置ユニット８０等を組み付けて構成され、その周縁部が内枠１２（図１参照）の裏面側に取り付けられる。ベース板６０は光透過性の樹脂材料からなり、その正面側からベース板６０の後面側に配設された各種構造体を遊技者に視認させることが可能に形成される。一般入賞口６３、第１入賞口６４、第２入賞口６４０、第１可変入賞装置６５、第２可変入賞装置（図示せず）、可変表示装置ユニット８０は、ルータ加工によってベース板６０に形成された貫通穴に配設され、遊技盤１３の正面側からタッピングネジ等により固定されている。
【００２５】
遊技盤１３の正面中央部分は、正面枠１４の窓部１４ｃ（図１参照）を通じて内枠１２の正面側から視認することができる。以下に、主に図２を参照して、遊技盤１３の構成について説明する。
【００２６】
遊技盤１３の正面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の正面外周が囲まれ、遊技盤１３とガラスユニット１６（図１参照）とにより前後が囲まれることにより、遊技盤１３の正面には、球の挙動により遊技が行われる遊技領域が形成される。遊技領域は、遊技盤１３の正面であって２本のレール６１，６２とレール間を繋ぐ樹脂製の外縁部材７３とにより区画して形成される領域（入賞口等が配設され、発射された球が流下する領域）である。
【００２７】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２８】
遊技領域の正面視左側下部（図２の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００２９】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３０】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３１】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３２】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３３】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３４】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００３５】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。また、可変表示装置ユニット８０には、第３図柄表示装置８１の外周を囲むようにして、センターフレーム８６が配設されている。
【００３６】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３７】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００３８】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成されている。
【００３９】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【００４０】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４１】
スルーゲート６７は、可変表示装置ユニット８０の下側の領域における右方において遊技盤に組み付けられ、遊技盤に発射された球のうち、遊技盤の右方を流下する球の一部が通過可能に構成されている。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４２】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４３】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は１つに限定されるものではなく、複数（例えば、２つ）であっても良い。また、スルーゲート６７の組み付け位置は可変表示装置ユニット８０の右方に限定されるものではなく、例えば、可変表示装置ユニット８０の左方でも良い。また、第１図柄表示装置３７Ａ，３７Ｂにより保留球数が示されるので、第２図柄保留ランプにより点灯表示を行わないものとしてもよい。
【００４４】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４５】
一方、第１入賞口６４の正面視右方には、球が入賞し得る第２入賞口６４０が配設されている。この第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４６】
球の第１入賞口６４、第２入賞口６４０の通過回数は、それぞれ、合計で最大４回まで保留され、その保留球数が上述した第１図柄表示装置３７Ａ，３７Ｂにより表示される。更に、例えば、第１入賞口６４の保留球数が多いほど、表示装置での変動表示期間として短い期間が選択されやすい制御とされる。同様に、第２入賞口６４０も制御される。
【００４７】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００４８】
第２入賞口６４０には電動役物６４０ａが付随されている。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【００４９】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【００５０】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような電動役物は有しておらず、球が常時入賞可能な状態となっている。
【００５１】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５２】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【００５３】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５４】
第１入賞口６４の上方右側には第１可変入賞装置６５が配設されており、その略中央部分に特定入賞口６５ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５５】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５６】
第１可変入賞装置６５は、具体的には、特定入賞口６５ａを覆う正面視三角形状の開閉板と、その開閉板の下辺を軸として右側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を右側に傾倒し、球が特定入賞口６５ａに入賞しやすい開状態を一時的に形成し、その開状態と通常時の閉状態との状態を交互に繰り返すように作動する。
【００５７】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）を配置しても良く、また配置位置も第１入賞口６４の下方右側や、第１入賞口６４の下方左側に限らず、例えば、可変表示装置ユニット８０の左方でも良い。
【００５８】
遊技盤１３の下側における右隅部には、証紙や識別ラベル等を貼着するための貼着スペースＫ１が設けられ、貼着スペースＫ１に貼られた証紙等は、正面枠１４の小窓３５（図１参照）を通じて視認することができる。
【００５９】
遊技盤１３には、第１アウト口７１が設けられている。遊技領域を流下する球であって、いずれの入賞口６３，６４，６５ａ，６４０にも入賞しなかった球は、第１アウト口７１を通って図示しない球排出路へと案内される。第１アウト口７１は、第１入賞口６４の下方に配設される。
【００６０】
遊技盤１３には、球の落下方向を適宜分散、調整等するために多数の釘が植設されているとともに、風車等の各種部材（役物）とが配設されている。本実施形態においては、風車の内の一つ（可動部材３１０と称す）が遊技盤１３の正面視左側上方に配設され、図２において図示されている。
【００６１】
図３に示すように、パチンコ機１０の後面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６２】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６３】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６４】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６５】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６６】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００６７】
次に、図４を参照して、本パチンコ機１０の電気的構成について説明する。図４は、パチンコ機１０の電気的構成を示すブロック図である。
【００６８】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【００６９】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７０】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７１】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７２】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として正面側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７３】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７４】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７５】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７６】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７７】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００７８】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００７９】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には駆動モータ４７２が含まれる。
【００８０】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた後面画像を第３図柄表示装置８１に表示させるべく、変更後のステージに関する情報を含めた後面画像変更コマンドを表示制御装置１１４へ送信する。ここで、後面画像とは、第３図柄表示装置８１に表示させる主要な画像である第３図柄の後面側に表示される画像のことである。表示制御装置１１４は、この音声ランプ制御装置１１３から送信されるコマンドに従って、第３図柄表示装置８１に各種の画像を表示する。
【００８１】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８２】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８３】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８４】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８５】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８６】
次いで、図５から図２１を参照して、遅延デバイス３００について説明する。図５は、遊技盤１３の背面分解斜視図である。図５では、遊技領域を流下し第１入賞口６４に流入した球が流下する遅延デバイスが、遊技盤１３から分解された状態が図示される。
【００８７】
第１入賞口６４に流入した球は遅延デバイス３００の内部を流下し、その下端に配置される検出口３１２ｄから送球され、検出センサ（図示せず）を通過することにより、抽選が行われる。即ち、第１入賞口６４に球が入球してから、検出センサを通過するまでの間は、未だ抽選が未実施の状態とされる。
【００８８】
次いで、図６及び図７を参照して、遅延デバイス３００について説明する。図６は、遅延デバイス３００の正面図であり、図７は、図６のＶＩＩ−ＶＩＩ線における遅延デバイス３００の断面図である。なお、図７では、理解を容易とするために、遊技盤１３が部分的に図示される。
【００８９】
図６及び図７に示すように、遅延デバイス３００は、内部に溝が形成され、その溝と面あたりする遊技盤１３とで第１入賞口６４に入球した球が流下する経路を形成する本体部材３１０と、その本体部材３１０に対してスライド移動するスライド移動部材３２１を有する減速装置３２０と、その減速装置３２０の復帰動作を調整する第１調整装置３３０と、本体部材３１０に対して回転動作し球を異なった流路に振り分ける振り分け装置３４０と、その振り分け装置３４０の回転軸と同軸で構成されると共に振り分け装置３４０の復帰動作を調整する第２調整装置３５０と、を主に備える。
【００９０】
本体部材３１０は、遊技盤１３と対向配置される側が開放される溝を構成する部材であって、第１入賞口６４から入球した球が最初に流下する第１溝３１１と、その第１通路３１１の下端から鉛直下方に延設される第２溝３１２と、第１溝３１１と第２溝３１２との連結部分から横方向に延設され第２溝３１２の延設長さよりも長い経路をたどって検出口３１２ｄに連結される第３溝３１３と、底板部開口３１１ｂの手前側から第１溝３１１の下方へ向けて板状に延設されると共にスライド移動部材３２１を支持する支持板部３１４と、を主に備える。
【００９１】
第１溝３１１は、第１入賞口６４から入球した球を斜め下方に一直線に下降させる本通路３１１ａと、その本通路３１１ａの底板の奥行き方向中央部（球の奥行き方向中央部）において球の半径よりも短い幅に形成される開口である底板部開口３１１ｂと、天板部分において減速装置３２０の風車部材３２２を内部に張出可能な幅であけられる天板部開口３１１ｃと、その天板部開口３１１ｃを挟んで奥行き方向に一対で配設されると共に風車部材３２２の軸受けとなる軸受け部３１１ｄと、本通路３１１ａから奥側に球を転動可能な大きさで凹設される奥側凹設部３１１ｅと、を主に備える。
【００９２】
奥側凹設部３１１ｅは、本通路３１１ａの入口付近において連結される凹設部分であって、その入口付近では底面が本通路３１１ａの底面と同じ高さとされ、下流側へ向かうにつれて本通路３１１ａよりも上昇傾斜する態様で構成される。
【００９３】
第２溝３１２は、第１溝３１１の下端に到達した球を左右方向に跳ね返す負荷を与える当接壁３１２ａと、背面側（図６奥側）の板部に形成される凹部であって振り分け装置３４０を配設可能に円弧形状に凹設される凹設部３１２ｂと、第３溝３１３から流入する球を受け止めると共に振り分け装置３４０の回り止めとして作用する受け壁部３１２ｃと、球を送球する検出口３１２ｄと、凹設部３１２ｂと対面配置される側壁部３１２ｅと、を主に備える。
【００９４】
支持板部３１４は、スライド移動部材３２１の案内棒部３２１ｃが挿通される一対の長孔３１４ａを備える。この長孔３１４ａは、第１調整装置３３０の長孔３３１ａと向きを同じくして構成される（前後方向で重なる態様で構成される）。
【００９５】
減速装置３２０は、第１溝３１１を球が通過することによりスライド移動するスライド移動部材３２１と、そのスライド移動部材３２１に歯合されると共に球に当接され回転する風車部材３２２と、を主に備える。
【００９６】
スライド移動部材３２１は、本体部材３１０の長孔３１４ａと、後述する第１調整装置３３０の長孔３３１ａとに案内されて、直線動作可能とされる。
【００９７】
風車部材３２２は、軸受け部３１１ｄに軸支されると共に奥側の端部にスライド移動部材３２１と歯合されるギア部を有する本体ギア部３２２ａと、その本体ギア部３２２ａの軸部分から放射状に一対が延設されると共に互いに９０°の角度を成す第１延設羽部３２２ｂと、第２延設羽部３２２ｃと、を主に備える。
【００９８】
図７に示すように、第１延設羽部３２２ｂと、第２延設羽部３２２ｃとは、天板部開口３１１ｃから第１溝３１１ａ内部へ向けて張出可能に構成されると共に、第１溝３１１ａを流下する球に当接され、スライド移動部材３２１が重力で下端位置に維持される初期状態において第１延設羽部３２２ｂが球に当接可能な位置に配置される。
【００９９】
第２延設羽部３２２ｃは、その延設方向先端部の、図６の状態から第１溝３１１に近接する方向に先細り形状で凸設される凸設部３２２ｃ１を備える。凸設部３２２ｃ１は、球が２球連続で第１溝を流下した場合にそれらの球を切り離す態様で作用する。
【０１００】
第１調整装置３３０は、本体部材３１０を遊技盤１３との間に挟む板状部材である本体板部材３３１と、その本体板部材３３１に軸支されると共に風車部材３２２の本体ギア部３２２ａと歯合される固定ギア部３３２ａを有する回転付勢装置３３２と、を主に備える。なお、風車部材３２２の本体ギア部３２２ａに対する固定ギア部３３２ａのギア比は約２とされる。即ち、風車部材３２２が９０°回転することに伴って、回転付勢装置３３２は４５°回転する。
【０１０１】
本体板部材３３１は、スライド移動部材３２１を案内する長孔であって一対で構成される長孔３３１ａを備え、同形状の長孔３１４ａが対向配置される支持板部３１４にも形成される。これら長孔３１４ａ，３３１ａに案内されることによりスライド移動部材３２１が直進方向にスライド移動可能に構成される。
【０１０２】
回転付勢装置３３２は、本体板部材３３１に軸支される固定ギア部３３２ａと、その固定ギア部３３２ａに軸方向端部において固着され内部に凹設溝を有する機能円盤装置３３２ｂと、を主に備える。
【０１０３】
振り分け装置３４０は、本体部材３１０の第２溝３１２の右方において本体部材３１０に中心孔３４５で軸支される装置であって、図６に示す初期状態において、第２溝３１２ｂから流入する球を受け止める第１壁部３４１と、その第１壁部３４１の上方に球１個分離間して対向配置される第２壁部３４２と、その第２壁部３４２の先端部から振り分け装置３４０の回転軸を中心とする円弧形状に沿って形成される円弧壁部３４３と、円盤形状から形成され第２溝３１２の凹設部３１２と面位置に配置されると共に第２溝３１２の奥側の板部の一部を補完する態様で形成される補完板部３４４と、本体部材３１０に軸支される貫通孔である中心孔３４５と、を主に備える。
【０１０４】
第２壁部３４２は、延設先端に径方向に凸設される先端凸部３４２ａを備える。先端凸部３４２ａにより、円弧壁部３４３に当接して流下する球によって、振り分け装置３４０に正面視反時計回り（図６において反時計回り）の負荷を与えることができ、球の作用で意図せず振り分け装置３４０が初期位置側に復帰することを抑制することができる。
【０１０５】
振り分け装置３４０の初期位置は、遊技盤１３の後方へ凸設されるストッパ部Ｓ１により規定される。即ち、初期位置において、円弧壁部３４３の先端がストッパ部Ｓ１に止められることで、振り分け装置３４０は停止する。振り分け装置３４０を正面視時計回り（図６時計回り）に回転させる駆動力は第２調整装置３５０により生じる。
【０１０６】
第２調整装置３５０は、振り分け装置３４０の補完板部３４４に固定される装置であって、内部において重心を変化させる疑似重心球ＧＢが移動可能な流路を有する装置であるが、詳細は図１５で後述する。
【０１０７】
図８は、図６のＶＩＩＩ−ＶＩＩＩ線における遅延デバイス３００の部分断面図である。図８に示すように、スライド移動部材３２１が本通路３１１ａの中心部分に配置される。これにより、スライド移動部材３２１が本通路３１１ａの内側に張出た際に、第１溝３１１を流下する球に凸設部３２１ａ１を確実に当接させることができる。
【０１０８】
本通路３１１ａを流下する球は、その形状関係から奥側凹設部３１１ｅに流入し得る。奥側凹設部３１１ｅは、下流側（図８左側）へ向かうほど本通路３１１ａ側に近接する態様で構成される戻し壁部３１１ｅ１を有する。これにより、奥側凹設部３１１ｅに流入した球を本通路３１１ａに戻すことができず、球詰まりが生じることを抑制することができる。
【０１０９】
次いで、図９及び図１０を参照してスライド移動部材３２１について説明する。図９は、スライド移動部材３２１の正面斜視図であり、図１０（ａ）は、スライド移動部材３２１の正面図であり、図１０（ｂ）は、図１０（ａ）の矢印Ｘｂ方向視におけるスライド移動部材３２１の側面図であり、図１０（ｃ）は、図１０（ａ）の矢印Ｘｃ方向視におけるスライド移動部材３２１の上面図であり、図１０（ｄ）は、図１０（ａ）のＸｄ−Ｘｄ線におけるスライド移動部材３２１の部分断面図である。
【０１１０】
図９及び図１０に示すように、スライド移動部材３２１は、遅延デバイス３００の本通路３１１ａの中央部分に本通路と平行な面で張り出す長尺板状の第１張出板部３２１ａと、その第１張出板部３２１ａの一方の端部に連設され第１張出板部３２１ａの延設方向に対して下降傾斜して延設される第２張出板部３２１ｂと、各張出板部３２１ａ，３２１ｂの長尺方向両端部において一対が平行に延設さえる丸棒形状の案内棒部３２１ｃと、各張出板部３２１ａ，３２１ｂに対して奥行き方向（図１０（ａ）紙面垂直方向）にオフセットされた位置において直線上に延設されると共にラックギア歯が形成されるラックギア部３２１ｄと、を主に備える。
【０１１１】
第１張出板部３２１ａは、組立状態（図６参照）において、本通路３１１ａの延設方向と平行な方向に延設される板部分であって、球の直径間隔で配設されると共に上面から半円形状に凸設される凸設部３２１ａ１を備える。凸設部３２１ａ１が球に当接することにより、本通路３１１ａ（図８参照）を通る球の速度が減速される。
【０１１２】
第２張出板部３２１ｂは、凸設部３２１ａ１と同様の作用を生じる凸設部３２１ｂ１と、奥側へ向けて下降傾斜する傾斜面３２１ｂ２（図１０（ｄ）参照）と、を備える。第２張出板部３２１ｂが本通路３１１ａの内側に張り出している場合、傾斜面３２１ｂ２により、流下する球が奥側凹設部３１１ｅへ向かい易い状態となる（図８参照）。従って、本通路３１１ａを、その延設方向に沿って、球が一直線に流下する場合に比較して、球の通過期間を長くすることができる。
【０１１３】
第１張出板部３２１ａと第２張出板部３２１ｂは延設方向が異なるので、第１延設板部３２１ａが本通路３１１ａの内側に張り出す一方で第２張出板部３２１ｂは本通路３１１ａの外側に配置される状態が形成可能とされる。即ち、スライド移動部材３２１の配置によって、球の減速の度合いを変更可能に構成されるが、詳細は後述する。
【０１１４】
案内棒部３２１ｃは、第１調整装置３３０の長孔３３１ａに挿通される（図６参照）。これにより、長孔３３１ａの延設方向に沿ってスライド移動部材３２１がスライド移動可能に支持される。
【０１１５】
ラックギア部３２１ｄは、長孔３３１ａの延設方向と平行に延設され、ラックギア歯が風車部材３２２の本体ギア部３２２ａに歯合される（図６参照）。これにより、風車部材３２２が回転することにより、ラックギア部３２１ｄが直線方向（長孔３３１ａの延設方向）にスライド動作される。
【０１１６】
次いで、図１１及び図１２を参照して、振り分け装置３４０及び第２調整装置３５０について説明する。図１１は、振り分け装置３４０及び第２調整装置３５０の正面斜視図であり、図１２（ａ）は、振り分け装置３４０及び第２調整装置３５０の正面図であり、図１２（ｂ）は、図１２（ａ）の矢印ＸＩＩｂ方向視における振り分け装置３４０及び第２調整装置３５０の側面図であり、図１２（ｃ）は、図１２（ａ）の矢印ＸＩＩｃ方向視における振り分け装置３４０及び第２調整装置３５０の上面図であり、図１２（ｄ）は、図１２（ａ）のＸＩＩｄ−ＸＩＩｄ線における振り分け装置３４０及び第２調整装置３５０の部分断面図である。なお、図１２（ｄ）では、疑似重心球ＧＢが減速壁部３５１ｄに乗った状態が図示される。
【０１１７】
図１１及び図１２に示すように、補完板部３４４の正面側は各壁部３４１，３４２，３４３の占める部分を除き開放され、球を流下させる通路の側壁として利用される（図６参照）。
【０１１８】
第２調整装置３５０は、補完板部３４４の背面側に固着されると共に内部に疑似重心球ＧＢを流下させる流路が凹設される重心変化装置３５１と、その重心変化装置３５１の凹設部に蓋をする態様で重心変化装置３５１に固定される蓋部材３５２と、を主に備える。
【０１１９】
重心変化装置３５１は、浅い凹設部を有する円板形状の本体部材３５１ａと、その本体部材３５１ａに疑似重心球ＧＢが流下可能な幅で凹設される凹設溝部３５１ｂと、その凹設溝部を中心で仕切ると共に先端部分のみで疑似重心球ＧＢの通過を許容する仕切り壁３５１ｃと、その仕切り壁３５１ｃによって仕切られる流路の片側に延設されると共に疑似重心球の流下を減速させる減速機構を有する減速壁部３５１ｄと、仕切り壁３５１ｃの一方の端部（図１２（ａ）下端部）に揺動可能に軸支されると共に疑似重心球ＧＢの一方向（図１２（ａ）右向き方向）の通過のみを許容する方向弁３５１ｅと、を主に備える。
【０１２０】
第２調整装置３５０の疑似重心球ＧＢを除く重心位置は回転中心と同じに設定される。即ち、疑似重心球ＧＢが回転中心に対してどの位置に配置されるかにより、振り分け装置３４０が安定する姿勢が決定される。
【０１２１】
ここで、疑似重心球ＧＢは、球の重量以下の球状物から構成される。例えば、球の重量が５グラムであれば、疑似重心球ＧＢとしては、２〜４グラム程度の球状物を選択することが望ましい。これにより、振り分け装置３４０に流入した球と疑似重心球ＧＢとで力が釣り合う事態を回避することができ、振り分け装置３４０を球の重さで回転させることが可能となる。
【０１２２】
図１２（ｄ）を参照して、減速壁部３５１ｄの減速機構について説明する。減速壁部３５１ｄは、球の両側を下側から支持し、その状態で球が転動する部分である。図１２（ｄ）に示すように、疑似重心球ＧＢは、回転軸からの長さが最大径（半径ｒ１）となる部分（図１２（ｄ）左右方向中央部分）で転動するのではなく、回転軸からの長さが最大径よりも短い半径（半径ｒ’１）となる部分で減速壁部３５１ｄと当接して転動する。そのため、疑似重心球ＧＢの回転数が同じである場合、疑似重心球ＧＢが仕切り壁３５１ｃの上を転動（半径ｒ１で転動）する時の疑似重心球ＧＢの速度に比較して、減速壁部３５１ｄの上を転動（半径ｒ’１で転動）する時の疑似重心球ＧＢの速度を遅くすることができる。
【０１２３】
即ち、疑似重心球ＧＢの一回転辺りの並進移動距離を短縮することができる。この方法により疑似重心球ＧＢを減速する場合、疑似重心球ＧＢの回転のエネルギーを保持したまま減速を行うことができるので、制動が効き過ぎて、疑似重心球ＧＢが意図しない位置で停止するという事態を回避することができる。
【０１２４】
また、減速壁部３５１ｄと疑似重心球ＧＢとの当接位置（疑似重心球ＧＢの転動半径）の設定によって疑似重心球ＧＢの減速の度合いを任意に設定できるので、特別な材料（高摩擦の材料等）は不要であると共に、減速壁部３５１ｄの形成距離が短い場合にも疑似重心球ＧＢを十分に減速させることができる。
【０１２５】
次いで、図１３及び図１４を参照して、遅延デバイス３００の動作について説明する。図１３及び図１４は、遅延デバイス３００の正面図である。図１３では、図６に示す初期状態において球が本体部材３１０を１球流れた直後の状態が図示され、図１４では、図１３の状態において球が本体部材３１０を１球流れた直後の状態が図示される。
【０１２６】
図１３及び図１４に示すように、球の通過により、振り分け装置３４０は初期状態（図６参照）と変化状態（図１３参照）とに姿勢変化し、減速装置３２０は、球の通過する個数によって、初期状態（図６参照）と、中間状態（図１３参照）と、上昇状態（図１３参照）とで状態（高さ方向の配置）が変化する。
【０１２７】
減速装置３２０の各状態について説明する。減速装置３２０が中間状態の場合、スライド移動部材３２１が移動し本通路３１１ａの底面から凸設部３２１ａが張り出す位置に配置される。従って、この状態において本通路３１１ａに流入した球は凸設部３２１ａに当接し、減速されながら流下することとなる。なお、中間状態では、第２張出板部３２１ｂが第１溝３１１の外側に配置される。
【０１２８】
減速装置３２０が上昇状態の場合、スライド移動部材３２１が本通路３１１ａの内部に更に張り出し、第２張出板部３２１ｂが奥側凹設部３１１ｅの底面よりも上方に配置される。第２張出板部３２１ｂは上面に傾斜面３２１ｂ（図１０参照）を有しているので、この状態において本通路３１１ａに流入した球は傾斜面３２１ｂの傾斜に沿って奥側凹設部３１１ｅに流入し、奥側凹設部３１１ｅの下端部まで流れた後で再度、本通路３１１ａと合流する。
【０１２９】
減速装置３２０が上昇状態の場合、第１張出板部３２１ａが本通路３１１ａの内側に張り出することにより、本通路３１ａの道幅（高さ方向の幅）が狭まる。また、本実施形態では、スライド移動部材３２１が本通路３１１ａの延設方向に対して傾斜する方向にスライド移動することにより、第２溝３１２の当接壁３１２ａと第１張出板部３２１ａの端部との幅が狭まる。従って、球の減速を、本通路３１１ａの道幅を狭めることと、第１溝３１１と第２溝３１２との連結部分の道幅を狭めることで流路抵抗を上昇させることにより行うことができる。
【０１３０】
振り分け装置３４０の各状態について説明する。振り分け装置３４０が初期状態（図６参照）の場合、振り分け装置３４０へ流入する球は第１壁部３４１に受け止められる。すると、球の重さで振り分け装置３４０が変化状態（図１３参照）まで回転し、球は検出口３１２ｄへ流入する。
【０１３１】
ここで、本実施形態では、側壁部３１２ｅが第１壁部３４１よりも上方へ張り出して（球の半径以上の高さで張り出して）構成されるので、球が第３溝３１３側へ流入することが抑制される。従って、振り分け装置３４０が初期状態の場合に振り分け装置３４０に流入した球を高確率で鉛直下方に流下させることができる（最短期間で流下させることができる）。
【０１３２】
振り分け装置３４０が変化状態（図１３参照）の場合、振り分け装置３４０へ流入する球は円弧壁部３４３に当接し、第３溝３１３へ流入する。なお、円弧壁部３４３は振り分け装置３４０の中心孔３４５を中心とした円弧形状から形成されるので、球が衝突した場合の負荷が振り分け装置３４０の回転軸へ向けた方向へかけられることから、振り分け装置３４０に回転方向の負荷を与えることが抑制される。
【０１３３】
従って、変化状態の場合に振り分け装置３４０に流入する球が振り分け装置３４０に与える衝撃により、振り分け装置３４０が意図せず初期状態へ復帰する事態を避けることができ、所定期間、振り分け装置３４０が変化状態を維持することを確実にすることができる。
【０１３４】
次いで、図１５を参照して、振り分け装置３４０の姿勢変化タイミングの調整について説明する。図１５（ａ）から図１５（ｃ）は、回転軸に直交する平面における第２調整装置３５０の断面図である。図１５（ａ）から図１５（ｃ）では、重心変化装置３５１の内部構造が視認可能とされ、図１５（ａ）では、振り分け装置３４０が初期状態（図６参照）とされた場合が図示され、図１５（ｂ）では、振り分け装置３４０が変化状態（図１３参照）とされた場合が図示され、図１５（ｃ）では、振り分け装置３４０が変化状態から初期状態へ戻りきる直前の状態が図示される。
【０１３５】
図１５に示すように、第２調整装置３５０では、その姿勢変化に伴って、疑似重心球ＧＢが凹設溝部３５１ｂの内部を移動する。それにより、第２調整装置３５０の重心位置が変動し、第２調整装置３５０が停止と回転とを繰り返す。
【０１３６】
第２調整装置３５０の動作について説明する。図１５（ａ）に示すように、振り分け装置３４０が初期状態（図６参照）の場合において、疑似重心球ＧＢは中心孔３４５の右側に配置されることから、疑似重心球ＧＢの重さによって第２調整装置３５０を正面視時計回り（図１５時計回り）に回転させる方向に負荷が与えられる。これにより、遊技機１０（図１参照）が多少振動しても、振り分け装置３４０が姿勢を初期位置に維持することができる。
【０１３７】
図１５（ｂ）に示すように、振り分け装置３４０が変化状態（図１３参照）とされると、仕切り壁３５１ｃと方向弁３５１ｅとの成す傾斜が、左方へ向かうほど下降傾斜する態様とされると共に、減速壁部３５１ｄの成す傾斜が、右方へ向かうほど下降傾斜する態様とされる。そのため、疑似重心球ＧＢが、仕切り壁３５１ｃの上側を転動し矢印Ｌ１に沿って左方へ流れ、端部で減速壁部３５１ｄに落下し、減速壁部３５１ｄの上側を転動し矢印Ｌ２に沿って右方へ流れるという動作を行う。
【０１３８】
これにより、疑似重心球ＧＢを中心孔３４５の左方へ送ることができるので、疑似重心球ＧＢの重さによって第２調整装置３５０を正面視反時計回り（図１５反時計回り）に回転させる方向に負荷が与えられる。これにより、振り分け装置３４０を一定期間（疑似重心球ＧＢが中心孔３４５の右方へ通過するまでの期間）変化状態に維持することができる。
【０１３９】
その変化状態に維持する期間は、減速壁部３５１ｄにより疑似重心球ＧＢを減速させる度合いにより任意に変化させることができる。例えば、減速壁部３５１ｄにより疑似重心球ＧＢの流下速度を半分にすれば、振り分け装置３４０を変化状態に維持する期間を２倍とすることができる。
【０１４０】
なお、減速壁部３５１ｄの態様としては、様々な態様が例示される。例えば、疑似重心球ＧＢが減速壁部３５１ｄと当接する点の回転半径を小さくすることにより疑似重心球ＧＢの並進移動速度を減速させる方法が例示される（図１２（ｄ）参照）。即ち、疑似重心球ＧＢの回転を最大径部分（中心部分）で受けるのでは無く、直径が小さくなる部分（端部付近）で受けることにより、疑似重心球ＧＢの一回転辺りの並進移動距離を短縮し、回転数を落とすことなく疑似重心球ＧＢを減速させる方法である。この方法によれば、疑似重心球ＧＢの回転数を低下させる場合に比較して、減速壁部３５１ｄを通過した後の疑似重心球ＧＢの並進速度を大きくすることができる。
【０１４１】
そのため、減速壁部３５１ｄの右端に到達した直後において、疑似重心球ＧＢを大きな速度で右方へ送球することができ、疑似重心球ＧＢが減速壁部３５１ｄの右端に到達した直後から、図１５（ｃ）に示す状態へ状態変化するまでの期間を短縮することができる。
【０１４２】
図１５（ｃ）に示すように、振り分け装置３４０が変化状態から初期状態へ状態変化する前後において、疑似重心球ＧＢが方向弁３５１ｅを通過する。方向弁３５１ｅは、図１５（ｃ）に示すように、疑似重心球ＧＢが右方へ流れることは許容する一方で、疑似重心球ＧＢが左方へ流れることは防止する態様とされる。これにより、疑似重心球ＧＢが跳ね返って中心孔３４５の左方へ戻ることを防止することができる。
【０１４３】
本実施形態では、振り分け装置３４０が変化状態に変化してから、初期状態へと戻るまでの期間が、入賞口６４（図２参照）の保留球数が４個の場合に選択されやすい変動期間（最短の変動期間）よりも長い期間に設定される。
【０１４４】
そのため、振り分け装置３４０が初期状態の時に球が振り分け装置に入球され、その球が検出口３１２ｄ（図６参照）に入球したことにより入賞口６４の保留球数が４個となった場合に、その後で開始される変動が終わる前（入賞口６４の保留球数に空きができる前）に振り分け装置３４０に入球した球はもれなく第３溝３１３（図１３参照）へ振り分けられる。そして、第３溝３１３を球が通過する間に入賞口６４の１の変動が終了し、入賞口６４の保留球数に空きができることで、入賞口６４でオーバーフロー（保留球数が最大の状態で検出口３１２ｄに球が入球することにより、球が入球したにも関わらず、抽選の機会を得られない状態）が生じることを防止することができる。
【０１４５】
なお、第３溝３１３での球の減速の度合いは、様々な方法で設定することができる。例えば、球が転動する底壁に高摩擦のシートを貼ることにより、球を減速させても良い。
【０１４６】
ここで、第１の設定例として、第３溝３１３を球が通過仕切るまでの期間を、例えば、入賞口６４の保留球数が４個の場合に選択されやすい変動期間（最短の変動期間）よりも長い期間に設定することにより、球が２個連続で振り分け装置３４０に入球した場合に、１個目の球が検出口３１２ｄに入球してから２個目の球が第３溝３１３を通過して検出口３１２ｄに入球するまでの期間を入賞口６４の保留球数が４個の場合に選択されやすい変動期間（最短の変動期間）よりも長くすることができる。これにより、入賞口６４でオーバーフローが生じることを抑制することができる。
【０１４７】
また、第２の設定例として、第３溝３１３を球が通過仕切るまでの期間を、例えば、入賞口６４の保留球数が３個の場合に選択されやすい変動期間と、保留球数が４個の場合に選択されやすい変動期間（最短の変動期間）とを合算した期間よりも長い期間に設定することにより、第３溝３１３に球が２個連続で入球された場合でも、１個目の球が検出口３１２ｄに入球してから２個目の球が第３溝３１３を通過して検出口３１２ｄに入球するまでの期間で２回の変動が消化されるので、その後、球が２個検出口３１２ｄに入球したとしても、オーバーフローが生じることを抑制することができる。
【０１４８】
次いで、図１６を参照して、機能円盤装置３３２ｂについて説明する。機能円盤装置３３２ｂは、本体板部材３３１（図７参照）との間に配置される疑似重心球ＧＢが移動する事により、第２調整装置３５０と同様に重心位置が変化して、機能円盤装置３３２ｂに与えられる負荷の方向が変化する装置である。
【０１４９】
図１６（ａ）から図１６（ｄ）は、機能円盤装置３３２ｂを回転軸に垂直な平面で断面視した機能円盤装置３３２ｂの断面図である。図１６（ａ）では、減速装置３２０が初期状態の場合（図６参照）が図示され、図１６（ｂ）では、減速装置３２０が初期状態から中間状態（図１３参照）に状態変化した直後が図示され、図１６（ｃ）では、減速装置３２０が中間状態から上昇状態（図１４参照）に状態変化した直後が図示され、図１６（ｄ）では、減速装置３２０が中間状態から初期状態に状態変化した直後の状態が図示される。
【０１５０】
図１６に示すように、機能円盤装置３３２ｂは、疑似重心球ＧＢが移動可能な深さで背面側から凹設される凹設溝部３３２ｂ１と、球の通過可能な箇所を限定する態様で仕切る仕切り壁３３２ｂ２と、その仕切り壁３３２ｂ２の下側に球を転動可能な板部分として配設され仕切り壁３３２ｂ２の端部から所定幅張り出す態様で形成されると共に疑似重心球ＧＢの流下を減速させる第１減速壁部３３２ｂ３と、その第１減速壁部３３２ｂ３を挟んで仕切り壁３３２ｂ２の反対側に配置されると共に疑似重心球ＧＢの流下を減速させる第２減速壁部３３２ｂ４と、疑似重心球ＧＢの通過を左側から右側への一方向に限る方向弁３３２ｂ５と、を主に備える。
【０１５１】
なお、疑似重心球ＧＢとして、便宜上、第２調整装置３５０に収容される疑似重心球ＧＢと同一の符号を使用するものであって、疑似重心球ＧＢの形状や重さが同一なものに限る趣旨では無い。
【０１５２】
機能円盤装置３３２ｂは、疑似重心球ＧＢを第１減速壁部３３２ｂ３で流下させて方向弁３３２ｂ５を通過させる事もできるし、第２減速壁部３３２ｂ４で流下させる方向弁３３２ｂ５を通過させる事もできる。以下、機能円盤装置３３２ｂの動作について詳細に説明する。なお、図６、図１３及び図１４を適宜参照する。
【０１５３】
図１６（ａ）に示すように、減速装置３４２０が初期状態（図６参照）の場合には、仕切り板３３２ｂが右方へ向けて下降傾斜する態様とされ、疑似重心球ＧＢは機能円盤装置３３２ｂの右側部に維持される。これにより、回転付勢装置３３２からスライド移動部材３２１に対して、スライド移動部材３２１を下方に維持する負荷がかけられる（図６参照）。従って、遊技機１０（図１参照）が振動した場合に、スライド移動部材３２１が上下動作することを抑制することができる。
【０１５４】
図１６（ｂ）に示すように、減速装置３４２０が中間状態（図１３参照）の場合には、仕切り板３３２ｂ２は左方へ下降傾斜する態様とされる一方で、第１減速壁部３３２ｂ３は右方へ下降傾斜する態様とされる。従って、疑似重心球ＧＢは、矢印Ｌ３に沿って仕切り板３３２ｂ２の上面を左方へ転動した後、矢印Ｌ４に沿って第１減速壁部３３２ｂ３の上面を右方へ転動することにより疑似重心球ＧＢが機能円盤装置３３２ｂの回転中心の右側へ送られ、機能円盤装置３３２ｂを初期状態へ戻す方向（図１６時計回りに回転させる方向）へ負荷がかけられる。
【０１５５】
この疑似重心球ＧＢの流下途中において、図１６（ｂ）に示すように、疑似重心球ＧＢが回転中心よりも左側に配置される状態では、昨日円盤装置３３２ｂを図１６（ｂ）において反時計回りに回転させる方向に負荷がかけられるので、重力によるスライド移動部材３２１の下降を留めることができる。また、球の重量によりスライド移動部材３２１が下降することを抑制することができる（下降しても、球がどいたら、すぐに上昇するという状態を形成することができる）。
【０１５６】
図１６（ｃ）に示すように、減速装置３４２０が上昇状態（図１４参照）の場合には、第１減速壁部３３２ｂ３は左方へ下降傾斜する態様とされる一方で、第２減速壁部３３２ｂ４は右方へ下降傾斜する態様とされる。従って、疑似重心球ＧＢは、矢印Ｌ５に沿って第１減速壁部３３２ｂ３の上面を左方へ転動した後、矢印Ｌ６に沿って第２減速壁部３３２ｂ４の上面を右方へ転動することにより疑似重心球ＧＢが機能円盤装置３３２ｂの回転中心の右側へ送られ、機能円盤装置３３２ｂを初期状態へ戻す方向（図１６時計回りに回転させる方向）へ負荷がかけられる。
【０１５７】
疑似重心球ＧＢが第１減速壁部３３２ｂ３の上面を転動している際に本通路３１１ａを球が通過して減速装置３２０が上昇状態まで移動すると共に機能円盤装置３３２ｂが図１６（ｃ）に示す姿勢となる場合、疑似重心球ＧＢは、その後で第１減速壁部３３２ｂ３で減速され、更に第２減速壁部３３２ｂ４で減速されることになるので、減速装置３２０が中間状態とされる場合（図１３参照）に比較して、疑似重心球ＧＢが回転中心よりも右方に配置されるまでの期間が長くされる。従って、中間状態（図１３参照）に維持される期間に比較して、減速装置３２０を上昇状態（図１４参照）に長く維持することができる。
【０１５８】
図１６（ｄ）に示すように、第１減速壁部３３２ｂ３又は第２減速壁部３３２ｂ４に配置された疑似重心球ＧＢが機能円装置３３２ｂの中心よりも右方に配置されるとスライド移動部材３２１の重みにより減速装置３２０が動作し、機能円盤装置３３２ｂが初期状態と同じ姿勢とされると共に、疑似重心球ＧＢが第１減速壁部３３２ｂ３又は第２減速壁部３３２ｂ４から排出され凹設溝部３３２ｂ１を転動する。この疑似重心球ＧＢが方向弁３３２ｂ５を通過することにより、機能円盤装置３３２ｂが初期状態（図１６（ａ）参照）に復帰する。
【０１５９】
図１７及び図１８を参照して、遅延デバイス３００の内部を流下する球の流下パターンについて説明する。図１７（ａ）、図１７（ｂ）、図１８（ａ）及び図１８（ｂ）は、遅延デバイス３００の部分正面図である。図１７（ａ）、図１７（ｂ）、図１８（ａ）及び図１８（ｂ）では、入賞口６４から球Ｐ１〜Ｐ３が３個連なって入球された場合が図示され、図１８（ａ）では、球Ｐ１〜Ｐ３が風車部材３２２の手前に配置された状態が図示され、図１８（ｂ）では、球Ｐ１と球Ｐ２とが風車部材３２２の第２延設羽部３２２ｃに切り離された状態が図示され、図１８（ｃ）では、球Ｐ２が第２延設羽部３２２ｃを押し進んで振り分け装置３４０に到達した状態が図示され、図１８（ｄ）では、球Ｐ３が第２溝３１２に侵入し始める状態が図示される。
【０１６０】
なお、図１７（ａ）、図１７（ｂ）、図１８（ａ）及び図１８（ｂ）では、構造図面の右下のスペースに、球Ｐ１〜Ｐ３が入賞口６４に入球してからの状況を示すグラフが図示される。また、球Ｐ１〜Ｐ３が入賞口６４に入球するタイミングは実際には僅かに（０．２秒程度）ずれが生じるが、グラフは、理解を容易にするために、球Ｐ１〜Ｐ３が入賞口６４に同時に入球したものとして図示されると共に、横軸を経過時間Ｔとして構成される。
【０１６１】
グラフでは、球Ｐ１〜Ｐ３が入賞口６４に入球するタイミング（「ＩＮ」）と、検出口３１２ｄに入球するタイミング（「ＯＵＴ」）とが図示されると共に、球Ｐ１〜Ｐ３が、いつどの区間を流下するのかが、符号で図示される。また、図１７（ａ）、図１７（ｂ）、図１８（ａ）及び図１８（ｂ）に示す状態がグラフのどのタイミングを表すかについて、該当する図面において、三角マークで図示される。
【０１６２】
図１７（ａ）に示すように、風車部材３２２に到達するまでは、球Ｐ１〜Ｐ３は第１溝３１１を同様の条件で流下し、その速度に差は生じない。
【０１６３】
図１７（ｂ）に示すように、１球目の球Ｐ１が風車部材３２２の第１延設羽部３２２ｂを押し進んで、第２延設羽部３２２ｃに２球目の球Ｐ２が切り離されると、先行する球Ｐ１は凸設部３２１ａ１に減速されることなく流下する一方で、球Ｐ２の下流側において凸設部３２１ａ１が本通路３１１ａの内部へ張り出される。従って、球Ｐ２及び球Ｐ３は、凸設部３２１ａ１と当接する際に、断続的に流下方向とは反対方向の負荷を与えられ、減速する。これにより、球Ｐ１と、球Ｐ２との間の間隔を空けることができるので、例えば、球が２球同時に振り分け装置３４０に入球されることにより球が詰まり、動作不良が生じることを予防することができる。
【０１６４】
なお、本実施形態では、球Ｐ１が第１溝３１１を通過するのに要する第１溝通過第１期間が２秒とされ（Ｔ１１＝２ｓ）、球Ｐ１が通過してから減速装置３２０が（中間状態から）初期状態へ復帰開始するまでの期間である減速復帰第１開始期間は５秒とされ、復帰開始後１秒で減速装置は初期状態へ復帰するように設定される。
【０１６５】
また、球Ｐ１が第２溝３１２へ入球してから検出口３１２ｄへ入球するまでの期間である第２期間Ｔ２が１．５秒とされる（Ｔ２＝１．５ｓ）。なお、第２期間Ｔ２は、振り分け装置３４０へ到達する前の１秒間である第２期間前半Ｔ２ａ（Ｔ２ａ＝１ｓ）と、振り分け装置３４０を通過した後の０．５秒間である第２期間後半Ｔ２ｂ（Ｔ２ｂ＝０．５ｓ）とに分けられ、振り分け装置３４０の状態によらず、第２溝３１２を球が通過する期間は不変とされる。
【０１６６】
図１８（ａ）に示すように、２球目の球Ｐ２が風車部材３２２の第２延設羽部３２２ｃを押し進むと、先行する球Ｐ２は第２溝へ流入する一方で、球Ｐ３は、スライド移動部材３２１の傾斜面３２１ｂ２に沿って奥側凹設部３１１ｅに流入する。これにより、凸設部３２１ａ１によって減速されるのに加え、球Ｐ３は奥側凹設部３１１ｅを通る分だけ流下経路が延長されるので、球Ｐ２と球Ｐ３との間隔を空けることができる。
【０１６７】
なお、本実施形態では、球Ｐ２が第１溝３１１を通過するのに要する第１溝通過第２期間Ｔ１２が３秒とされ（Ｔ１２＝３ｓ）、球Ｐ３が第１溝３１１を通過するのに要する第１溝通過第３期間Ｔ１３が６秒とされる（Ｔ１３＝６ｓ）。また、球Ｐ２が通過してから減速装置３２０が（上昇状態から）初期状態へ復帰開始するまでの期間である減速復帰第２開始期間は７秒とされ、復帰開始後２秒で減速装置は初期状態へ復帰するように設定される。
【０１６８】
また、球Ｐ２は振り分け装置３４０の円弧壁部３４３に当接され、第３溝３１３に流入されるので、球Ｐ１に比較して、検出口３１２ｄまでの経路が延長される。従って、球Ｐ１と球Ｐ２との間の間隔を広げることができる。
【０１６９】
なお、本実施形態では、球Ｐ２，Ｐ３が第３溝３１３を通過するのに要する第３期間Ｔ３が３秒とされる（Ｔ３＝３ｓ）。また、振り分け装置３４０が変化状態に状態変化してから初期状態へ復帰開始するまでの期間である振り分け維持期間ＢＴ１が４秒となる態様で、第２調整装置３５０の疑似重心球ＧＢの速度が設定される（ＢＴ１＝４ｓ）。
【０１７０】
図１８（ｂ）に示すように、減速装置３２０が上昇状態の場合には、第１張出板部３２１ａの端部と、当接壁３１２ａとの間の距離が球の直径と同程度とされる。従って、球Ｐ２，Ｐ３は、第１張出板部３２１ａの端部と、当接壁３１２ａとの間を通過する際に大きな抵抗をかけられ、勢いが落とされる。これにより、球Ｐ１と、球Ｐ２，Ｐ３との間隔を広げることができる。
【０１７１】
図１８（ｂ）に示すように、球Ｐ２が第３溝３１３を流下して、第１壁部３４１を受け壁部３１２ｃへ押し付けることで、振り分け装置３４０を変化状態に維持し易くすることができる。
【０１７２】
グラフに示すように、球Ｐ３が振り分け装置３４０に流入するタイミングにおいても振り分け装置３４０が変化状態に維持される（振り分け装置３４０が変化状態へ状態変化してから振り分け維持期間ＢＴ１だけ経過したタイミングで球Ｐ３が振り分け装置３４０へ到達する）。そのため、球Ｐ３が第３溝３１３へ流入される。これにより、球Ｐ２と球Ｐ３との間隔が縮まることを防止することができる。
【０１７３】
グラフに示すように、本実施形態によれば、球Ｐ１〜Ｐ３が入賞口６４に連なって入球した場合、球Ｐ１と球Ｐ２とは４秒間隔で検出口３１２ｄに入球し、球Ｐ２と球Ｐ３とは３秒間隔で入球する。本実施形態では、入賞口６４の保留球数が最大となった後に選択される１の変動期間が３秒に設定されるので、図１７及び図１８の場合、入賞口６４でオーバーフローが生じることを防止することができる。
【０１７４】
また、本実施形態では、振り分け装置３４０が変化状態に維持される期間が、検出口３１２ｄに球が流入した際に入賞口６４の保留球数が最大となった後に選択される１の変動期間よりも長い期間とされるので、図１８（ａ）に示すように、その変動期間中に球Ｐ２が振り分け装置３４０に入球した場合に、その球Ｐ２を確実に第３溝３１３へ流入させることができる。これにより、球が連続で振り分け装置３４０に入球した場合に、オーバーフローが生じることを防止することができる。
【０１７５】
従って、球Ｐ１〜Ｐ３が３個連なって入賞口６４に入球した場合でも、それらが検出口３１２ｄに入球されるタイミングをずらすことができ、入賞口６４でオーバーフローが生じることを抑制することができる。これにより、遊技者が特別注意しなくとも、入賞口６４に球が入球したのに抽選を受けられないという事態を回避することができ、遊技を快適に行うことができる。
【０１７６】
なお、本実施形態では、球Ｐ３の後方に連なって、もう一個の球が入賞口６４に入球する場合（４球連続で入球する場合）、４個目の球と、球Ｐ３とが検出口３１２ｄへ入球するタイミングをずらすことはできない。そのため、入賞口６４の保留球数が３個の状態で、入賞口６４に球を４個も入球させるような遊技をしないように、止め打ちを推奨することが望ましい。
【０１７７】
また、グラフに示すように、球Ｐ１〜Ｐ３が入賞口６４へ連続で入球する場合において、例えば、球Ｐ３が球Ｐ１の入賞口６４への入球後１秒以上の間隔を空けて入賞口６４へ入球する場合、球Ｐ３が振り分け装置３４０へ到達する頃には、振り分け装置３４０は初期状態へ復帰されているので、球Ｐ３が第２溝３１２を鉛直方向に流下し検出口３１２ｄへ入球する。この場合、球Ｐ３の遅延期間が十分ではなく、入賞口６４におけるオーバーフローを抑制することができない。
【０１７８】
そのため、３球目が入賞口６４へ入る場合にオーバーフローが抑制される効果を、限られた状況（球Ｐ１及び球Ｐ２が連続で入賞口６４へ入球した後、球Ｐ１が入球してから１秒以内に球Ｐ３が入賞口６４へ入球する状況）でのみ奏するものとすることができるので、遊技者が止め打ちを行う必要性は残しながら、たまたま止め打ち（入賞口６４の保留球数が３の状態で球の打ち出しを停止すること）を忘れてしまった場合に、幸運にも状況が揃えば入賞口６４でオーバーフローが生じないという状況をつくることができる。
【０１７９】
これにより、止め打ちを行う遊技者と、止め打ちを行わない遊技者との間で、入賞口６４への球の入球個数に対する抽選の機会の数に明確な違いを形成可能としながら、入賞口６４の保留球数が３の場合に、連続で球が３個も入賞口６４に入球するという、まれな状況では、３個目の球Ｐ３についても入賞口６４でのオーバーフローが生じない条件を厳しくし（入球間隔を限定し）、オーバーフローが生じなかった際の貴重さを演出することができる。
【０１８０】
これにより、止め打ちを行う遊技者に対しては、より慎重に止め打ちを行わせることができるので（保留球数に注目させて早い段階で打ち出しを止めさせることができるので）、抽選の機会をより多く獲得するためのハンドル５１（図１参照）の操作を熱中して行わせることができ、遊技者の興趣を向上させることができる。
【０１８１】
次いで、図１９及び図２０を参照して、遅延デバイス３００に球Ｐ４，Ｐ５が間隔を空けて入球した場合について説明する。図１９（ａ）、図１９（ｂ）及び図２０は、遅延デバイス３００の部分正面図である。図１９（ａ）では、減速装置３２０が初期状態の場合に球Ｐ４が風車部材３２２に到達した状態が図示され、図１９（ｂ）では、減速装置３２０が中間状態とされ、振り分け装置３４０が変化状態とされ、球Ｐ４が検出口３１２ｄに入球した０．５秒後（球Ｐ４が入球してから４秒後）に球Ｐ５が入賞口６４へ入球した場合が図示され、図２０では、球Ｐ５が振り分け装置３４０に入球される直前の状態が図示される。なお、図１９（ａ）、図１９（ｂ）、図２０では、構造図面の右下のスペースに、球Ｐ４，Ｐ５が入賞口６４に入球してからの状況を示すグラフが横軸を経過時間Ｔとして図示される。
【０１８２】
グラフでは、球Ｐ４，Ｐ５が入賞口６４に入球するタイミング（「ＩＮ」）と、検出口３１２ｄに入球するタイミング（「ＯＵＴ」）が図示されると共に、球Ｐ４，Ｐ５が、いつどの区間を流下するのかが、符号で図示される。また、図１９（ａ）、図１９（ｂ）、図２０に示す状態がグラフのどのタイミングを表すかが、該当する図面において三角マークで図示される。
【０１８３】
図２０に示す状態では、球Ｐ５は第３溝３１３へは入球されず、第２溝３１２を鉛直下方へ流下し、検出口３１２ｄへ入球する。ここで、球Ｐ４が検出口３１２ｄへ入球した直後の変動が終了する前に球Ｐ５が検出口３１２ｄへ入球すると、オーバーフローが生じる恐れがある。
【０１８４】
そのため、本実施形態では、球Ｐ５が中間状態の減速装置３２０を通過するのに要する第１溝通過第２期間Ｔ１２を、入賞口６４の保留球数が４個の時の変動の期間（３秒）以上に長く設定する態様としている（第１溝通過第２期間Ｔ１２を３秒としている）。この場合、球Ｐ５が第３溝３１３へ流入しない（第２溝３１２を鉛直方向に流下する）場合でも、球Ｐ５がスライド移動部材３２１の上を通過するまでの間に変動が終了するので、入賞口６４でオ−バーフローが生じることを防止することができる。この場合、球Ｐ５が第３溝３１３を流下しない分、球Ｐ５による抽選のタイミングを早めることができ、遊技者を飽きさせないようにすることができる。
【０１８５】
また、振り分け装置３４０が状態変化してから初期状態へ復帰開始するまでの振り分け維持期間ＢＴ１が４秒とされるので、球Ｐ４が入賞口６４へ入球してから３秒の間（入賞口６４の保留球数が４個の時の変動の期間）に入球した球を確実に第３溝３１３へ入球させることができる。また、その後振り分け装置３４０が初期状態へ復帰する直前までは、球を第３溝３１３へ入球させることができるので、球Ｐ４が入賞口６４へ入球してから４秒未満の間に入球した球を確実に第３溝３１３へ入球させることができる。これにより、球Ｐ４，Ｐ５が３秒以内の間隔で入賞口６４へ入球した場合であっても、入賞口６４でオーバーフローが生じることを防止することができる。
【０１８６】
次いで、図２１を参照して、振り分け装置３４０に連続して球が入球した場合について説明する。本実施形態では、例えば、減速装置３２０が上昇状態（図１４参照）の場合に、追加で球が２個連続で入賞口６４に入球する場合に発生する状態である（例えば、図１７（ａ）に示す球Ｐ１，Ｐ２が入球され、球Ｐ２が第２溝３１２へ入球した後で球が２個連続で入賞口６４に入球する場合に発生する状態である）。図２１（ａ）から図２１（ｃ）は、遅延デバイス３００の部分正面図である。図２１（ａ）では、振り分け装置３４０が初期状態とされ球Ｐ６が振り分け装置３４０に入球した状態が図示され、図２１（ｂ）では、球Ｐ６の重みで振り分け装置３４０が回転し、球Ｐ７が押し出された状態が図示され、図２１（ｃ）では、球Ｐ６が第２溝３１２を流下し、球Ｐ７が第３溝３１３を流下した状態が図示される。
【０１８７】
図２１（ａ）に示すように、振り分け装置３４０は、第１壁部３４１と第２壁部３４２との間に球が１球のみ収容可能な空間が設けられている。従って、球が２個連なって振り分け装置３４０に到達した場合には、１個目の球Ｐ６は振り分け装置３４０に収容されるが、２個目の球Ｐ７は収容されずに残留する。従って、球Ｐ６のみを単独で検出口３１２ｄへ流下させることができる。
【０１８８】
振り分け装置３４０の第２壁部３４２の先端に配設される先端凸部３４２ａは、球Ｐ７を外部に残留させる姿勢において（図２１（ｂ）参照）、球Ｐ７を第３溝３１３の入口へ向けて押し出す態様で形成される（先端凸部３４２ａと対向配置する位置に第３溝３１３の入口が形成される）。従って、球Ｐ７を第３溝３１３の奥側まで押し出すことができ、球Ｐ７が第３溝３１３の入口付近に留まることを抑制することができる。これにより、例えば、振り分け装置３４０が変化状態からすぐに初期状態に復帰する態様で設定とし場合でも、球Ｐ７が（第３溝３１３へ上手く押し込まれず）振り分け装置３４０に入球することを防止することができる。
【０１８９】
図２１（ｃ）に示すように、振り分け装置３４０を境に、球Ｐ６は検出口３１２ｄへ入球され、球Ｐ７は第３溝３１３を流下した後で検出口３１２ｄへ入球される。ここで、上述したように、第３溝３１３を球Ｐ７が流下する期間である第３期間Ｔ３が３秒とされ、その期間が入賞口６４の保留球数が最大となった後に選択される１の変動期間（３秒）以上とされるので、入賞口６４の保留球数が３個の場合に球Ｐ６が検出口３１２ｄに入球したとしても、球Ｐ７が検出口３１２ｄに入球する頃には１変動が終了する。従って、球Ｐ７が検出口３１２ｄに入球することにより、入賞口６４でオーバーフローが生じることを抑制することができる。
【０１９０】
本実施形態では、球Ｐ７が検出口３１２ｄに入球してから３秒以内に別の球が検出口３１２ｄに入球する場合、その球に関しては、入賞口６４でのオーバーフローが生じる構成とされる。これにより、短期間に入球する球が２個までであればオーバーフローを抑制できる一方で、短期間に入球する球が３個になるとオーバーフローが生じるという流路を構成することができる。従って、入賞口６４での抽選の機会をより多く獲得するための球の発射強度や、球の発射頻度を、遊技者に入念に考えさせることができ、球の発射の態様に関する遊技性を向上させることができる。
【０１９１】
なお、振り分け装置３４０は、球の重みでのみ初期状態から変化状態へ向けて回転するので、球Ｐ６や球Ｐ７が、側壁部３１２ｅと先端凸部３４２ａとの間に配設される状態で、振り分け装置３４０が動作し球詰まりが起きるといった、振り分け装置３４０が電動動作する場合にのみ生じる問題を解消することができる。
【０１９２】
本実施形態においては、図２１（ｃ）の状態において、例えば、到達後１秒以内に振り分け装置３４０が初期状態へ復帰するタイミングで球が振り分け装置３４０に到達し、更に次の球が振り分け装置３４０が初期状態へ復帰した１秒後に振り分け装置３４０に到達した場合、先に到達した球と、後で到達した球とが第１溝３１１と第３溝３１３との合流位置で衝突する恐れがあり、その場合、２個の球が、検出口３１２ｄに３秒以下の間隔で入球する。従って、先の球が第３溝３１３を通過する間に入賞口６４（図２０参照）の保留球数が３個となっている場合、入賞口６４におけるオーバーフローを回避することができない。
【０１９３】
これは、振り分け装置３４０が初期状態の際に２個の球が振り分け装置３４０へ到達する場合とは、大きく異なる。即ち、振り分け装置３４０が初期状態の際に２個の球が２秒間隔で振り分け装置３４０へ到達する場合には、後の球は第３溝３１３へ案内されるので、検出口３１２ｄに入球する間隔は３秒以上を確保することができる（図２１参照）。一方で、振り分け装置３４０が変化状態の場合に、球が２秒間隔で振り分け装置３４０へ到達すると、先の球が第３溝３１３へ案内され、後の球が第２溝３１２を鉛直下方に流下する場合が生じ、検出口３１２ｄに入球する間隔が３秒よりも短くなる恐れがある。
【０１９４】
これにより、入球口６４へ球が２個連続で入球した場合に、毎回オーバーフローを抑制できるとは限らない流路を構成することができる。従って、オーバーフローを抑制可能な機構を備えながら、基本的には、入賞口６４の保留球数が３個となったら止め打ちを行う遊技を行うことで最大数の抽選を獲得できるものとし、止め打ちの意義を向上させることができる。
【０１９５】
次いで、図２２から図３３を参照して、遅延床デバイス４００について説明する。図２２は、遊技盤１３の部分正面斜視図である。図２２に示すように、遅延床デバイス４００は、センターフレーム８６の左方を流下する球の一部の球が（所謂「ワープ流路」を通って）流入し、その球が上部を転動可能に構成されると共に、往復動作を繰り返し左右方向の速度が０に収束した球を手前側に落下させる可動デバイスであって、前後一対で形成されると共に傾倒動作可能に構成される扇状部材４１０と、それら一対の扇状部材４１０の動作を一致させるリンク部材４２０（図２４参照）と、扇状部材４１０を傾倒可能に支持すると共に扇状部材４１０へ流入する前に球が通過する固定された床である固定床４３０と、を主に備える。
【０１９６】
なお、遅延床デバイス４００は、初期状態（図２２参照）においては、その左右方向中心位置に球を収束させやすい態様で構成され（固定床４３０の左右周辺部分が中心位置へ向けて下降傾斜する態様で構成され）、扇状部材４１０の左右方向中心位置と入賞口６４の中心位置とが上下で一致する位置関係で配置される。即ち、遅延床デバイス４００から入賞口６４へ球を入球させやすい配置とされる。
【０１９７】
前後一対で配置される扇状部材４１０の内、前側の扇状部材４１０が、正面側へ向けて前傾する態様で傾倒動作することにより球が入賞口６４へ入りやすくすることができる。
【０１９８】
図２３を参照して扇状部材４１０について説明する。なお、一対の扇状部材４１０は同一部材から構成されるので、一方の扇状部材４１０の説明を行い、他方の扇状部材４１０の説明を省略する。
【０１９９】
図２３（ａ）は、扇状部材４１０の上面図であり、図２３（ｂ）は、図２３（ａ）の矢印ＸＸＩＩＩｂ方向視における扇状部材４１０の側面図であり、図２３（ｃ）は、図２３（ａ）のＸＸＩＩＩｃ−ＸＸＩＩＩｃ線における扇状部材４１０の断面図であり、図２３（ｄ）は、図２３（ｂ）の矢印ＸＸＩＩＩｄ方向視における扇状部材４１０の底面図である。
【０２００】
図２３に示すように、扇状部材４１０は、扇状板部材から構成される本体部材４１１と、その本体部材４１１かの中間位置から左右方向に同軸直線状に延設される延設腕部４１２と、本体部材４１１の底面から一対で凸設されると共に連結棒４１４が挿通固定される挿通孔を有する凸設固定部４１３と、その凸設固定部４１３に挿通固定される連結棒４１４と、を主に備える。
【０２０１】
本体部材４１１は、先細りする側（図２３（ａ）下側）が球の直径程度の幅とされる。また、その先細りする側に、下降傾斜する面取り部４１１ａを有すると共に、凸設固定部４１３の間において穿設される開口部４１１ｂを有する。
【０２０２】
連結棒４１４は、本体部材４１１と別部材として構成される。組立を行う際には、凸設固定部４１３の間にリンク部材４２０（図２４参照）を配設した上で、連結棒４１４をリンク部材４２０の調整長孔４２２に挿通した状態で、連結棒４１４を凸設固定部４１３に固定する。これにより、扇状部材４１０とリンク部材４２０とを連結することができる（図２５参照）。
【０２０３】
次いで、図２４を参照して、リンク部材４２０について説明する。リンク部材４２０は一対の扇状部材４１０を連結すると共に、その動作方向を一定に定める役割を有する部材である。
【０２０４】
図２４（ａ）は、リンク部材４２０の側面図であり、図２４（ｂ）は、図２４（ａ）の矢印ＸＸＩＶｂ方向視におけるリンク部材４２０の底面図である。図２４に示すように、リンク部材４２０は、断面Ｌ字で厚さ一定（図２４（ｂ）参照）の板状部材から形成される本体部材４２１と、その本体部材４２１の上部において前後一対で厚さ方向に穿設され前後方向に延設される調整長孔４２２と、本体部材４２１の下部において厚さ方向に穿設され上下方向に延設される支持長孔４２３と、を主に備える。
【０２０５】
調整長孔４２２は、扇状部材４１０の連結棒４１４（図２３参照）が挿通される孔である。即ち、調整長孔４２２を介して、リンク部材４２０と一対の扇状部材４１０とが連結される。支持長孔４２３は、固定床４３０の支持凸部４３４（図２６参照）が挿通される長孔であって、リンク部材４２０の移動方向を一方向（上下方向）に指定する態様で作用する。
【０２０６】
図２５を参照して、前組状態における扇状部材４１０とリンク部材４２０とについて説明する。図２５（ａ）は、扇状部材４１０及びリンク部材４２０の上面図であり、図２５（ｂ）は、図２５（ａ）のＸＸＶｂ−ＸＸＶｂ線における扇状部材４１０及びリンク部材４２０の断面図である。なお、図２５に示す前組状態とは、固定床４３０に組み付ける前のサブアセンブリ状態のことをさす。製造工程では、この前組状態を構成した後に、扇状部材４１０及びリンク部材４２０が固定床４３０に組み付けられる。
【０２０７】
前組状態において、扇状部材４１０の連結棒４１４がリンク部材４２０の調整長孔４２２に挿通された状態で凸設固定部４１３に固定されることにより、扇状部材４１０とリンク部材４２０とが互いに連結される。
【０２０８】
図２５に示すように、一対の扇状部材４１０がリンク部材４２０で連結されるので、一方の扇状部材４１０が動作することにより、その動作がリンク部材４２０を介して、他方の扇状部材４１０に伝わる態様で構成される。
【０２０９】
次いで、図２６及び図２７を参照して、固定床４３０について説明する。図２６は、固定床４３０の上面図であり、図２７（ａ）は、図２６のＸＸＶＩＩａ−ＸＸＶＩＩａ線における固定床４３０の断面図であり、図２７（ｂ）は、図２６のＸＸＶＩＩｂ−ＸＸＶＩＩｂ線における固定床４３０の断面図である。なお、図２６及び図２７では、扇状部材４１０及びリンク部材４２０が取り外された状態が図示される。また、図２６では、支持部４３２が部分的に断面視される。
【０２１０】
図２６、図２７（ａ）及び図２７（ｂ）に示すように、固定床４３０は、組立状態（図２２参照）において扇状部材４１０が配設され扇状部材４１０の上面と固定床４３０とが面位置で形成されるように扇状部材４１０の回転軸の間の部分が扇状部材４１０の厚さに対応して凹設されると共にその外側部分が扇状部材４１０の移動と干渉しない態様で凹設される凹設床４３１と、その凹設床４３１に配設する際に扇状部材４１０の延設腕部４１２が支持される支持部４３２と、凹設床４３１の中央部分において上下方向に空けられる空洞である空洞部４３３と、その空洞部４３３を形成する側壁から左右方向へ向けて凸設される支持凸部４３４と、組立状態において扇状部材４１０が最接近する位置から左右にずれた位置において球が流入可能な大きさで凹設される流入口４３５と、その流入口４３５から連通すると共に球が流下する遅延流路４３６と、を主に備える。
【０２１１】
支持部４３２は、扇状部材４１０の延設腕部４１２を支持する溝形状で構成される支持溝部４３２ａと、その支持溝部４３２ａに上方から被さり蓋をする支持蓋部４３２ｂと、を備える。
【０２１２】
空洞部４３３は、リンク部材４２０が収容される空洞であって、支持凸部４３４は、リンク部材４２０の支持長孔４２３に挿通される突起部である。なお、リンク部材４２０を組み付ける際には、空洞部４３３と支持凸部４３４の先端との間の空隙にリンク部４２０を挿入した上で、リンク部材４２０を左右方向にスライド移動することにより支持凸部４３４を支持長孔４２３に挿通させることができる。
【０２１３】
流入口４３５は、球の直径よりも若干大きな直径から構成される。そのため、流入口４３５の上方において、流入口４３５の一部を塞ぐ態様で部材が被さっている場合、球が流入口４３５へ流入することが不可能とされる。
【０２１４】
遅延流路４３６は、扇状部材４１０から入賞口６４へ直接入球した球に対して球の入賞口６４への入球を遅らせるための流路である。例えば、遅延流路４３６を球が通過するのにかかる期間を入賞口６４に球が入球することを契機として生じる１の変動期間よりも長くすることにより、入賞口６４でオーバーフローが生じることを抑制することができる。
【０２１５】
例えば、遅延流路４３６を球が通過するのにかかる期間を入賞口６４の保留球数が４個の場合に選択され易い変動期間よりも長く設定することにより、入賞口６４の保留球数が３個の状態において、扇状部材４１０から落下した１個目の球が直接入賞口６４へ入球した直後に流入口４３５に２個目の球が入球する場合であっても、その２個目の球が入賞口６４へ入球するまでに、１の変動が完了するので、２個目の球が入賞口６４へ入球することにより入賞口６４でオーバーフローが生じることを抑制することができる。
【０２１６】
扇状部材４１０とリンク部材４２０（図２５参照）とを固定床４３０に組み付ける方法について説明する。まず、上述の前組状態とした扇状部材４１０とリンク部材４２０との内、リンク部材４２０を空洞部４３３に挿通し、上述の方法で支持長孔４２３（図２５参照）を支持凸部４３４に嵌め込み、その後で、扇状部材４１０の延設腕部４１２（図２５参照）を支持溝部４３２ａに乗せ、その上から支持蓋部４３２ｂを被せ嵌め込むことにより、扇状部材４１０が固定床４３０の支持部４３２に傾倒可能に支持されると共にリンク部材４２０が（支持長孔４２３の延設方向に沿って）上下動作可能に支持される。これにより、扇状部材４１０とリンク部材４２０とが、固定床４３０に組み付けられ、遅延床デバイス４００が構成される。
【０２１７】
図２８を参照して、遅延床デバイス４００の状態変化について説明する。図２８（ａ）は、遅延床デバイス４００の部分上面図であり、図２８（ｂ）は、図２８（ａ）のＸＸＶＩＩＩｂ−ＸＸＶＩＩＩｂ線における遅延床デバイス４００の断面図であり、図２８（ｃ）は、遅延床デバイス４００の部分上面図であり、図２８（ｄ）は、図２８（ｃ）のＸＸＶＩＩＩｄ−ＸＸＶＩＩＩｄ線における遅延床デバイス４００の断面図である。
【０２１８】
なお、図２８（ａ）及び図２８（ｂ）に示す初期状態では、一対の扇状部材４１０が平行な姿勢とされ、図２８（ｃ）及び図２８（ｄ）に示す傾倒状態では、扇状部材４１０が初期状態から約４５°傾倒した姿勢とされる。
【０２１９】
初期状態と傾倒状態との大きな違いとしては、流入口４３５に球が入球可能であるか否かと、一対の扇状部材４１０の中間位置を球が通過可能か否かと、が挙げられる。前者について、初期状態では、流入口４３５の上部に扇状部材４１０の一部が被さった態様とされるので、球が流入口４３５へ入球不能な態様とされる一方、傾倒状態では、上面視において扇状部材４１０が流入口４３５の上部から退くので（退く位置まで傾倒されるので）球が流入口４３５へ入球可能となる。
【０２２０】
また、後者について、初期状態では、扇状部材４１０が平行な姿勢とされ、扇状部材４１０の間の上部を球が通過可能に構成されるが、傾倒状態では、球が通過する位置に扇状部材４１０が張り出すので、扇状部材４１０の間の部分へ流入した球は扇状部材４１０に衝突し、通過を防止される。なお、傾倒状態において、扇状部材４１０の間に流入口４３５が配設されるので、扇状部材４１０に衝突した球が跳ね返らず（上下方向に振動する場合等）流入口４３５の上部に滞在する場合、そのまま流入口４３５に球を落下させることが可能である。
【０２２１】
図２９を参照して、球が固定床４３０から正面側へ落下する際の位置の違いによる、遅延床デバイス４００の動作態様について説明する。図２９（ａ）は、遅延床デバイス４００の上面図であり、図２９（ｂ）は、図２９（ａ）のＸＸＩＸｂ−ＸＸＩＸｂ線における遅延床デバイス４００の断面図であり、図２９（ｃ）は、遅延床デバイス４００の上面図であり、図２９（ｄ）は、図２９（ｃ）のＸＸＩＸｄ−ＸＸＩＸｄ線における遅延床デバイス４００の断面図である。
【０２２２】
図２９（ｃ）及び図２９（ｄ）に示すように、遅延床デバイス４００は、遅延床デバイス４００に先に乗っている球Ｐ１１が固定床４３０の正面側に落下する際の球の移動に沿って（球の重さを利用して）、扇状部材４１０が動作する。従って、遅延床デバイス４００を動作させるためのモータ等の駆動源を不要とすることができる。
【０２２３】
図２９（ａ）及び図２９（ｂ）では、球Ｐ１１が扇状部材４１０から離れた位置から落下しかけている状態が図示され、図２９（ｃ）及び図２９（ｄ）では、球Ｐ１１が扇状部材４１０の中心位置から固定床４３０の正面側に落下しかけている状態が図示される。
【０２２４】
ここで、遅延床デバイス４００の上を球が通過する度に、遅延床デバイス４００が可動する態様で構成することも可能であるが、その場合、球の通過の仕方に寄らず遅延床デバイス４００の影響を受けてしまい、入賞口６４への入球が不必要に遅れる恐れがある。その場合、入賞口６４への入球を契機とした変動の開始が遅れ、遊技者の不満の元となる。
【０２２５】
これに対し、本実施形態では、図２９に示すように、球Ｐ１１が入賞口６４にそのまま入球し易い位置である扇状部材４１０に乗った状態から固定床４３０の正面側に球Ｐ１１が落下しかける状態において遅延床デバイス４００が傾倒状態とされる一方、球Ｐ１１が落下したとしても入賞口６４に入る可能性が低い位置である扇状部材４１０から離れた位置から球Ｐ１１が落下した場合には遅延床デバイス４００が初期状態を保つ態様で構成される。そのため、落下しかける球Ｐ１１が入賞口６４に入りやすい場合にのみ遅延床デバイス４００を動作させることができる。
【０２２６】
これにより、必要のない場合にまで遅延床デバイス４００が作用し、入賞口６４への球の入球が不必要に遅れることを回避することができるので、入賞口６４への入球を契機とした変動の開始が遅れることを回避でき、遊技者の興趣を向上させることができる。
【０２２７】
なお、図２９（ｄ）に示すように、扇状部材４１０の先端に面取り部４１１ａが形成されることにより、扇状部材４１０の先端を、初期状態では遊技盤１３の前面から張り出す一方で、傾倒状態では遊技盤１３の前面よりも後方へ引き込む態様で構成することができる。これにより、球を入賞口６４に落下し易い位置（遊技盤１３の前面よりも前側）まで転動させた上で、落下させることができるので、図２９（ｄ）の状態から落下する球が入賞口６４に入球する確率を向上させることができる。
【０２２８】
図３０を参照して、遅延床デバイス４００に先に乗っている球Ｐ１１と、遅延床デバイス４００へ新たに入球された球Ｐ１２との関係について説明する。図３０（ａ）は、遅延床デバイス４００の上面図であり、図３０（ｂ）は、図３０（ａ）のＸＸＸｂ−ＸＸＸｂ線における遅延床デバイス４００の断面図である。
【０２２９】
図３０（ａ）及び図３０（ｂ）では、球Ｐ１１が扇状部材４１０の正面側へ流下し扇状部材４１０が傾倒状態とされた後で左右方向から球Ｐ１２が入球された状態が図示される。
【０２３０】
入賞口６４の上方に配置される床部分の中央まで所定の球が到達し、今にも入賞口６４へ落ちそうというタイミングで他の球が左右方向から床部分を転動し、所定の球に衝突し、所定の球が入賞口６４から外れることがあり、遊技者の興趣を低下させる元となっていた。
【０２３１】
これに対し、本実施形態では、図３０に示すように、球Ｐ１１が扇状部材４１０の正面側から落下するタイミングに球Ｐ２１が転動してきた場合、遅延床デバイス４００が傾倒状態とすると共に、球Ｐ１２と扇状部材４１０とを衝突させることにより、球Ｐ１１が球Ｐ１２に衝突されることを防止することができる。
【０２３２】
このとき、図３０（ａ）に示すように、一対の扇状部材４１０の先端部分が構成する間隙が、球Ｐ１２の進行方向（図３０（ａ）右方）に向けて先細りする態様とされるので、球Ｐ１２が一対の扇状部材４１０の中間部分から前後方向に多少ずれた位置を転動して扇状部材４１０に衝突したとしても、間隙の先細り形状に沿って、球Ｐ１２の速度方向を一対の扇状部材４１０の中間位置へ向けた方向へ修正することができる。従って、球Ｐ１２の転動する経路を限定することができ、球Ｐ１２と球Ｐ１１とが衝突することを回避し易くすることができる。
【０２３３】
次いで、図３１を参照して、遅延床デバイス４００に間隔を空けて２個の球Ｐ１１，Ｐ１２が入球し、それぞれ往復動作を繰り返し左右方向の速度が０に収束した状態における遅延床デバイス４００の作用について説明する。
【０２３４】
図３１（ａ）は、遅延床デバイス４００の上面図であり、図３１（ｂ）は、図３１（ａ）のＸＸＸＩｂ−ＸＸＸＩｂ線における遅延床デバイス４００の断面図であり、図３１（ｃ）は、遅延床デバイス４００の上面図であり、図３１（ｄ）は、図３１（ｃ）のＸＸＸＩｄ−ＸＸＸＩｄ線における遅延床デバイス４００の断面図である。
【０２３５】
なお、図３１（ａ）及び図３１（ｂ）では、遅延床デバイス４００が初期状態とされ、球Ｐ１１が手前側の扇状部材４１０に乗ると共に球Ｐ１２が奥側の扇状部材４１０に乗る状態が図示され、図３１（ｃ）及び図３１（ｄ）では、図３１（ａ）及び図３１（ｂ）に示す状態から球Ｐ１１が正面側に流下し、遅延床デバイス４００が傾倒状態とされる。
【０２３６】
図３１（ａ）から図３１（ｄ）に示すように、奥側の扇状部材４１０に乗った球Ｐ１２は、球Ｐ１１が手前側の扇状部材４１０から流下し遅延床デバイス４００が傾倒状態になることにより、奥側の扇状部材４１０の傾斜に沿って奥方向（図３１（ｂ）右方向）へ押し戻される。
【０２３７】
その後、球Ｐ１１が落下し、遅延床デバイス４００が初期状態へ戻ることにより、球Ｐ１２は再度、遅延床デバイス４００の上を通り前側の扇状部材４１０の上方まで転動することが可能とされる。即ち、図３１（ａ）に示す状態から、球Ｐ１１と球Ｐ１２とが連続で入賞口６４へ入球する場合に比較して、球Ｐ１２が押し戻される分、球Ｐ１１と球Ｐ１２の入球の間隔を離すことができる。これにより、球Ｐ１１と球Ｐ１２とが入賞口６４に入球することにより入賞口６４でオーバーフローが生じることを抑制することができる。
【０２３８】
次いで、図３２を参照して、遅延床デバイス４００に２個の球Ｐ１１，Ｐ１２が入球し、それぞれ往復動作を繰り返し左右方向の速度が０に収束した状態において球Ｐ１１，Ｐ１２が前後方向に連なって配置される場合の遅延床デバイス４００の作用について説明する。
【０２３９】
図３２（ａ）は、遅延床デバイス４００の上面図であり、図３２（ｂ）は、図３２（ａ）のＸＸＸＩＩｂ−ＸＸＸＩＩｂ線における遅延床デバイス４００の断面図であり、図３２（ｃ）は、遅延床デバイス４００の上面図であり、図３２（ｄ）は、図３２（ｃ）の矢印ＸＸＸＩＩｄ方向視における遅延床デバイス４００の正面図である。
【０２４０】
図３２（ａ）及び図３２（ｂ）に示すように、２個の球Ｐ１１，Ｐ１２が連なって配置される場合、球Ｐ１１が前側の扇状部材４１０の延設腕部４１２よりも正面側（図３２（ｂ）左側）に配置される状態において、球Ｐ１２は前後一対の扇状部材４１０の中間位置付近に配置される（図３２（ｂ）参照）。
【０２４１】
この状態から球Ｐ１１が遅延床デバイス４００の正面側から落下し遅延床デバイス４００が傾倒状態となると、球Ｐ１２は、扇状部材４１０の先端部分（円弧部分）が上昇する際に、その先端部分に持ち上げられる。本実施形態では、扇状部材４１０の先端部分が円弧形状とされるので、傾倒状態において、球Ｐ１２を支持する扇状部材４１０の先端部分が左右方向外側へ向かうにつれて下方傾斜する（図３２（ｄ）参照）。そのため、球Ｐ１２は、扇状部材４１０の左右中央に維持され続けるのでは無く、扇状部材４１０の先端部分の形状に沿って左右外側へ流下する。これにより、球Ｐ１２は、扇状部材４１０から流入口４３５へ流入する。従って、球Ｐ１２が球Ｐ１１に連なって入賞口６４に入球することを防止することができる。
【０２４２】
図３３（ａ）及び図３３（ｂ）は、図３２（ｃ）のＸＸＸＩＩＩａ−ＸＸＸＩＩＩａ線における遅延床デバイス４００の断面図である。なお、図３３（ａ）では、図３２（ｃ）に示す状態から球Ｐ１１，Ｐ１２が流下する途中の状態が、図３３（ｂ）では、図３３（ａ）に示す状態から更に球Ｐ１１，Ｐ１２が流下し球Ｐ１１が入賞口６４に入球した状態が、それぞれ図示される。
【０２４３】
図３３（ａ）及び図３３（ｂ）に示すように、球Ｐ１１，Ｐ１２が遅延床デバイス４００の上を連なって流下すると、球Ｐ１１は遊技盤１３の正面側を落下し、球Ｐ１２は遅延流路４３６を流下する。即ち、２個の球Ｐ１１，Ｐ１２の流下経路が分離されると共に、遅延床デバイス４００が長い流路で構成されるので、２個の球Ｐ１１，Ｐ１２が入賞口６４に入賞するタイミングをずらすことができる。
【０２４４】
そのため、例えば、入賞口６４に入球した直後に情報を取得し、第３図柄表示装置８１（図２参照）で変動を開始する態様で構成されたとしても、入賞口６４でオーバーフローが生じることを抑制することができる。
【０２４５】
即ち、図３３（ｂ）に示す球Ｐ１２の位置から、遅延流路４３６の残りの部分を流下して球Ｐ１２が入賞口６４へ流下するまでの期間を、入賞口６４の保留球数が４個の場合に選択されやすい変動期間（最短の変動期間）よりも長い期間に設定することにより、入賞口６４でオーバーフローが生じることを抑制することができる。
【０２４６】
次いで、図３４を参照して、第２実施形態について説明する。第１実施形態では、振り分け装置３４０が重心の移動のみによって姿勢を変化させる場合を説明したが、第２実施形態における遅延デバイス２３００は、本体部材２３１０に配設される係止装置２３１５が長孔２３１６に支持されると共に振り分け装置２３４０の姿勢を維持する態様で構成される。なお、上述した各実施形態と同一の部分には同一の符号を付して、その説明は省略する。
【０２４７】
図３４（ａ）から図３４（ｃ）は、第２実施形態における遅延デバイス２３００の部分正面図である。なお、図３４（ａ）では、初期状態の振り分け装置２３４０に球Ｐ２１及び球Ｐ２２が連なって到達した状態が図示され、図３４（ｂ）では、球Ｐ２１の重さで振り分け装置２３４０が変化状態に状態変化すると共に球Ｐ２２が第３溝３１３を流下する状態が図示されると共に、図３４（ｃ）では、球Ｐ２２が係止装置２３１５による係止を解除し、振り分け装置２３４０が初期状態へ向けて移動開始した状態が図示される。なお、本実施形態では、振り分け装置２３４０に第２調整装置３５０が配設されず、振り分け装置２３４０がバネ機構（図示せず）により初期状態へ向けて付勢される。
【０２４８】
振り分け装置２３４０は、第１壁部２３４１が第２壁部３４２の約半分の長さで構成される。これにより、第３溝３１３から流下してきた球Ｐ２２と第１壁部２３４１とが衝突することを抑制でき、振り分け装置２３４０の復帰動作を球Ｐ２２に妨害させないようにすることができる。
【０２４９】
図３４（ａ）に示すように、係止装置２３１５は、側壁部３１２ｅの下端部分において本体部材２３１０の奥側（図３４紙面垂直方向奥側）の壁部において左右方向に延設される長孔である長孔２３１６に左右方向スライド及び回転可能に支持される鉤部材２３１５ａと、その鉤部材２３１５ａを右方向および正面視時計回り方向へ向けて付勢する弾性力を発生するねじりバネ２３１５ｂと、を備える。なお、本実施形態では、側壁部３１２ｅには、下端部分に空いた空間が形成され、その空間を通して鉤部材２３１５ａが通過可能に構成される。
【０２５０】
鉤部材２３１５ａは、上下一対で延設される第３溝３１３の間に形成される壁部に左右方向に沿って延設される長孔２３１６に支持される軸部２３１５ａ１と、その軸部２３１５ａ１と一体で構成されると共に側壁部３１２ｅを貫通して軸部２３１５ａ１よりも右上方（図３４右上方）に張り出して形成される当接部２３１５ａ２と、軸部２３１５ａ１と一体で構成されると共に下側の第３溝３１３の内方へ張り出して構成される解除部２３１５ａ３と、を主に備える。
【０２５１】
当接部２３１５ａ２は、振り分け装置２３４０の先端凸部３４２ａの移動軌跡と干渉する位置に配置される。当接部２３１５ａ２の形状が、上面部は右方へ向かうほど急激に下降傾斜し、下面部は左右方向に沿った形状（先端凸部３４２ａと面接触する形状）とされるので、振り分け装置２３４０が初期状態から変化状態へ状態変化する場合には振り分け装置２３４０にかけられる抵抗を抑制しその移動速度を向上させることができる一方で、振り分け装置２３４０が変化状態から初期状態へ状態変化する場合には、振り分け装置２３４０にかけられる抵抗を大きくし振り分け装置２３４０を変化状態で係止し易くすることができる。
【０２５２】
また、軸部２３１５ａ１が長孔２３１６に沿って左右方向にスライド移動可能に構成されるので、振り分け装置２３４０が変化状態となる直前（図３４（ｂ）の直前）の状態において、鉤部材２３１５ａを左方へ逃がすことができる。これにより、鉤部材２３１５ａが軸支される場合と比較して、振り分け装置２３４０が係止装置２３１５と衝突して、かみ合ってしまい、動作不良を起こすことを防止することができる。
【０２５３】
ねじりバネ２３１５ｂは、ねじり部分が軸部２３１５ａ１に巻き付けられ、一方の端部（図３４（ａ）左側の端部）が本体部材２３１０に係止されると共に、他方の端部（図３４（ａ）右側の端部）が鉤部材２３１５ａに係止される態様で構成される。
【０２５４】
図３４（ｂ）に示すように、球Ｐ２１の重さで振り分け装置２３４０が変化状態とされると、先端凸部３４２ａが当接部２３１５ａ２に係止される。これにより、振り分け装置２３４０が変化状態で維持される。本実施形態では、係止装置２３１５が姿勢変化しない限り、振り分け装置２３４０が変化状態を維持する態様とされる。
【０２５５】
図３４（ｃ）に示すように、第３溝３１３を流下する球Ｐ２２が解除部２３１５ａに当接することにより、鉤部材２３１５ａが正面視反時計回りに姿勢変化すると、鉤部材２３１５ａによる振り分け装置２３４０の係止が解除され（当接部２３１５ａ２が振り分け装置２３４０の移動軌跡の外に配置され）、振り分け装置２３４０を初期状態へ復帰させることができる。
【０２５６】
これによれば、振り分け装置２３４０に正面視時計回り方向の付勢力が常にかけられる状態において、振り分け装置２３４０が変化状態に状態変化されてから初期状態へ向けて移動開始するまでの時間遅れを形成することができる。従って、簡素な構成で、球Ｐ２１，Ｐ２２を別々の流路に確実に振り分けることができる。
【０２５７】
なお、図３４では、球Ｐ２１，Ｐ２２が連なって流下する場合を説明したが、係止装置２３１５ａの解除が球Ｐ２２の流下により生じることと照らせば、本実施形態の効果は、球Ｐ２１，Ｐ２２の振り分け装置２３４０への到達間隔に寄らず、発揮される。
【０２５８】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０２５９】
上記各実施形態において、一の実施形態における構成の一部または全部を、他の実施形態における構成の一部または全部の構成と組み合わせて或いは置き換えて、別の実施形態としても良い。
【０２６０】
上記第１実施形態では、スライド移動部材３２１に凸設部３２１ａ１が凸設され、それが第１溝３１１の内側へ張り出す場合を説明したが、必ずしもこれに限られるものではない。例えば、スライド移動部材３２１にＳ字の経路を構成する一対の壁部が配設され、スライド移動部材３２１が移動することにより、第１溝３１１の内部に球が流下するＳ字経路ができあがる態様で構成しても良い。この場合、一対の壁部により、球が流れる経路自体を長くすることができるので、凸設部３２１ａ１が摩耗により減速効果を低下させるのに比較して、長期にわたって減速効果をもち続けることができる。また、スライド移動部材３２１が、凸設部３２１ａ１が形成される領域と、Ｓ字の経路が構成される領域とが連設する態様で構成されても良い。
【０２６１】
上記第１実施形態では、初期状態の振り分け装置３４０に球Ｐ１，Ｐ２が連なって入球した場合においても、球Ｐ１，Ｐ２を振り分け可能に構成される場合を説明したが、必ずしもこれに限られるものではない。例えば、球が振り分け装置３４０に到達する前に、連なった球の間隔を確実に空ける間隔負荷手段を配置したうえで、球が振り分け装置３４０に入球してしばらくしてから振り分け装置３４０の状態が変化する態様で構成しても良い。この場合、振り分け装置３４０の状態変化のタイミングを厳しく管理する必要がないので、振り分け装置３４０を緩めに支持することができ、状態変化に必要な負荷を低減することができる。
【０２６２】
上記第１実施形態では、振り分け装置３４０の部分であって球が衝突する部分が円弧形状（円弧壁部３４３）から構成される場合を説明したが、必ずしもこれに限られるものではない。例えば、円弧壁部３４３に対応する部分の平面板状の部分から構成しても良い。この場合、振り分け装置３４０が初期状態へ復帰する途中で球が振り分け装置３４０に入球すると、その球から与えられる負荷により振り分け装置３４０が回転され、変化状態に戻される。これにより、振り分け装置３４０が変化状態に維持される期間を延長させることができる。
【０２６３】
上記第１実施形態では、振り分け装置３４０を重心の変化によって復帰動作させる場合を説明したが、必ずしもこれに限られるものではない。例えば、移動方向によって付勢力が変化する（１の方向にのみ移動抵抗がかけられる）製品や、オリフィスを利用して方向毎に移動抵抗を変化させるシリンダ製品などを利用して振り分け装置３４０を復帰動作させても良い。この場合、市販の製品を利用することにより、メンテナンス性を向上させることができる。また、振り分け装置３４０の回転軸の回転抵抗を、正回転では小さく、逆回転では大きい態様で構成することにより、振り分け装置３４０に一定の付勢力を与えることで、振り分け装置３４０の復帰動作に時間遅れを生じさせることができる。
【０２６４】
上記第１実施形態では、扇状部材４１０から流入口４３５へ流入した球は遅延流路４３６を案内される場合を説明したが、必ずしもこれに限られるものではない。例えば、流入口４３５の下方に別の床面が構成することにより（球が転動可能な床を２段で構成することにより）、扇状部材４１０から流入口４３５へ流入した球が再度その床面を転動して入賞口６４に入球する態様で構成しても良い。この場合、球が床面を転動する期間を延長することができるので、球の動きに遊技者が注目して、球の打ち出しを停止する期間を延長することができる。そのため、その間に保留していた入賞分の変動を消化することができ、オーバーフローの発生を抑制することができる。
【０２６５】
上記第１実施形態では、扇状部材４１０が回転軸を左右方向に沿わせた状態で傾倒する場合を説明したが、必ずしもこれに限られるものではない。例えば、回転軸を前後方向に沿わせた状態で傾倒するようにしても良い。この場合、扇状部材４１０の円弧部分の傾斜に沿って入賞口６４へ向けて球を落下させることができる（左右方向の位置を補正することができる）。
【０２６６】
上記第１実施形態では、扇状部材４１０が球の重さで動作する場合を説明したが、必ずしもこれに限られるものではない。例えば、扇状部材４１０が一定の繰り返しの動作態様で電動動作する構成としても良い。この場合、一対の扇状部材４１０の動作の組み合わせを複数種類構成することができる。例えば、正面側の扇状部材４１０が起き上がった姿勢とされると共に奥側の扇状部材４１０が寝そべった姿勢とされる状態と、正面側の扇状部材４１０が起き上がった姿勢とされると共に奥側の扇状部材４１０が起き上がった姿勢とされる状態と、正面側の扇状部材４１０が寝そべった姿勢とされると共に奥側の扇状部材４１０が寝そべった姿勢とされる状態と、正面側の扇状部材４１０が寝そべった姿勢とされると共に奥側の扇状部材４１０が起き上がった姿勢とされる状態と、を構成可能となり、一対の扇状部材４１０の状態の組み合わせを増加させることができる。
【０２６７】
上記第１実施形態では、一対の扇状部材４１０が同一形状から構成される場合を説明したが、必ずしもこれに限られるものではない。例えば、手前側の扇状部材４１０に比較して、奥側の扇状部材が左右方向の幅が長くされる形状から構成されても良い。この場合、扇状部材４１０の左右方向中心位置から離間した位置であって奥側の扇状部材の上の位置に配置された球に対しても、扇状部材の傾斜に伴う作用（押し戻しの作用）を生じさせることができる。
【０２６８】
上記第１実施形態では、遅延流路４３６の出口が、入賞口６４に対して左右方向に位置ずれする場合を説明したが、必ずしもこれに限られるものではない。例えば、左右一対の流入口４３５の下方の遅延流路４３６が左右中央で合流し、その出口が入賞口６４の真上に配設されても良い。この場合、遅延流路４３６の出口から遊技領域に排出された球が入賞口６４に入球する割合を向上させることができる。
【０２６９】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０２７０】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０２７１】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０２７２】
以下に、本発明の遊技機に加えて上述した実施形態に含まれる各種発明の概念を示す。
【０２７３】
＜２球目以降を、別ルートへ回して遅延させてオーバーフローを抑制する＞
遊技球が入球することにより抽選の機会が付与される第１状態と、その第１状態において遊技球が入球することにより切り替えられる状態であって遊技球が入球しても抽選の機会が付与されない第２状態と、を構成可能とされる検出入球口を備え、前記第２状態に切り替えられた後、所定の復帰期間が経過することにより前記第１状態に復帰する遊技機において、複数の遊技球を入球させた場合に、その複数の遊技球の内の１の遊技球である第１遊技球が入球してから前記検出入球口に送球するまでの期間に比較して、他の遊技球である第２遊技球が入球してから前記検出入球口に送球するまでの期間を遅延させる遅延手段を備え、その遅延手段により遅れる期間が、前記復帰期間以上とされることを特徴とする遊技機Ａ１。
【０２７４】
ここで、パチンコ機等の遊技機において、遊技球が入球する入球口と、その入球口に遊技球が入球したことに基づいて情報を取得して、その情報に基づいて表示手段に動的表示する遊技機がある（例えば、特開２０１１−１５６０５８号公報を参照）。しかし、上述した従来の遊技機では、入球口に遊技球が入球したことに基づいて取得される情報を所定数（例えば４個）まで記憶可能とされ、それ以上は記憶が不可能な構成とされるが、入球口に短い間隔で複数の遊技球が連続して入球すると、記憶可能な数の上限に達してしまい（第２状態となり）、所謂オーバーフローが生じる恐れがあるという問題点があった。そのため、遊技者が自己判断で、連続して打ち出す球の球数を減らしたり、常に情報を記憶している数を確認しながら遊技したりする必要があり、遊技者に負担がかかっていた。
【０２７５】
これに対し、遊技機Ａ１によれば、遅延手段により、第１遊技球が検出入球口に入球してから第２遊技球が検出入球口に入球するまでの期間が復帰期間より長くされ、第２遊技球が第２状態の検出入球口に入球することが防止されるので、第１遊技球が検出入球口に入球することで検出入球口が第２状態となった場合でも、第２遊技球が検出入球口に入球するまでに記憶可能な数に空きを形成することが可能となり、オーバーフローが生じることを抑制することができる。
【０２７６】
なお、遅延手段により遅延される期間は、少なくとも、液晶装置などの動的表示手段により行われる１の動的表示態様の期間よりも長くされ、情報記憶手段の記憶数が上限値の場合における最長の動的表示態様の期間よりも長くされることが望ましい。
【０２７７】
遅延手段の構成は、特に限定されるものでは無く、様々な態様が考えられる。例えば、可動部材により遊技球の流下する経路を振り分ける態様でも良いし、流路の形状と球の衝突との関係により遊技球の流下する経路を振り分ける態様でも良い。
【０２７８】
遊技機Ａ１において、前記遅延手段は、前記遊技球を複数の経路に振り分けると共に前記遊技球が通過することにより第１姿勢から第２姿勢へ向けて姿勢変化する振り分け手段と、その振り分け手段を前記第２姿勢から前記第１姿勢へ向けて姿勢変化させる付勢力を発生させる付勢手段と、前記振り分け手段が第１姿勢の時に前記振り分け手段を通過した前記第１遊技球を案内し前記検出入球口へ送球する第１案内流路と、前記振り分け手段が前記第２姿勢から第１姿勢に戻る直前までの間に前記振り分け手段を通過した前記第２遊技球を案内し前記検出入球口へ送球する第２案内流路と、を備え、その第２案内流路を前記第２遊技球が通過する期間が、前記第１案内流路を前記第１遊技球が通過する期間に比較して長くされ、前記遅延期間が、それら期間の差として構成されることを特徴とする遊技機Ａ２。
【０２７９】
遊技機Ａ２によれば、遊技機Ａ１の奏する効果に加え、遅延手段が、振り分け手段と、その振り分け手段により遊技球が振り分けられる第１案内流路と、第２案内流路と、振り分け手段の姿勢を復帰させる付勢手段と、を備え、先に振り分け手段を通過し第１案内流路を案内される第１遊技球が検出入球口に到達するまでの期間に比較して、その後で振り分け手段が付勢手段により第１姿勢に戻る直前までに振り分け手段を通過し第２案内流路を案内される第２遊技球が検出入球口に到達するまでの期間を長くすることができ、遅延期間がそれら期間の差として構成されるので、遊技球が釘に衝突する場合のようにランダムに遊技球の流下経路が決定される場合に比較して、遊技球が流下する期間を確実に長くすることができ、遊技球が検出入球口に到達するタイミングを確実にずらすことができる。
【０２８０】
また、振り分け手段は付勢手段により姿勢が復帰するので、振り分け手段に遊技球が間隔を空けて到達する場合（後から来た遊技球を遅延させる必要が無い場合）にまで、遊技球が振り分け手段により第２案内流路振り分けられることを防止することができる。
【０２８１】
遊技機Ａ２において、前記振り分け手段は、前記第１姿勢とされる場合において前記遊技球に対して流下方向で対面する第１壁部と、その前記第１壁部と当接される遊技球を挟んだ位置に配設される第２壁部とを備え、その第２壁部が、前記遊技球から流下方向に沿った負荷を受けることにより、前記振り分け手段の前記第２姿勢から前記第１姿勢へ向けた方向への姿勢変化が抑制されることを特徴とする遊技機Ａ３。
【０２８２】
遊技機Ａ３によれば、遊技機Ａ２の奏する効果に加え、振り分け手段と衝突する遊技球を第１壁部と挟む位置に配設される第２壁部が、遊技球から流下方向に沿った負荷を受けることにより、振り分け手段が第２姿勢から第１姿勢へ向けた方向へ姿勢変化することが抑制されるので、先に振り分け手段を通過した遊技球が、後から振り分け手段を通過する遊技球の作用により、流下が妨げられて、流下が遅れることを抑制することができる。
【０２８３】
遊技機Ａ２又はＡ３において、前記振り分け手段は、連なって流下する遊技球を分割すると共に１球のみを前記第１案内流路へ案内する分割手段を備えると共に、前記遊技球の重みにより姿勢変化する構成とされ、前記振り分け手段が姿勢変化することにより前記分割手段が機能することを特徴とする遊技機Ａ４。
【０２８４】
遊技機Ａ４によれば、遊技機Ａ２又はＡ３の奏する効果に加え、振り分け手段の分割手段により、連なって流下する球を分割し、第１案内流路に複数の球が案内されることを、駆動源の追加無しで防止することができる。
【０２８５】
なお、分割手段としては、流路内方へ向けて張り出すことにより遊技球を第２案内流路へ向けて押し出す手段や、流路内方へ向けて張り出すことにより連なった遊技球同士の間に差し込まれ遊技球同士を切り離す手段等が例示される。
【０２８６】
遊技機Ａ４において、前記振り分け手段は、前記第１姿勢とされる場合に前記遊技球に対して流下方向で対面する第１壁部と、その前記第１壁部と当接される遊技球を挟んだ位置に配設される第２壁部とを備え、前記振り分け手段が前記第１姿勢から前記第２姿勢へ姿勢変化する際に前記第２壁部が移動方向で前記第２遊技球に衝突することによりその遊技球を前記第２案内流路へ導入する態様で構成されることを特徴とする遊技機Ａ５。
【０２８７】
遊技機Ａ５によれば、遊技機Ａ４の奏する効果に加え、振り分け手段が姿勢変化中にその移動方向で第２遊技球と衝突する場合に、振り分け手段と第１案内流路との間で遊技球が挟まって振り分け手段が動作不良を起こすことを防止することができる。
【０２８８】
ここで、例えば、振り分け手段が電動で動作する場合、振り分け手段が遊技球の位置によらず動作を行うので、遊技球が第２案内流路の入り口とは外れた位置であると共に振り分け手段と第１案内流路の側壁との間である位置に配置された状態で、振り分け手段と第１案内流路の側壁との間の距離が狭まる方向に振り分け手段が動作すると、振り分け手段と第１案内流路との間に遊技球が挟まり振り分け手段が動作不良を起こす恐れがある。
【０２８９】
これに対し、遊技機Ａ５によれば、振り分け装置の動作が電動ではなく、遊技球の重みで生じるので、遊技球の配置に起因して振り分け手段が動作不良を起こす状態において振り分け手段が動作しないように位置関係や形状関係を予め設計することができる。これにより、振り分け手段の動作不良を防止することができる。
【０２９０】
遊技機Ａ５において、複数の遊技球が前記振り分け手段に到達し、一方の遊技球が前記第１壁部に当接することにより、他方の遊技球が前記第２壁部の移動方向で当接する位置まで前記振り分け手段が姿勢変化された連結球導入状態において、前記一方の遊技球と、前記第２案内流路の前記第１案内流路からの入口を形成する側面であって前記第１案内流路の下流側の側面との端面同士間の距離であって、前記第１案内流路の延設方向に沿った距離が遊技球の半径以下とされることを特徴とする遊技機Ａ６。
【０２９１】
遊技機Ａ６によれば、遊技機Ａ５の奏する効果に加え、連結球導入状態において、他方の遊技球が一方の遊技球に連なって振り分け手段まで到達した場合、他方の遊技球の中心が第２案内流路を延長した場合の第２案内流路の内側の領域に配置されるので、遊技球を第２案内流路の側面に沿って押し込むことができ、遊技球を第２案内流路に導入することができる。
【０２９２】
遊技機Ａ４からＡ６において、前記振り分け手段は、前記復帰期間よりも長い期間をかけて前記第２姿勢から前記第１姿勢まで復帰動作することを特徴とする遊技機Ａ７。
【０２９３】
遊技機Ａ７によれば、遊技機Ａ４からＡ６の奏する効果に加え、入球検出口が第２状態の期間中に第２遊技球が検出入球口に入球されることを確実に防止することができる。
【０２９４】
なお、表示装置の動的表示態様が、検出入球口の記憶数が多いほど短期間のものが選択され易い態様とされる場合において、所定の動的表示態様の長さは、少なくとも検出入球口の記憶数が上限値である場合の最短の動的表示態様の長さ以上とされることが望ましい。
【０２９５】
＜ステージを球の重さで動作可能とすることによりオーバーフロー抑制＞
遊技球が入球することにより抽選の機会が付与される第１状態と、その第１状態において遊技球が入球することにより切り替えられる状態であって遊技球が入球しても抽選の機会が付与されない第２状態と、を構成可能とされる検出入球口を備え、前記第２状態に切り替えられた後、所定の復帰期間が経過することにより前記第１状態に復帰する遊技機において、遊技球が前記検出入球口へ入球し易い下降開始位置である最適落下部を有すると共に、遊技球が前記最適落下部を通過する態様で上面を転動可能に構成される転動手段を備え、その転動手段は、前記最適落下部から遊技球を前記復帰期間以上の間隔を空けて下降開始させる態様で動作することを特徴とする遊技機Ｂ１。
【０２９６】
ここで、パチンコ機等の遊技機において、遊技球が検出入球口へ入球し易い下降開始部分として配設される最適落下部を有し、上面に配置された遊技球が最適落下部を通過する態様で転動可能に構成される転動手段（所謂「ステージ」）を備える遊技機がある（例えば、特開２０１１−１５６０５８号公報を参照）。しかし、上述した従来の遊技機では、先に転動手段に乗った第１遊技球が転動手段から下降する前に、転動手段に第２遊技球が乗り、それら第１遊技球と第２遊技球とが最適落下部から短期間の間に下降する場合があり、その場合、検出入球口でオーバーフローが生じる恐れがあるという問題点があった。
【０２９７】
これは、遊技球が釘に衝突しながら流下する状態と異なり、遊技球が最適落下部を通り過ぎる態様で左右方向に往復動作する（遊技球が特定の経路を往復動作する）場合において遊技球同士が頻繁に衝突し易くなる転動手段上に特有の課題である。
【０２９８】
これに対し、遊技機Ｂ１によれば、転動手段が、最適落下部から間隔を空けて遊技球を１球ずつ下降開始させる態様で動作するので、短期間の間に検出入球口に遊技球がまとめて入球することを抑制することができる。従って、転動手段に複数個の遊技球が乗った場合でも、検出入球口でオーバーフローが生じることを抑制することができる。
【０２９９】
遊技機Ｂ１において、前記転動手段へ遊技球を導入する導入流路を備え、前記転動手段は、前記導入流路から遊技球が導入されると共に前記最適落下部へ遊技球を案内する第１床部材を備え、その第１床部材は、転動する遊技球の重さにより動作可能に形成され、その動作により後から到達する遊技球の前記第１床部材へ向けた速度を低減する態様で動作することを特徴とする遊技機Ｂ２。
【０３００】
遊技機Ｂ２によれば、遊技機Ｂ１の奏する効果に加え、転動手段の第１床部材に遊技球が乗った場合に、遊技球の重さで第１床部材が動作することで、遊技球の第１床部材へ向けた速度を低減することができるので、第１床部材に乗った遊技球と第１床部材へ向けた遊技球との間隔を広げることができる。これにより、検出入球口でオーバーフローが生じることを抑制することができる。
【０３０１】
なお、遊技球の第１床部材へ向けた速度を低減する場合としては、例えば、遊技球の第１床部材へ向けた速さを落とす（制動する）場合や、遊技球を停止させる場合や、遊技球を第１床部材へ向けた方向とは逆方向へ移動させる（逆走させる）場合などが例示される。
【０３０２】
また、遊技球の第１床部材へ向けた速度を低減する方法としては、例えば、第１床部材を第１床部材から遠ざかる方向に下降傾斜する姿勢とする方法や、第１床部材の上面に減速突起を張り出させる方法や、第１床部材上の遊技球に磁力が作用可能な位置に磁石を張り出させる方法等が例示される。
【０３０３】
遊技機Ｂ２において、前記最適落下部が前記第１床部材に配設されると共に、前記第１床部材が、前記最適落下部から遊技球を落下させる際に動作する態様で構成され、前記転動手段は、前記最適落下部から遊技球が落下する前後において前記第１床部材の近傍に載置されると共に、所定期間の内に前記最適落下部へ向かう他の遊技球の、前記最適落下部への到達を防止する防止手段を備えることを特徴とする遊技機Ｂ３。
【０３０４】
遊技機Ｂ３によれば、遊技機Ｂ２の奏する効果に加え、最適落下部から遊技球が落下する際に第１床部材が動作する態様で構成され、転動手段が、最適落下部から遊技球が落下する前後において第１床部材に載置され、所定期間の内に最適落下部へ向かう他の遊技球を防止手段により防止するので、複数の遊技球が連なって最適落下部へ導入された場合でも、最適落下部から最先の遊技球が落下した後、他の遊技球が最適落下部から連続して落下することを抑制することができる。これにより、検出入球口でオーバーフローが生じることを抑制することができる。
【０３０５】
遊技機Ｂ３において、前記防止手段が、遊技球を防止可能な防止状態と、遊技球を防止不能な通過状態と、を構成可能とされ、前記最適落下部から遊技球が落下した直後の前記最適落下部の状態として、前記検出入球口に遊技球を入球させ易い態様で遊技球が落下した好適落下状態と、その好適落下状態に比較して前記検出入球口に遊技球を入球させ難い態様で遊技球が落下した普通落下状態と、が構成され、前記好適落下状態とされた場合に前記防止手段が防止状態とされると共に、前記普通落下状態とされた場合に前記防止手段が通過状態とされることを特徴とする遊技機Ｂ４。
【０３０６】
遊技機Ｂ４によれば、遊技機Ｂ３の奏する効果に加え、最適落下部が好適落下状態とされる場合には防止手段が防止状態とされると共に、最適落下部が普通落下状態とされる場合には防止手段が通過状態とされるので、最適落下部から落下する遊技球が検出入球口に入球しない場合にまで遊技球を防止することを抑制し、検出入球口に遊技球が入球するタイミングが無意味に遅れることを抑制することができる。
【０３０７】
遊技機Ｂ３又はＢ４において、前記防止手段に防止された遊技球を前記最適落下部から遠ざかる方向へ送球する送球手段を備えることを特徴とする遊技機Ｂ５。
【０３０８】
遊技機Ｂ５によれば、遊技機Ｂ３又はＢ４の奏する効果に加え、送球手段により防止手段に防止された遊技球を最適落下部から遠ざかる方向へ送球することにより、遊技球の動きを激しくすると共に、その遊技球が最適落下部に再度到達するまでの期間を稼ぐことができるので、遊技者の興趣の向上を図りながら、検出入球口でオーバーフローが生じることを抑制することができる。
【０３０９】
遊技機Ｂ２からＢ５のいずれかにおいて、前記第１床部材に遊技球を導入する中間床部材を備え、その中間床部材が動作可能とされ、その動作により前記第１床部材から遠ざかる方向に下降傾斜する状態に前記中間床部材が状態変化することを特徴とする遊技機Ｂ６。
【０３１０】
遊技機Ｂ６によれば、遊技機Ｂ２からＢ５のいずれかの奏する効果に加え、中間床部材が、第１床部材から遠ざかる方向に下降傾斜するので、中間床部材に到達する遊技球に対して、第１床部材から離反する方向に重力加速度を生じさせることができる。従って、第１床部材上に配置される遊技球と、中間床部材にこれから到達する遊技球との離間幅が縮まることを抑制することができる。
【０３１１】
遊技機Ｂ６において、前記中間床部材が前記第１床部材の両側に一対で配置され、前記中間床部材の姿勢変化が前記一対の中間床部材で交互に生じることを特徴とする遊技機Ｂ７。
【０３１２】
遊技機Ｂ７によれば、遊技機Ｂ６の奏する効果に加え、中間床部材が第１床部材の両側に一対で配置され、中間床部材の姿勢変化が一対の中間床部材で交互に生じるので、一対の中間床部材の両方に遊技球が向かう場合に、それらの遊技球が減速されるタイミングをずらすことができ、それらの遊技球が第１床部材に到達するタイミングをずらすことができる。従って、遊技球が最適落下部付近で渋滞することを抑制することができる。
【０３１３】
遊技機Ｂ２からＢ７のいずれかにおいて、前記転動手段において、左右方向の往復動作が収束し終え前記最適落下部に到達した遊技球と、前記導入流路を通過して前記第１床部材へ向けて流下する遊技球との衝突を防止する態様で構成されることを特徴とする遊技機Ｂ８。
【０３１４】
遊技機Ｂ８によれば、遊技機Ｂ２からＢ７のいずれかの奏する効果に加え、転動手段において、左右方向の往復動作が収束し終え最適落下部に到達した遊技球と、導入流路を通過して前記第１床部材へ向けて流下する遊技球との衝突を防止する態様で構成されるので、最適落下部から落下する直前の遊技球が他の遊技球に衝突されて検出入球口から離反する方向に落下することや、衝突した遊技球同士が連なって検出入球口を通過することを防止することができる。
【０３１５】
遊技機Ａ１からＡ９，Ｂ１からＢ８のいずれかにおいて、前記遊技機はスロットマシンであることを特徴とする遊技機Ｆ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０３１６】
遊技機Ａ１からＡ９，Ｂ１からＢ８のいずれかにおいて、前記遊技機はパチンコ遊技機であることを特徴とする遊技機Ｆ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０３１７】
遊技機Ａ１からＡ９，Ｂ１からＢ８のいずれかにおいて、前記遊技機はパチンコ遊技機とスロットマシンとを融合させたものであることを特徴とする遊技機Ｆ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機などの遊技機において、遊技球が入球したことに基づいて抽選の機会を獲得可能な入球口へ向けて遊技球を転動させる転動手段を備える遊技機がある（例えば、特許文献１：特開２０１１−１５６０５８号公報）。
しかしながら、上述した従来の遊技機では、転動手段の作用に改良の余地があるという問題点があった。本技術的思想は、上記例示した問題点などを解決するためになされたものであり、転動手段の作用が良好な遊技機を提供することを目的とする。
＜手段＞
この目的を達成するために技術的思想１の遊技機は、遊技球が入球することにより抽選の機会が付与される第１状態と、その第１状態において遊技球が入球することにより切り替えられる状態であって遊技球が入球しても抽選の機会が付与されない第２状態と、を構成可能とされる検出入球口を備え、前記第２状態に切り替えられた後、所定の復帰期間が経過することにより前記第１状態に復帰する遊技機において、遊技球が前記検出入球口へ入球し易い下降開始位置である最適落下部を有すると共に、遊技球が前記最適落下部を通過する態様で上面を転動可能に構成される転動手段を備え、その転動手段は、前記最適落下部から遊技球を前記復帰期間以上の間隔を空けて下降開始させる態様で動作する。
技術的思想２の遊技機は、技術的思想１記載の遊技機において、前記転動手段へ遊技球を導入する導入流路を備え、前記転動手段は、前記導入流路から遊技球が導入されると共に前記最適落下部へ遊技球を案内する第１床部材を備え、その第１床部材は、転動する遊技球の重さにより動作可能に形成され、その動作により後から到達する遊技球の前記第１床部材へ向けた速度を低減する態様で動作する。
技術的思想３の遊技機は、技術的思想２記載の遊技機において、前記最適落下部が前記第１床部材に配設されると共に、前記第１床部材が、前記最適落下部から遊技球を落下させる際に動作する態様で構成され、前記転動手段は、前記最適落下部から遊技球が落下する前後において前記第１床部材の近傍に載置されると共に、所定期間の内に前記最適落下部へ向かう他の遊技球の、前記最適落下部への到達を防止する防止手段を備える。
＜効果＞
技術的思想１記載の遊技機によれば、転動手段の作用を良好にすることができる。
技術的思想２記載の遊技機によれば、技術的思想１記載の遊技機の奏する効果に加え、第１床部材の動作により転動手段の作用をより良好にすることができる。
技術的思想３記載の遊技機によれば、技術的思想２記載の遊技機の奏する効果に加え、第１床部材の動作により転動手段から球が連なって入球口に入球することを防止することで、転動手段の作用を良好とすることができる。
【符号の説明】
【０３１８】
１０                                              パチンコ機（遊技機）
６４                                              入賞口（検出入球口の一部）
３００                                            遅延デバイス（遅延手段）
３１２                                            第２溝（第１案内流路の一部）
３１２ｄ                                          検出口（検出入球口の一部）
３１３                                            第３溝（第２案内流路の一部）
３４０                                            振り分け装置（振り分け手段）
３４１                                            第１壁部（第１壁部）
３４２                                            第２壁部（第２壁部）
３４２ａ                                          先端凸部（分割手段の一部）
３５０                                            第２調整装置（付勢手段）
４００                                            遅延床デバイス（転動手段）
４１０                                            扇状部材（第１床部材、防止手段の一部、送球手段の一部、中間床部材）
４１１ａ                                          面取り部（最適落下部）
４３６                                            遅延流路（送球手段の一部）
Ｐ１、Ｐ４、Ｐ６、Ｐ２１                          球（第１遊技球）
Ｐ２、Ｐ５、Ｐ７、Ｐ２２                          球（第２遊技球）
Ｐ１１、Ｐ１２                                    球（遊技球、他の遊技球）